(57)【特許請求の範囲】
【請求項１】
伝搬路状況情報のレポートに関する設定を含む第１の設定と、物理下りリンク共用チャネル（ＰＤＳＣＨ）の配置に関する設定を含む第２の設定と、参照信号受信電力（ＲＳＲＰ）の測定に関する設定を含む第３の設定とを設定する上位層処理部と、
前記第１の設定がなされる場合、伝搬路状況測定用参照信号（ＣＳＩ−ＲＳ）に関する伝搬路状況を測定して得られる伝搬路状況情報のレポートを行う送信部と、
前記第２の設定がなされる場合、ＰＤＳＣＨが配置されないリソースエレメントを決定し、前記リソースエレメントを除いた前記ＰＤＳＣＨを受信する受信部と、
前記第３の設定がなされる場合、ＣＳＩ−ＲＳに関するリソースを用いて参照信号受信電力（ＲＳＲＰ）の測定を行うチャネル測定部と、
を備え、
前記第３の設定は、１又は複数の組を含み、前記組のそれぞれは測定が行われるサブフレームに関連した情報と、前記ＣＳＩ−ＲＳの電力に関連した情報とを含む
ことを特徴とする端末。
【請求項２】
前記ＣＳＩ−ＲＳに関する設定には、少なくともリソースに関する設定が含まれる
請求項１記載の端末。
【請求項３】
前記チャネル測定部は、
前記第３の設定がなされる場合、接続していないセルからのセル固有参照信号（ＣＲＳ
）に基づいてＲＳＲＰを測定する
請求項１または請求項２記載の端末。
【請求項４】
前記チャネル測定部は、
前記第３の設定に含まれるセルＩＤに基づいて前記接続していないセルを識別する
請求項３記載の端末。
【請求項５】
前記第１の設定は、アンテナポートの数に関する情報と、前記ＣＳＩ−ＲＳのリソース
エレメントに関連した情報と、前記ＣＳＩ−ＲＳの測定に係るサブフレームに関連した情
報と、前記ＣＳＩ−ＲＳと前記ＰＤＳＣＨとの間の電力比に関連した情報と、を含み、
前記第２の設定は、ゼロ送信電力ＣＳＩ−ＲＳのリソースエレメントに関連した情報と
、ゼロ送信電力ＣＳＩ−ＲＳのサブフレームに関連した情報と、を含む、
請求項１から請求項４のいずれか一項に記載の端末。
【請求項６】
端末に用いられる通信方法であり、
伝搬路状況情報のレポートに関する設定を含む第１の設定と、物理下りリンク共用チャネル（ＰＤＳＣＨ）の配置に関する設定を含む第２の設定と、参照信号受信電力（ＲＳＲＰ）の測定に関する設定を含む第３の設定とを設定する上位層処理部と、
前記第１の設定がなされる場合、伝搬路状況測定用参照信号（ＣＳＩ−ＲＳ）に関する伝搬路状況を測定して得られる伝搬路状況情報のレポートを行うステップと、
前記第２の設定がなされる場合、ＰＤＳＣＨが配置されないリソースエレメントを決定し、前記リソースエレメントを除いた前記ＰＤＳＣＨを受信するステップと、
前記第３の設定がなされる場合、ＣＳＩ−ＲＳに関するリソースを用いて参照信号受信電力（ＲＳＲＰ）の測定を行うステップと、
を有し、
前記第３の設定は、１又は複数の組を含み、前記組のそれぞれは測定が行われるサブフレームに関連した情報と、前記ＣＳＩ−ＲＳの電力に関連した情報とを含む
ことを特徴とする通信方法。
【請求項７】
伝搬路状況情報のレポートに関する設定を含む第１の設定と、物理下りリンク共用チャネル（ＰＤＳＣＨ）の配置に関する設定を含む第２の設定と、参照信号受信電力（ＲＳＲＰ）の測定に関する設定を含む第３の設定とを設定する上位層処理部と、
前記第１の設定がなされる場合、伝搬路状況測定用参照信号（ＣＳＩ−ＲＳ）に関する伝搬路状況を測定して得られる伝搬路状況情報のレポートを受信する受信部と、
前記第２の設定がなされる場合、ＰＤＳＣＨが配置されないリソースエレメントを決定し、前記リソースエレメントを除いた前記ＰＤＳＣＨを送信する送信部と、
を備え、
前記受信部は、
前記第３の設定がなされる場合、ＣＳＩ−ＲＳに関するリソースを用いて測定された参照信号受信電力（ＲＳＲＰ）の測定レポートを受信し、
前記第３の設定は、１又は複数の組を含み、前記組のそれぞれは測定が行われるサブフレームに関連した情報と、前記ＣＳＩ−ＲＳの電力に関連した情報とを含む
ことを特徴とする基地局。
【請求項８】
基地局に用いられる通信方法であり、
伝搬路状況情報のレポートに関する設定を含む第１の設定と、物理下りリンク共用チャネル（ＰＤＳＣＨ）の配置に関する設定を含む第２の設定と、参照信号受信電力（ＲＳＲＰ）の測定に関する設定を含む第３の設定とを設定するステップと、
前記第１の設定がなされる場合、伝搬路状況測定用参照信号（ＣＳＩ−ＲＳ）に関する伝搬路状況を測定して得られる伝搬路状況情報のレポートを受信するステップと、
前記第２の設定がなされる場合、ＰＤＳＣＨが配置されないリソースエレメントを決定し、前記リソースエレメントを除いた前記ＰＤＳＣＨを送信するステップと、
前記第３の設定がなされる場合、前記第３の設定に前記ＣＳＩ−ＲＳに関する設定が含まれる場合、ＣＳＩ−ＲＳに関するリソースを用いて測定された参照信号受信電力（ＲＳＲＰ）の測定レポートを受信するステップと、を有し、
前記第３の設定は、１又は複数の組を含み、前記組のそれぞれは測定が行われるサブフレームに関連した情報と、前記ＣＳＩ−ＲＳの電力に関連した情報とを含む
ことを特徴とする通信方法。
【発明の詳細な説明】
【技術分野】
【０００１】
本発明は、基地局、端末および通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（セル、送信局、送信装置、ｅＮｏｄｅＢ）および端末（移動端末、受信局、移動局、受信装置、ＵＥ（Ｕｓｅｒ  Ｅｑｕｉｐｍｅｎｔ））は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。
【０００３】
その無線通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行う。例えば、基地局は、端末に対して、リソースの割り当て情報、データ信号の変調および符号化情報、データ信号の空間多重数情報、送信電力制御情報等を通知することにより、データ通信を実現する。そのような制御情報は、非特許文献１に記載された方法を用いることができる。
【０００４】
また、下りリンクにおけるＭＩＭＯ技術を用いた通信方法は、様々な方法を用いることができ、例えば、同一のリソースを異なる端末に割り当てるマルチユーザＭＩＭＯ方式や、複数の基地局が互いに協調してデータ通信を行うＣｏＭＰ（Ｃｏｏｐｅｒａｔｉｖｅ  Ｍｕｌｔｉｐｏｉｎｔ、Ｃｏｏｒｄｉｎａｔｅｄ  Ｍｕｌｔｉｐｏｉｎｔ）方式等を用いることができる。
【０００５】
図３４は、マルチユーザＭＩＭＯ方式を行う一例を示す図である。図３４では、基地局３４０１は、下りリンク３４０４を通じて端末３４０２にデータ通信を行い、下りリンク３４０５を通じて端末３４０３にデータ通信を行う。このとき、端末３４０２および端末３４０３は、マルチユーザＭＩＭＯによるデータ通信を行う。下りリンク３４０４および下りリンク３４０５では、同一のリソースが用いられる。リソースは周波数方向および時間方向のリソースから構成される。また、基地局３４０１はプレコーディング技術等を用い、下りリンク３４０４および下りリンク３４０５のそれぞれに対してビームを制御することにより、互いに直交性の維持または同一チャネル干渉の低減を行う。これにより、基地局３４０１は、端末３４０２および端末３４０３に対して、同一のリソースを用いたデータ通信を実現できる。
【０００６】
図３５は、下りリンクＣｏＭＰ方式を行う一例を示す図である。図３５では、カバレッジの広いマクロ基地局３５０１と、そのマクロ基地局３５０１よりもカバレッジの狭いＲＲＨ（Ｒｅｍｏｔｅ  Ｒａｄｉｏ  Ｈｅａｄ）３５０２とにより、ヘテロジーニアスネットワーク構成を用いた無線通信システムを構築する場合を示す。ここで、マクロ基地局３５０１のカバレッジは、ＲＲＨ３５０２のカバレッジの一部または全部を含んで構成する場合を考える。図３５に示す例では、マクロ基地局３５０１、ＲＲＨ３５０２によりヘテロジーニアスネットワーク構成を構築し、互いに協調して、それぞれ下りリンク３５０５および下りリンク３５０６を通じて、端末３５０４に対するデータ通信を行う。マクロ基地局３５０１は、回線３５０３を通じてＲＲＨ３５０２と接続しており、ＲＲＨ３５０２と制御信号やデータ信号を送受信することができる。回線３５０３は、光ファイバ等の有線回線やリレー技術を用いた無線回線を用いることができる。このとき、マクロ基地局３５０１およびＲＲＨ３５０２がそれぞれ一部または全部が同一の周波数（リソース）を用いることで、マクロ基地局３５０１が構築するカバレッジのエリア内の総合的な周波数利用効率（伝送容量）が向上できる。
【０００７】
端末３５０４は、基地局３５０１またはＲＲＨ３５０２の付近に位置している場合、基地局３５０１またはＲＲＨ３５０２とシングルセル通信することができる。さらに、端末３５０４は、ＲＲＨ３５０２が構築するカバレッジの端付近（セルエッジ）に位置する場合、マクロ基地局３５０１からの同一チャネル干渉に対する対策が必要になる。マクロ基地局３５０１とＲＲＨ３５０２とのマルチセル通信（協調通信）として、マクロ基地局３５０１とＲＲＨ３５０２とが互いに協調するＣｏＭＰ方式を用いることにより、セルエッジ領域の端末３５０４に対する干渉を軽減または抑圧する方法が検討されている。例えば、そのようなＣｏＭＰ方式として、非特許文献２に記載された方法が検討されている。
【０００８】
図３６は、上りリンクＣｏＭＰ方式を行う一例を示す図である。図３６では、カバレッジの広いマクロ基地局３６０１と、そのマクロ基地局よりもカバレッジの狭いＲＲＨ（Ｒｅｍｏｔｅ  Ｒａｄｉｏ  Ｈｅａｄ）３６０２とにより、ヘテロジーニアスネットワーク構成を用いた無線通信システムを構築する場合を示す。ここで、マクロ基地局３６０１のカバレッジは、ＲＲＨ３６０２のカバレッジの一部または全部を含んで構成する場合を考える。図３６に示す例では、マクロ基地局３６０１とＲＲＨ３６０２とによりヘテロジーニアスネットワーク構成を構築し、互いに協調して、それぞれ上りリンク３６０５および上りリンク３６０６を通じて、端末３６０４に対するデータ通信を行う。マクロ基地局３６０１は、回線３６０３を通じてＲＲＨ３６０２と接続しており、ＲＲＨ３６０２と受信信号や制御信号やデータ信号を送受信することができる。回線３６０３は、光ファイバ等の有線回線やリレー技術を用いた無線回線を用いることができる。このとき、マクロ基地局３６０１およびＲＲＨ３６０２がそれぞれ一部または全部が同一の周波数（リソース）を用いることで、マクロ基地局３６０１が構築するカバレッジのエリア内の総合的な周波数利用効率（伝送容量）が向上できる。
【０００９】
端末３６０４は、基地局３６０１またはＲＲＨ３６０２の付近に位置している場合、基地局３６０１またはＲＲＨ３６０２とシングルセル通信することができる。この場合、端末３６０４が基地局３６０１付近に位置している場合には、基地局３６０１は上りリンク３６０５を通じて受信された信号を受信、復調する。もしくは、端末３６０４がＲＲＨ３６０２付近に位置している場合には、ＲＲＨ３６０２は上りリンク３６０６を通じて受信された信号を受信、復調する。さらに、端末３６０４が、ＲＲＨ３６０２が構築するカバレッジの端付近（セルエッジ）もしくは基地局３６０１とＲＲＨ３６０２との中間地点付近に位置する場合、マクロ基地局３６０１は上りリンク３６０５を通じて受信された信号を受信し、ＲＲＨ３６０２は上りリンク３６０６を通じて受信された信号を受信した後、マクロ基地局３６０１とＲＲＨ３６０２は回線３６０３を通じてこれら端末３６０４から受信された信号の送受信を行い、端末３６０４から受信された信号の合成を行い、合成信号の復調を行う。これらの処理により、データ通信の特性改善が期待される。これが合成受信（Ｊｏｉｎｔ  Ｒｅｃｅｐｔｉｏｎ）と呼ばれる方法であり、上りリンクマルチセル（マルチポイント）通信（協調通信）として、マクロ基地局３６０１とＲＲＨ３６０２間で互いに協調するＣｏＭＰ方式を用いることにより、セルエッジ領域、もしくはマクロ基地局３６０１とＲＲＨ３６０２との中間付近の領域でのデータ通信の特性改善が可能となる。
【先行技術文献】
【非特許文献】
【００１０】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １０）、２０１１年３月、３ＧＰＰ  ＴＳ  ３６．２１２  Ｖ１０．１．０  （２０１１−０３）。
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  ９）、２０１０年３月、３ＧＰＰ  ＴＲ  ３６．８１４  Ｖ９．０．０  （２０１０−０３）。
【発明の概要】
【発明が解決しようとする課題】
【００１１】
しかしながら、ＣｏＭＰ方式のような協調通信を行うことができる無線通信システムにおいて、端末が送信する信号が、基地局、ＲＲＨ、もしくは基地局とＲＲＨ双方のいずれにおいて受信されるかによって、適切な上りリンク送信電力が異なってくる。例えば、不要に強い電力で信号が送信されれば他の基地局への干渉が大きくなり、弱い電力で信号が送信されれば適切な受信品質が維持できなくなり、システム全体のスループットの低下を招くことがある。また下りリンク送信においても端末が受信する信号が、基地局、ＲＲＨ、もしくは基地局とＲＲＨ双方のいずれかから適切に送信が行えれば、システム全体のスループットの向上が見込める。
【００１２】
本発明は、上記問題を鑑みてなされたものであり、その目的は、基地局と端末が通信する無線通信システムにおいて、端末が適切な上りリンク送信電力の設定を行えるよう、下りリンク受信電力の測定及び適切な上りリンク送信電力の設定が可能となる基地局、端末および通信方法を提供することにある。
【課題を解決するための手段】
【００１３】
（１）この発明は上述した課題を解決するためになされたもので、本発明の一態様による通信システムは、基地局と端末との間で通信を行う通信システムであって、前記基地局が、チャネル状況報告のための測定対象を設定する第１の参照信号設定を前記端末毎に設定する手段と、前記基地局が、前記端末がデータ復調時にデータの復調から除外するリソースエレメントを指定する第２の参照信号設定を前記端末毎に設定する手段と、前記基地局が、前記端末が参照信号の受信電力を測定するための測定対象を設定する第３の参照信号設定を前記端末毎に設定する手段と、前記端末が、前記基地局により設定された情報を受信する手段と、を含むことを特徴とする。
【００１４】
（２）また、本発明の一態様による通信システムは、上記の通信システムであって、前記第１の参照信号設定には、測定を行うリソースエレメントに関連した情報と、測定を行うサブフレームに関連した情報と、下りリンク共用チャネルと参照信号の電力比に関連した情報とが含まれることを特徴とする。
【００１５】
（３）また、本発明の一態様による通信システムは、上記の通信システムであって、前記第２の参照信号設定には、除外を行うリソースエレメントに関連した情報と、除外を行うサブフレームに関連した情報とが含まれることを特徴とする。
【００１６】
（４）また、本発明の一態様による通信システムは、上記の通信システムであって、前記第３の参照信号設定には、測定を行うリソースエレメントに関連した情報と、測定を行うサブフレームに関連した情報と、下りリンク共用チャネルと参照信号の電力比に関連した情報との組が１つもしくは複数含まれることを特徴とする。
【００１７】
（５）また、本発明の一態様による通信システムは、上記の通信システムであって、前記第３の参照信号設定には、伝送路測定用参照信号のアンテナポートに関連付けられたインデックスが１つもしくは複数含まれることを特徴とする。
【００１８】
（６）また、本発明の一態様による通信システムは、上記の通信システムであって、前記第３の参照信号設定により指定された測定対象となる参照信号が配置されるリソースエレメントの少なくとも一部は、前記第１の参照信号設定により指定された測定対象となる参照信号が配置されるリソースエレメントに含まれないことを特徴とする。
【００１９】
（７）また、本発明の一態様による通信システムは、上記の通信システムであって、前記第３の参照信号設定により指定された測定対象のうち、前記基地局により指定された１つもしくは複数の測定対象に基づいて求められた１つのパスロス値を用いて、上りリンク送信信号電力の設定を行う手段をさらに有することを特徴とする。
【００２０】
（８）また、本発明の一態様による通信システムは、上記の通信システムであって、前記第３の参照信号設定により設定された測定対象に基づいて算出された受信電力を前記端末から前記基地局に報告する手段をさらに有することを特徴とする。
【００２１】
（９）また、本発明の一態様による端末は、基地局と通信を行う端末であって、前記基地局により設定された第１の参照信号設定に基づいて、伝送路状況を基地局に報告する手段と、前記基地局により設定された第２の参照信号設定に基づいて、データ復調時にデータの復調から除外するリソースエレメントを決定し、データの復調を行う手段と、前記基地局により設定された第３の参照信号設定に基づいて、参照信号の受信電力を測定する手段と、を有することを特徴とする。
【００２２】
（１０）また、本発明の一態様による端末は、上記の端末であって、前記第１の参照信号設定には、測定を行うリソースエレメントに関連した情報と、測定を行うサブフレームに関連した情報と、下りリンク共用チャネルと参照信号の電力比に関連した情報とが含まれることを特徴とする。
【００２３】
（１１）また、本発明の一態様による端末は、上記の端末であって、前記第２の参照信号設定には、除外を行うリソースエレメントに関連した情報と、除外を行うサブフレームに関連した情報とが含まれることを特徴とする。
【００２４】
（１２）また、本発明の一態様による端末は、上記の端末であって、前記第３の参照信号設定には、測定を行うリソースエレメントに関連した情報と、測定を行うサブフレームに関連した情報と、下りリンク共用チャネルと参照信号の電力比に関連した情報との組が１つもしくは複数含まれることを特徴とする。
【００２５】
（１３）また、本発明の一態様による端末は、上記の端末であって、前記第３の参照信号設定には、伝送路測定用参照信号のアンテナポートに関連付けられたインデックスが１つもしくは複数含まれることを特徴とする。
【００２６】
（１４）また、本発明の一態様による端末は、上記の端末であって、前記第３の参照信号設定により指定された測定対象となる参照信号が配置されるリソースエレメントの少なくとも一部は、前記第１の参照信号設定により指定された測定対象となる参照信号が配置されるリソースエレメントに含まれないことを特徴とする。
【００２７】
（１５）また、本発明の一態様による端末は、上記の端末であって、前記第３の参照信号設定により指定された測定対象のうち、前記基地局により指定された１つもしくは複数の測定対象に基づいて求められた１つのパスロス値を用いて、上りリンク送信信号電力の設定を行う手段をさらに有することを特徴とする。
【００２８】
（１６）また、本発明の一態様による端末は、上記の端末であって、前記第３の参照信号設定により指定された測定対象に基づいて算出された受信電力を前記基地局に報告する手段をさらに有することを特徴とする。
【００２９】
（１７）また、本発明の一態様による基地局は、端末と通信を行う基地局であって、前記端末毎に第１の参照信号設定を設定し、前記第１の参照信号設定に基づいてチャネル状況報告を受信する手段と、前記端末毎に第２の参照信号設定を設定し、前記第２の参照信号設定に基づいて前記端末がデータ復調時にデータの復調から除外するリソースエレメントを指定する手段と、前記端末毎に第３の参照信号設定を設定し、前記第２の参照信号設定に基づいた参照信号の受信電力の測定を指示する手段と、を有することを特徴とする。
【００３０】
（１８）また、本発明の一態様による基地局は、上記の基地局であって、前記第１の参照信号設定には、測定を行うリソースエレメントに関連した情報と、測定を行うサブフレームに関連した情報と、下りリンク共用チャネルと参照信号の電力比に関連した情報とが含まれることを特徴とする。
【００３１】
（１９）また、本発明の一態様による基地局は、上記の基地局であって、前記第２の参照信号設定には、除外を行うリソースエレメントに関連した情報と、除外を行うサブフレームに関連した情報とが含まれることを特徴とする。
【００３２】
（２０）また、本発明の一態様による基地局は、上記の基地局であって、前記第３の参照信号設定には、測定を行うリソースエレメントに関連した情報と、測定を行うサブフレームに関連した情報と、下りリンク共用チャネルと参照信号の電力比に関連した情報との組が１つもしくは複数含まれることを特徴とする。
【００３３】
（２１）また、本発明の一態様による基地局は、上記の基地局であって、前記第３の参照信号設定には、伝送路測定用参照信号のアンテナポートに関連付けられたインデックスが１つもしくは複数含まれることを特徴とする。
【００３４】
（２２）また、本発明の一態様による基地局は、上記の基地局であって、前記第３の参照信号設定により指定された測定対象となる参照信号が配置されるリソースエレメントの少なくとも一部は、前記第１の参照信号設定により指定された測定対象となる参照信号が配置されるリソースエレメントに含まれないことを特徴とする。
【００３５】
このことにより、基地局は端末に対して用途に応じて適切に参照信号設定を行うことができる。
【発明の効果】
【００３６】
この発明によれば、基地局と端末が通信する無線通信システムにおいて、端末が下りリンク受信電力の測定及び適切な上りリンク送信電力の設定を行うことができる。
【図面の簡単な説明】
【００３７】
【図１】本発明の第１の実施形態に係るデータ伝送を行う通信システムを示す概略図である。
【図２】基地局１０１がマッピングする１つのリソースブロックペアの一例を示す図である。
【図３】基地局１０１がマッピングする１つのリソースブロックペアの別の一例を示す図である。
【図４】本発明の第１の実施形態にかかわる端末の上りリンク信号の送信処理の詳細を示すシーケンスフローチャートである。
【図５】本発明の第１の実施形態に係る基地局１０１の構成を示す概略ブロック図である。
【図６】本発明の第１の実施形態に係る端末１０２の構成を示す概略ブロック図である。
【図７】基地局１０１がマッピングするチャネルの一例を示す図である。
【図８】伝送路状況測定用参照信号設定の詳細を示す図である。
【図９】図４  ステップ４０３における第２の測定対象設定に関するパラメータの詳細の一例を示す図である。
【図１０】図４  ステップ４０３における第２の測定対象設定に関するパラメータの詳細の別の一例を示す図である。
【図１１】ＣＳＩ-ＲＳ測定設定の詳細の一例を示す図である。
【図１２】ＣＳＩ-ＲＳ測定設定の詳細の別の一例を示す図である。
【図１３】図４  ステップ４０３における第３の測定対象設定および報告設定の詳細を示す図である。
【図１４】第３の測定対象設定の詳細の一例を示す図である。
【図１５】測定オブジェクトＥＵＴＲＡの詳細を示す図である。
【図１６】図４  ステップ４０３における第２の測定対象設定および報告設定の詳細を示す図である。
【図１７】第２の報告設定の詳細を示す図である。
【図１８】レポート設定の一例を示す図である。
【図１９】測定レポートの詳細を示す図である。
【図２０】ＥＵＴＲＡ測定結果リストの詳細を示す図である。
【図２１】第２の測定レポートの詳細を示す図である。
【図２２】上りリンク電力制御に関するパラメータの設定の詳細の一例を示す図である。
【図２３】上りリンク電力制御に関するパラメータの設定の詳細の別の一例を示す図である。
【図２４】パスロス参照リソースの詳細を示す図である。
【図２５】端末１０２が上りリンクグラントを検出したタイミングによるパスロス参照リソースの詳細を示す図である。
【図２６】端末１０２が上りリンクグラントを検出する制御チャネル領域によるパスロス参照リソースの詳細を示す図である。
【図２７】本願の本実施形態における第２の上りリンク電力制御に関するパラメータの設定の一例を示す図である。
【図２８】各無線リソース設定に含まれる第１の上りリンク電力制御に関するパラメータの設定と第２の上りリンク電力制御に関するパラメータの設定の一例を示す図である。
【図２９】第２のセル固有上りリンク電力制御に関するパラメータの設定の一例を示す図である。
【図３０】第１の端末固有上りリンク電力制御に関するパラメータの設定と第２の端末固有上りリンク電力制御に関するパラメータの設定の一例を示す図である。
【図３１】パスロス参照リソースの一例を示す図である。
【図３２】パスロス参照リソースの別の一例（別例１）を示す図である。
【図３３】パスロス参照リソースの別の一例（別例２）を示す図である。
【図３４】マルチユーザＭＩＭＯ方式を行う一例を示す図である。
【図３５】下りリンクＣｏＭＰ方式を行う一例を示す図である。
【図３６】上りリンクＣｏＭＰ方式を行う一例を示す図である。
【発明を実施するための形態】
【００３８】
（第１の実施形態）
以下、本発明の第１の実施形態について説明する。本第１の実施形態における通信システムは、マクロ基地局（基地局、送信装置、セル、送信点、送信アンテナ群、送信アンテナポート群、受信アンテナポート群、コンポーネントキャリア、ｅＮｏｄｅＢ）、ＲＲＨ（Ｒｅｍｏｔｅ  Ｒａｄｉｏ  Ｈｅａｄ、リモートアンテナ、分散アンテナ、基地局、送信装置、セル、送信点、送信アンテナ群、送信アンテナポート群、コンポーネントキャリア、ｅＮｏｄｅＢ）および端末（端末装置、移動端末、受信点、受信端末、受信装置、第３の通信装置、送信アンテナポート群、受信アンテナ群、受信アンテナポート群、ＵＥ）を備える。
【００３９】
図１は、本発明の第１の実施形態に係るデータ伝送を行う通信システムを示す概略図である。図１では、基地局（マクロ基地局）１０１は、端末１０２とデータ通信を行うため、下りリンク１０５および上りリンク１０６を通じて、制御情報および情報データを送受信する。同様にＲＲＨ１０３は、端末１０２とデータ通信を行うため、下りリンク１０７および上りリンク１０８を通じて、制御情報および情報データを送受信する。回線１０４は、光ファイバ等の有線回線やリレー技術を用いた無線回線を用いることができる。このとき、マクロ基地局１０１およびＲＲＨ１０３がそれぞれ一部または全部が同一の周波数（リソース）を用いることで、マクロ基地局１０１が構築するカバレッジのエリア内の総合的な周波数利用効率（伝送容量）が向上できる。この様な隣接局間（例えば、マクロ基地局−ＲＲＨ間）で同一の周波数を用いて構築されるネットワークのことを単一周波数ネットワーク（ＳＦＮ；Ｓｉｎｇｌｅ  Ｆｒｅｑｕｅｎｃｙ  Ｎｅｔｗｏｒｋ）と呼ぶ。また図１において基地局１０１からセルＩＤが通知され、後述するセル固有参照信号（ＣＲＳ；Ｃｅｌｌ−ｓｐｅｃｉｆｉｃ  Ｒｅｆｅｒｅｎｃｅ  Ｓｉｇｎａｌ）や端末固有参照信号（ＤＬ  ＤＭＲＳ；Ｄｅｍｏｄｕｌａｔｉｏｎ  Ｒｅｆｅｒｅｎｃｅ  Ｓｉｇｎａｌ，ＵＥ−ＲＳ；ＵＥ−ｓｐｅｃｉｆｉｃ  Ｒｅｆｅｒｅｎｃｅ  Ｓｉｇｎａｌ）に利用される。またＲＲＨ１０３からもセルＩＤを通知することができる。ＲＲＨ１０３から通知されるセルＩＤは基地局１０１から通知されるものと同じ場合もあるし、異なる場合もある。なお以降で示す基地局１０１は図1で示す基地局１０１およびＲＲＨ１０３のことを指し示す場合がある。なお以降で示す基地局１０１およびＲＲＨ１０３間での説明は、マクロ基地局間、ＲＲＨ間のことを指し示してもかまわない。
【００４０】
図２は、基地局１０１およびまたはＲＲＨ１０３が下りリンク１０５もしくは下りリンク１０７を通してマッピングする１つのリソースブロックペアの一例を示す図である。図２は、２つのリソースブロック（リソースブロックペア）を表しており、１つのリソースブロックは周波数方向に１２のサブキャリアと時間方向に７のＯＦＤＭシンボルで構成される。１つのＯＦＤＭシンボルのうち、それぞれのサブキャリアをリソースエレメント（ＲＥ；Ｒｅｓｏｕｒｃｅ  Ｅｌｅｍｅｎｔ）と呼ぶ。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼ばれる。また、リソースブロックペアの時間方向は、サブフレームと呼ばれる。それぞれのサブフレームのうち、時間方向に前後の７つのＯＦＤＭシンボルをそれぞれスロットとも呼ぶ。また、以下の説明では、リソースブロックペアは、単にリソースブロック（ＲＢ；Ｒｅｓｏｕｒｃｅ  Ｂｌｏｃｋ）とも呼ばれる。
【００４１】
網掛けしたリソースエレメントのうち、Ｒ０〜Ｒ１は、それぞれアンテナポート０〜１のセル固有参照信号（ＣＲＳ）を示す。ここで、図２に示すセル固有参照信号は、２つのアンテナポートの場合であるが、その数を変えることができ、例えば、１つのアンテナポートや４つのアンテナポートに対するセル固有参照信号をマッピングすることができる。また、セル固有参照信号は、最大４つのアンテナポート（アンテナポート０〜３）に設定できる。
【００４２】
また基地局１０１およびＲＲＨ１０３はそれぞれ異なるリソースエレメントに上記Ｒ０〜Ｒ１を割り当てる場合もあるし、同じリソースエレメントに上記Ｒ０〜Ｒ１を割り当てる場合もある。例えば、基地局１０１およびＲＲＨ１０３はそれぞれ異なるリソースエレメントおよび、または異なる信号系列に上記Ｒ０〜Ｒ１を割り当てる場合には、端末１０２はセル固有参照信号を用いてそれぞれの受信電力（受信信号電力）を個別に算出することができる。特に、基地局１０１およびＲＲＨ１０３から通知されるセルＩＤが異なる場合には前述のような設定が可能となる。別の例では、基地局１０１のみが一部のリソースエレメントに上記Ｒ０〜Ｒ１を割り当て、ＲＲＨ１０３は何れのリソースエレメントにも上記Ｒ０〜Ｒ１を割り当てない場合がある。この場合には、端末１０２はマクロ基地局１０１の受信電力をセル固有参照信号から算出することができる。特に基地局１０１からのみセルＩＤが通知される場合には前述のような設定が可能となる。別の例では、基地局１０１およびＲＲＨ１０３が同じリソースエレメントに上記Ｒ０〜Ｒ１を割り当て、同じ系列を基地局１０１およびＲＲＨ１０３から送信した場合には、端末１０２はセル固有参照信号を用いて合成された受信電力を算出することができる。特に基地局１０１およびＲＲＨ１０３から通知されるセルＩＤが同じ場合には前述のような設定が可能となる。
【００４３】
なお、本発明の実施形態の説明では、例えば、電力を算出することは電力の値を算出することを含み、電力を計算することは電力の値を計算することを含み、電力を測定することは電力の値を測定することを含み、電力を報告することは電力の値を報告することを含む。このように、電力という表現は、適宜電力の値という意味も含まれる。
【００４４】
網掛けしたリソースエレメントのうち、Ｄ１〜Ｄ２は、それぞれＣＤＭ（Ｃｏｄｅ  Ｄｉｖｉｓｉｏｎ  Ｍｕｌｔｉｐｌｅｘｉｎｇ）グループ１〜ＣＤＭグループ２の端末固有参照信号（ＤＬ  ＤＭＲＳ，ＵＥ−ＲＳ）を示す。また、ＣＤＭグループ１およびＣＤＭグループ２の端末固有参照信号はそれぞれＷａｌｓｈ符号等の直交符号によりＣＤＭされる。また、ＣＤＭグループ１およびＣＤＭグループ２の端末固有参照信号は互いにＦＤＭ（Ｆｒｅｑｕｅｎｃｙ  Ｄｉｖｉｓｉｏｎ  Ｍｕｌｔｉｐｌｅｘｉｎｇ）される。ここで、基地局１０１は、そのリソースブロックペアにマッピングする制御信号やデータ信号に応じて、８つのアンテナポート（アンテナポート７〜１４）を用いて、端末固有参照信号を最大８ランクまでマッピングすることができる。また、基地局１０１は端末固有参照信号をマッピングするランク数に応じて、ＣＤＭの拡散符号長やマッピングされるリソースエレメントの数を変えることができる。
【００４５】
例えば、ランク数が１〜２の場合における端末固有参照信号は、アンテナポート７〜８として、２チップの拡散符号長により構成され、ＣＤＭグループ１にマッピングされる。ランク数が３〜４の場合における端末固有参照信号は、アンテナポート７〜８に加えて、アンテナポート９〜１０として、２チップの拡散符号長により構成され、ＣＤＭグループ２にさらにマッピングされる。ランク数が５〜８の場合における端末固有参照信号は、アンテナポート７〜１４として、４チップの拡散符号長により構成され、ＣＤＭグループ１およびＣＤＭグループ２にマッピングされる。
【００４６】
また、端末固有参照信号において、各アンテナポートに対応する直交符号は、スクランブル符号がさらに重畳される。このスクランブル符号は、基地局１０１から通知されるセルＩＤおよびスクランブルＩＤに基づいて生成される。例えば、スクランブル符号は、基地局１０１から通知されるセルＩＤおよびスクランブルＩＤに基づいて生成される擬似雑音系列から生成される。例えば、スクランブルＩＤは、０または１を示す値である。また、用いられるスクランブルＩＤおよびアンテナポートを示す情報は、ジョイントコーディングされ、それらを示す情報をインデックス化することもできる。
【００４７】
図２の網掛けしたリソースエレメントのうち、先頭の１〜３番目のＯＦＤＭシンボルで構成される領域は、第１の制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）が配置される領域として設定される。また、基地局１０１は、第１の制御チャネルが配置される領域に関して、サブフレーム毎にそのＯＦＤＭシンボル数を設定することができる。また、白く塗りつぶされたリソースエレメントで構成される領域は、第２の制御チャネル（Ｘ−ＰＤＣＣＨ）または共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）（物理データチャネル）が配置される領域を示す。また、基地局１０１は第２の制御チャネルまたは共用チャネルが配置される領域を、リソースブロックペア毎に設定することができる。また、第２の制御チャネルにマッピングされる制御信号や共用チャネルにマッピングされるデータ信号のランク数と、第１の制御チャネルにマッピングされる制御信号のランク数は、それぞれ異なって設定されることができる。
【００４８】
ここで、リソースブロックは、通信システムが用いる周波数帯域幅（システム帯域幅）に応じて、その数を変えられることができる。例えば、基地局１０１は、システム帯域で６〜１１０個のリソースブロックを用いることができ、その単位をコンポーネントキャリア（ＣＣ；Ｃｏｍｐｏｎｅｎｔ  Ｃａｒｒｉｅｒ，Ｃａｒｒｉｅｒ  Ｃｏｍｐｏｎｅｎｔ）とも呼ぶ。さらに、基地局１０１は、端末１０２に対して、周波数アグリゲーション（キャリアアグリゲーション）により、複数のコンポーネントキャリアを設定することもできる。例えば、基地局１０１は、端末１０２に対して、１つのコンポーネントキャリアを２０ＭＨｚで構成し、周波数方向に連続および／または非連続に、５個のコンポーネントキャリアを設定し、トータルの通信システムが用いることができる帯域幅を１００ＭＨｚにすることができる。
【００４９】
ここで、制御情報は、所定の変調方式や符号化方式を用いて、変調処理や誤り訂正符号化処理等が施され、制御信号が生成される。制御信号は、第１の制御チャネル（第１の物理制御チャネル）、あるいは第１の制御チャネルとは異なる第２の制御チャネル（第２の物理制御チャネル）を介して送受信される。ただし、ここで言う物理制御チャネルは物理チャネルの一種であり、物理フレーム上に規定される制御チャネルである。
【００５０】
なお、１つの観点から見ると、第１の制御チャネルは、セル固有参照信号と同じ送信ポート（アンテナポート）を用いる物理制御チャネルである。また、第２の制御チャネルは、端末固有参照信号と同じ送信ポートを用いる物理制御チャネルである。端末１０２は、第１の制御チャネルにマッピングされる制御信号に対して、セル固有参照信号を用いて復調し、第２の制御チャネルにマッピングされる制御信号に対して、端末固有参照信号を用いて復調する。セル固有参照信号は、セル内の全端末１０２に共通の参照信号であって、システム帯域のすべてのリソースブロックに挿入されているため、いずれの端末１０２も使用可能な参照信号である。このため、第１の制御チャネルは、いずれの端末１０２も復調可能である。一方、端末固有参照信号は、割り当てられたリソースブロックのみに挿入される参照信号であって、データ信号と同じように適応的にビームフォーミング処理を行うことができる。このため、第２の制御チャネルでは、適応的なビームフォーミングの利得を得ることができる。
【００５１】
また、異なる観点から見ると、第１の制御チャネルは、物理サブフレームの前部に位置するＯＦＤＭシンボル上の物理制御チャネルであり、これらのＯＦＤＭシンボル上のシステム帯域幅（コンポーネントキャリア（ＣＣ；Ｃｏｍｐｏｎｅｎｔ  Ｃａｒｒｉｅｒ））全域に配置されうる。また、第２の制御チャネルは、物理サブフレームの第１の制御チャネルよりも後方に位置するＯＦＤＭシンボル上の物理制御チャネルであり、これらのＯＦＤＭシンボル上のシステム帯域幅内のうち、一部の帯域に配置されうる。第１の制御チャネルは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみを監視する（モニタリングする）端末１０２も受信することができる。また、第１の制御チャネルに用いられるリソースはＣＣ全域に拡散されて配置されうるため、第１の制御チャネルに対するセル間干渉はランダム化されることができる。一方、第２の制御チャネルは、通信中の端末１０２が通常受信する共用チャネル（物理データチャネル）用の後部のＯＦＤＭシンボル上に配置される。また、基地局１０１は、第２の制御チャネルを周波数分割多重することにより、第２の制御チャネル同士あるいは第２の制御チャネルと物理データチャネルとを直交多重（干渉無しの多重）することができる。
【００５２】
また、異なる観点から見ると、第１の制御チャネルは、セル固有の物理制御チャネルであり、アイドル状態の端末１０２およびコネクト状態の端末１０２の両方が取得できる物理チャネルである。また、第２の制御チャネルは、端末固有の物理制御チャネルであり、コネクト状態の端末１０２のみが取得できる物理チャネルである。ここで、アイドル状態とは、基地局１０１がＲＲＣ（Ｒａｄｉｏ  Ｒｅｓｏｕｒｃｅ  Ｃｏｎｔｒｏｌ）の情報を蓄積してない状態（ＲＲＣ＿ＩＤＬＥ状態）など、直ちにデータの送受信を行わない状態である。一方、コネクト状態とは、端末１０２がネットワークの情報を保持している状態（ＲＲＣ＿ＣＯＮＮＥＣＴＥＤ状態）など、直ちにデータの送受信を行うことができる状態である。第１の制御チャネルは、端末固有のＲＲＣシグナリングに依存せず端末１０２が受信可能なチャネルである。第２の制御チャネルは、端末固有のＲＲＣシグナリングによって設定されるチャネルであり、端末固有のＲＲＣシグナリングによって端末１０２が受信可能なチャネルである。すなわち、第１の制御チャネルは、予め限定された設定により、いずれの端末も受信可能なチャネルであり、第２の制御チャネルは端末固有の設定変更が容易なチャネルである。
【００５３】
図３は、８アンテナポート用の伝送路状況測定用参照信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）がマッピングされたリソースブロックペアを示す図である。図３は基地局のアンテナポート数（ＣＳＩポート数）が８のときの伝送路状況測定用参照信号がマッピングされる場合を示している。また、図３は１つのサブフレーム内の２つのリソースブロックを表している。
【００５４】
図３の色付けしたリソースエレメントのうち、ＣＤＭグループ番号１〜２の端末固有参照信号（データ信号復調用参照信号）をそれぞれＤ１〜Ｄ２、ＣＤＭグループ番号１〜４の伝送路状況測定用参照信号をそれぞれＣ１〜Ｃ４と表している。さらに、それらの参照信号がマッピングされたリソースエレメント以外のリソースエレメントに、データ信号または制御信号がマッピングされる。
【００５５】
伝送路状況測定用参照信号は、それぞれのＣＤＭグループにおいて、２チップの直交符号（Ｗａｌｓｈ符号）が用いられ、それぞれの直交符号にＣＳＩポート（伝送路状況測定用参照信号のポート（アンテナポート、リソースグリッド））が割り当てられ、２ＣＳＩポート毎に符号分割多重（ＣＤＭ；Ｃｏｄｅ  Ｄｉｖｉｓｉｏｎ  Ｍｕｌｔｉｐｌｅｘｉｎｇ）される。さらに、それぞれのＣＤＭグループが周波数分割多重される。４つのＣＤＭグループを用いて、ＣＳＩポート１〜８（アンテナポート１５〜２２）の８アンテナポートの伝送路状況測定用参照信号がマッピングされる。例えば、伝送路状況測定用参照信号のＣＤＭグループＣ１では、ＣＳＩポート１および２（アンテナポート１５および１６）の伝送路状況測定用参照信号がＣＤＭされ、マッピングされる。伝送路状況測定用参照信号のＣＤＭグループＣ２では、ＣＳＩポート３および４（アンテナポート１７および１８）の伝送路状況測定用参照信号がＣＤＭされ、マッピングされる。伝送路状況測定用参照信号のＣＤＭグループＣ３では、ＣＳＩポート５および６（アンテナポート１９および２０）の伝送路状況測定用参照信号がＣＤＭされ、マッピングされる。伝送路状況測定用参照信号のＣＤＭグループＣ４では、ＣＳＩポート７および８（アンテナポート２１および２２）の伝送路状況測定用参照信号がＣＤＭされ、マッピングされる。
【００５６】
基地局１０１のアンテナポート数が８の場合、基地局１０１はデータ信号または制御信号のレイヤー数（ランク数、空間多重数、ＤＭＲＳポート数）を最大８とすることができ、例えば、データ信号のレイヤー数を２、制御信号のレイヤー数を１とすることができる。端末固有参照信号（ＤＬ  ＤＭＲＳ、ＵＥ−ＲＳ）は、それぞれのＣＤＭグループにおいて、レイヤー数に応じて、２チップまたは４チップの直交符号が用いられ、２レイヤーまたは４レイヤー毎にＣＤＭされる。さらに、端末固有参照信号のそれぞれのＣＤＭグループが周波数分割多重される。２つのＣＤＭグループを用いて、ＤＭＲＳポート１〜８（アンテナポート７〜１４）の８レイヤーの端末固有参照信号がマッピングされる。
【００５７】
また、基地局１０１は、アンテナポート数が１、２または４のときの伝送路状況測定用参照信号を送信することができる。基地局１０１は、１アンテナポート用または２アンテナポート用の伝送路状況測定用参照信号を、図３で示す伝送路状況測定用参照信号のＣＤＭグループＣ１を用いて、送信することができる。基地局１０１は、４アンテナポート用の伝送路状況測定用参照信号を、図３で示す伝送路状況測定用参照信号のＣＤＭグループＣ１、Ｃ２を用いて、送信することができる。
【００５８】
また基地局１０１およびＲＲＨ１０３はそれぞれ異なるリソースエレメントを上記Ｃ１〜Ｃ４のいずれかに割り当てる場合もあるし、同じリソースエレメントを上記Ｃ１〜Ｃ４のいずれかに割り当てる場合もある。例えば、基地局１０１およびＲＲＨ１０３はそれぞれ異なるリソースエレメントおよび、または異なる信号系列を上記Ｃ１〜Ｃ４のいずれかに割り当てる場合には、端末１０２は伝送路状況測定用参照信号を用いて、基地局１０１およびＲＲＨ１０３のそれぞれの受信電力（受信信号電力）およびそれぞれの伝搬路状態を個別に算出することができる。別の例では、基地局１０１およびＲＲＨ１０３が同じリソースエレメントを上記Ｃ１〜Ｃ４のいずれかに割り当て、同じ系列を基地局１０１およびＲＲＨ１０３から送信した場合には、端末１０２は伝送路状況測定用参照信号を用いて合成された受信電力を算出することができる。
【００５９】
続いて図４のフロチャートに、端末１０２が参照信号（セル固有参照信号、伝送路状況測定用参照信号）を測定し、基地局１０１に受信電力の報告（レポート）し、測定した結果に基づきパスロスを計算し、計算したパスロスに基づき上りリンク送信電力を計算し、計算した上りリンク送信電力にて上りリンク信号の送信を行う様子を示す。ステップ４０３では基地局１０１が参照信号の測定及び報告に関する端末１０２のパラメータ設定を行う。第２の測定対象設定、第２の報告設定および第３の測定対象設定、第３の報告設定に関するパラメータがステップ４０３で設定され得る。ここでは図示していないが、端末１０２において第１の測定対象設定はあらかじめ設定がなされており、第１の測定対象設定の測定対象（第１の測定対象）は常にアンテナポート０のセル固有参照信号、またはアンテナポート０と１のセル固有参照信号でありうる。すなわち、第１の測定対象設定はあらかじめ指定された特定の参照信号およびアンテナポートを対象とする可能性がある。一方で、基地局１０１により設定される第２の測定対象設定は伝送路状況測定用参照信号を対象とし、その測定対象となるリソース（アンテナポート）は設定可能であり得る。また、第２の測定対象となるリソースは１つであってもよいし、複数であってもよい。これらパラメータの詳細については後述する。また、基地局１０１により設定される第３の測定対象設定は、後述する通り接続されていないセルから送信される参照信号の測定のための設定が含まれ得る。例えば、第３の測定対象設定の測定対象（第３の測定対象）となる参照信号は常にアンテナポート０のセル固有参照信号、またはアンテナポート０と１のセル固有参照信号であり得る。すなわち接続されていないセルのあらかじめ指定された特定の参照信号および特定のアンテナポートを対象とする可能性がある。なお、ここで接続されていないセルとはＲＲＣによりパラメータが設定されていない状態のセルのことを意味し得る。また別の観点から述べると接続されていないセルから送信されるセル固有参照信号は、前記接続されているセルから送信されるセル固有参照信号とは別の物理ＩＤ（物理セルＩＤ）を用いて生成されうる。ここでは、基地局１０１が第３の測定対象設定により物理ＩＤ（物理セルＩＤ）やキャリア周波数（中心周波数）などを端末１０２に通知することで、端末１０２が接続していないセル（ＲＲＣパラメータが設定されていないセル）から送信されるセル固有参照信号の受信信号電力を測定することが可能となる（図１５参照）。また第２の報告設定および第３の報告設定には、端末１０２が測定結果を測定レポートにおける、トリガーとなるイベントなど送信するタイミングに関する設定などが含まれている。
【００６０】
続いてステップ４０５についての説明を行う。ステップ４０５では、端末１０２は、前述した第１の測定対象設定が行われた場合には、第１の測定対象設定により設定された第１の測定対象の参照信号の受信電力を測定し、前述した第２の測定対象設定が行われた場合には、第２の測定対象設定により設定された第２の測定対象の参照信号の受信電力を測定する。また、端末１０２は、第３の測定対象設定が行われた場合には、第３の測定対象設定により設定された第３の測定対象の参照信号の受信電力を測定する。続いてステップ４０７についての説明を行う。第１の測定レポートおよび/または第２の測定レポートに関するパラメータがステップ４０７では設定され得る。ここで、第１の測定レポートは前述した第１の測定対象設定および/または第３の測定対象設定により設定された測定対象の受信信号電力に関するものであり得る。一方で、第２の測定レポートは前述した第２の測定対象設定により設定された測定対象の受信信号電力に関するものであり得る。また前述した第２の測定レポートは、第２の測定対象設定により設定された第２の測定対象の参照信号の受信電力（ＲＳＲＰ：Ｒｅｆｅｒｅｎｃｅ  Ｓｉｇｎａｌ  Ｒｅｃｉｅｖｅｄ  Ｐｏｗｅｒ）のひとつもしくは複数の測定結果のいくつかと関連付けられる。なお、前述した第２の測定レポートには第２の測定対象のうちいずれのリソースの測定結果を報告対象とするかも設定される可能性がある。前述したいずれのリソースの測定結果を報告対象とするは、ＣＳＩポート１〜８（アンテナポート１５〜２２）に関連したインデックスで通知されても良いし、周波数時間リソースに関連したインデックスで通知されても良い。これによりステップ４０７では、前述した第１の測定レポートが設定された場合には、第１の測定対象設定および/または第３の測定対象設定により設定された第１の測定対象および/または第３の測定対象の参照信号の受信電力の測定結果が報告され、前述した第２の測定レポートが設定された場合には、第２の測定対象設定により設定された第２の測定対象の参照信号の受信電力のひとつもしくは複数の測定結果のうち少なくとも一つが報告される。なお、前述したとおり第２の測定レポートには第２の測定対象のうちいずれのリソースの測定結果を報告対象とするかも設定される可能性がある。
【００６１】
続いてステップ４０８についての説明を行う。ステップ４０８では、上りリンク電力制御に関するパラメータの設定（UplinkPowerControlやTPC Commandなど）がされ得る。このパラメータには前述した第１の測定対象設定と第１の測定レポートにより測定および報告された受信信号電力に基づく第１のパスロスか、前述した第２の測定対象設定と第２の測定レポートにより測定および報告された受信信号電力に基づく第２のパスロスのいずれかを上りリンク送信電力の計算時に用いるパスロスに使用するためのパラメータ設定が含まれ得る。これらパラメータの詳細については後述する。
【００６２】
続いてステップ４０９についての説明を行う。本ステップ４０９では、上りリンク送信電力の計算が行われる。上りリンク送信電力の計算には、基地局１０１（もしくはＲＲＨ１０３）と端末１０２間の下りリンクパスロスが用いられるが、この下りリンクパスロスはステップ４０５で測定されたセル固有参照信号の受信信号電力、すなわち第１の測定対象の測定結果、もしくは伝送路状況測定用参照信号の受信信号電力、すなわち第２の測定対象の測定結果、から算出される。なお、パスロスの算出には参照信号の送信電力も必要となるため、前述した第２の測定対象設定の中に参照信号の送信電力に関する情報が含まれ得る。従って、端末１０２では第１の測定対象設定により設定された第１の測定対象の参照信号の受信電力に基づいて求められた第１のパスロスおよび第２の測定対象設定により設定された第２の測定対象の参照信号の受信電力に基づいて求められた第２のパスロスを保持している。端末１０２は、ステップ４０３で設定された上りリンク電力制御に関するパラメータの設定に従い、前記第１および第２のパスロスのいずれかを用いて上りリンク送信電力の計算を行う。続いてステップ４１１についての説明を行う。ステップ４１１ではステップ４０９において求められた送信電力値に基づき、上りリンク信号の送信を行う。
【００６３】
図５は、本発明の基地局１０１の構成を示す概略ブロック図である。図示するように、基地局１０１は、上位層処理部５０１、制御部５０３、受信部５０５、送信部５０７、チャネル測定部５０９、および、送受信アンテナ５１１、を含んで構成される。また、上位層処理部５０１は、無線リソース制御部５０１１、ＳＲＳ設定部５０１３と送信電力設定部５０１５を含んで構成される。また、受信部５０５は、復号化部５０５１、復調部５０５３、多重分離部５０５５と無線受信部５０５７を含んで構成される。また、送信部５０７は、符号化部５０７１、変調部５０７３、多重部５０７５、無線送信部５０７７と下りリンク参照信号生成部５０７９を含んで構成される。
【００６４】
上位層処理部５０１は、パケットデータ統合プロトコル（Packet Data Convergence Protocol; PDCP）層、無線リンク制御（Radio Link Control; RLC）層、無線リソース制御（Radio Resource Control; RRC）層の処理を行う。
【００６５】
上位層処理部５０１が備える無線リソース制御部５０１１は、下りリンクの各チャネルに配置する情報を生成、又は上位ノードから取得し、送信部５０７に出力する。また、無線リソース制御部５０１１は、上りリンクの無線リソースの中から、端末１０２が上りリンクのデータ情報である物理上りリンク共用チャネルＰＵＳＣＨ（Ｐｈｙｓｉｃａｌ  Ｕｐｌｉｎｋ  Ｓｈａｒｅｄ  Ｃｈａｎｎｅｌ）を配置する無線リソースを割り当てる。また、無線リソース制御部５０１１は、下りリンクの無線リソースの中から、下りリンクのデータ情報である物理下りリンク共用チャネルＰＤＳＣＨ（Ｐｈｙｓｉｃａｌ  Ｄｏｗｎｌｉｎｋ  Ｓｈａｒｅｄ  Ｃｈａｎｎｅｌ）を配置する無線リソースを決定する。無線リソース制御部５０１１は、当該無線リソースの割り当てを示す下りリンク制御情報を生成し、送信部を介して端末１０２に送信する。無線リソース制御部５０１１は、ＰＵＳＣＨを配置する無線リソースを割り当てる際に、チャネル測定部５０９から入力された上りリンクのチャネル測定結果を基に、チャネル品質のよい無線リソースを優先的に割り当てる。
【００６６】
上位層処理部５０１は、端末１０２から物理上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）で通知された上りリンク制御情報（ＡＣＫ／ＮＡＣＫ、チャネル品質情報、スケジューリング要求）、および端末１０２から通知されたバッファの状況や無線リソース制御部５０１１が設定した端末１０２各々の各種設定情報に基づき、受信部５０５および送信部５０７の制御を行うために制御情報を生成し、制御部５０３に出力する。
【００６７】
ＳＲＳ設定部５０１３は、端末１０２がサウンディング参照信号ＳＲＳ（Ｓｏｕｎｄｉｎｇ  Ｒｅｆｅｒｅｎｃｅ  Ｓｉｇｎａｌ）を送信するための無線リソースを予約するサブフレームであるサウンディングサブフレーム、およびサウンディングサブフレーム内でＳＲＳを送信するために予約する無線リソースの帯域幅を設定し、前記設定に関する情報をシステム情報（Ｓｙｓｔｅｍ  Ｉｎｆｏｒｍａｔｉｏｎ）として生成し、送信部５０７を介して、ＰＤＳＣＨで報知送信する。また、ＳＲＳ設定部５０１３は、端末１０２各々に周期的にピリオディックＳＲＳを送信するサブフレーム、周波数帯域、およびピリオディックＳＲＳのＣＡＺＡＣ系列に用いるサイクリックシフトの量を設定し、前記設定に関する情報を含む信号を無線リソース制御信号（ＲＲＣ信号（Radio Resource Control Signal））として生成し、送信部５０７を介して、移動局装置１０２各々にＰＤＳＣＨで通知する。
【００６８】
また、ＳＲＳ設定部５０１３は、端末１０２各々にアピリオディックＳＲＳを送信する周波数帯域、およびアピリオディックＳＲＳのＣＡＺＡＣ系列に用いるサイクリックシフトの量を設定し、前記設定に関する情報を含む信号を無線リソース制御信号として生成し、送信部５０７を介して、端末１０２各々にＰＤＳＣＨで通知する。また、ＳＲＳ設定部は、端末１０２にアピリオディックＳＲＳの送信を要求する場合、端末１０２にアピリオディックＳＲＳの送信を要求していることを示すＳＲＳインディケータを生成し、送信部５０７を介して、端末１０２にＰＤＣＣＨで通知する。
【００６９】
送信電力設定部５０１５は、ＰＵＣＣＨ、ＰＵＳＣＨ、ピリオディックＳＲＳ、およびアピリオディックＳＲＳの送信電力を設定する。具体的には、送信電力設定部５０１５は、隣接する基地局からの干渉量を示す情報、隣接する基地局から通知された隣接する基地局１０１に与えている干渉量を示す情報、またチャネル測定部５０９から入力されたチャネルの品質などに応じて、ＰＵＳＣＨなどが所定のチャネル品質を満たすよう、また隣接する基地局への干渉を考慮し、端末１０２の送信電力を設定し、前記設定を示す情報を、送信部５０７を介して、端末１０２に送信する。
【００７０】
具体的には、送信電力設定部５０１５は、後述する数式（１）のＰ０＿ＰＵＳＣＨ、α、ピリオディックＳＲＳ用のＰＳＲＳ＿ＯＦＦＳＥＴ（０）（第１パラメータ（pSRS-Offset））、アピリオディックＳＲＳ用のＰＳＲＳ＿ＯＦＦＳＥＴ（１）（第２パラメータ（pSRS-OffsetAp-r10））を設定し、前記設定を示す情報を含む信号を無線リソース制御信号として生成し、送信部５０７を介して、端末１０２各々にＰＤＳＣＨで通知する。また、送信電力設定部５０１５は、数式（１）および数式（４）のｆを算出するためのＴＰＣコマンドを設定し、ＴＰＣコマンドを示す信号を生成し、送信部５０７を介して、端末１０２各々にＰＤＣＣＨで通知する。なお、ここで述べるαとはパスロス値と共に数式（１）および数式（４）での送信電力算出に用いられ、パスロスを補償する度合いを表す係数、言い換えるとパスロスに応じてどの程度電力を増減させるかを決定する係数である。αは通常０から１の値をとり、０であればパスロスに応じた電力の補償は行わず、１であればパスロスの影響が基地局１０１において生じないよう端末１０２の送信電力を増減させることとなる。
【００７１】
制御部５０３は、上位層処理部５０１からの制御情報に基づいて、受信部５０５、および送信部５０７の制御を行う制御信号を生成する。制御部５０３は、生成した制御信号を受信部５０５、および送信部５０７に出力して受信部５０５、および送信部５０７の制御を行う。
【００７２】
受信部５０５は、制御部５０３から入力された制御信号に従って、送受信アンテナ５１１を介して端末１０２から受信した受信信号を分離、復調、復号し、復号した情報を上位層処理部５０１に出力する。無線受信部５０５７は、送受信アンテナ５１１を介して受信した上りリンクの信号を、中間周波数（ＩＦ；Ｉｎｔｅｒｍｅｄｉａｔｅ  Ｆｒｅｑｕｅｎｃｙ）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部５０５７は、変換したディジタル信号からガードインターバル（Ｇｕａｒｄ  Ｉｎｔｅｒｖａｌ：ＧＩ）に相当する部分を除去する。無線受信部５０５７は、ガードインターバルを除去した信号に対して高速フーリエ変換（Ｆａｓｔ  Ｆｏｕｒｉｅｒ  Ｔｒａｎｓｆｏｒｍ；  ＦＦＴ）を行い、周波数領域の信号を抽出し多重分離部５０５５に出力する。
【００７３】
多重分離部５０５５は、無線受信部５０５７から入力された信号をＰＵＣＣＨ、ＰＵＳＣＨ、ＵＬ  ＤＭＲＳ、ＳＲＳなどの信号に、それぞれ分離する。尚、この分離は、予め基地局１０１が決定して各端末１０２に通知した無線リソースの割当情報に基づいて行われる。また、多重分離部５０５５は、チャネル測定部５０９から入力された伝搬路の推定値から、ＰＵＣＣＨとＰＵＳＣＨの伝搬路の補償を行なう。また、多重分離部５０５５は、分離したＵＬ  ＤＭＲＳおよびＳＲＳをチャネル測定部５０９に出力する。
【００７４】
復調部５０５３は、ＰＵＳＣＨを逆離散フーリエ変換（Ｉｎｖｅｒｓｅ  Ｄｉｓｃｒｅｔｅ  Ｆｏｕｒｉｅｒ  Ｔｒａｎｓｆｏｒｍ；  ＩＤＦＴ）し、変調シンボルを取得し、ＰＵＣＣＨとＰＵＳＣＨの変調シンボルそれぞれに対して、２位相偏移変調（Ｂｉｎａｒｙ  Ｐｈａｓｅ  Ｓｈｉｆｔ  Ｋｅｙｉｎｇ；  ＢＰＳＫ）、４相位相偏移変調（Ｑｕａｄｒａｔｕｒｅ  Ｐｈａｓｅ  Ｓｈｉｆｔ  Ｋｅｙｉｎｇ；  ＱＰＳＫ）、１６値直交振幅変調（１６Ｑｕａｄｒａｔｕｒｅ  Ａｍｐｌｉｔｕｄｅ  Ｍｏｄｕｌａｔｉｏｎ；  １６ＱＡＭ）、６４値直交振幅変調（６４Ｑｕａｄｒａｔｕｒｅ  Ａｍｐｌｉｔｕｄｅ  Ｍｏｄｕｌａｔｉｏｎ；６４ＱＡＭ）等の予め定められた、または基地局１０１が端末１０２各々に下りリンク制御情報で予め通知した変調方式を用いて受信信号の復調を行なう。
【００７５】
復号化部５０５１は、復調したＰＵＣＣＨとＰＵＳＣＨの符号化ビットを、予め定められた符号化方式の、予め定められた、又は基地局１０１が端末１０２に上りリンクグラント（UL grant）で予め通知した符号化率で復号を行ない、復号したデータ情報と、上りリンク制御情報を上位層処理部５０１へ出力する。
【００７６】
チャネル測定部５０９は、多重分離部５０５５から入力された上りリンク復調参照信号ＵＬ  ＤＭＲＳとＳＲＳから伝搬路の推定値、チャネルの品質などを測定し、多重分離部５０５５および上位層処理部５０１に出力する。
【００７７】
送信部５０７は、制御部５０３から入力された制御信号に従って、下りリンクの参照信号（下りリンク参照信号）を生成し、上位層処理部５０１から入力されたデータ情報、下りリンク制御情報を符号化、および変調し、ＰＤＣＣＨ、ＰＤＳＣＨ、および下りリンク参照信号を多重して、送受信アンテナ５１１を介して端末１０２に信号を送信する。
【００７８】
符号化部５０７１は、上位層処理部５０１から入力された下りリンク制御情報、およびデータ情報を、ターボ符号化、畳込み符号化、ブロック符号化等の符号化を行う。変調部５０７３は、符号化ビットをＱＰＳＫ、１６ＱＡＭ、６４ＱＡＭ等の変調方式で変調する。下りリンク参照信号生成部５０７９は、基地局１０１を識別するためのセル識別子（Ｃｅｌｌ  ＩＤ）などを基に予め定められた規則で求まる、端末１０２が既知の系列を下りリンク参照信号として生成する。多重部５０７５は、変調した各チャネルと生成した下りリンク参照信号を多重する。
【００７９】
無線送信部５０７７は、多重した変調シンボルを逆高速フーリエ変換（Ｉｎｖｅｒｓｅ  Ｆａｓｔ  Ｆｏｕｒｉｅｒ  Ｔｒａｎｓｆｏｒｍ；  ＩＦＦＴ）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ５１１に出力して送信する。なお、ここでは図示しないがＲＲＨ１０３も基地局１０１同様の構成であると考える。
【００８０】
図６は、本実施形態に係る端末１０２の構成を示す概略ブロック図である。図示するように、端末１０２は、上位層処理部６０１、制御部６０３、受信部６０５、送信部６０７、チャネル測定部６０９、および、送受信アンテナ６１１、を含んで構成される。また、上位層処理部６０１は、無線リソース制御部６０１１、ＳＲＳ制御部６０１３と送信電力制御部６０１５を含んで構成される。また、受信部６０５は、復号化部６０５１、復調部６０５３、多重分離部６０５５と無線受信部６０５７を含んで構成される。また、送信部６０７は、符号化部６０７１、変調部６０７３、多重部６０７５と無線送信部６０７７を含んで構成される。
【００８１】
上位層処理部６０１は、ユーザの操作等により生成された上りリンクのデータ情報を、送信部に出力する。また、上位層処理部６０１は、パケットデータ統合プロトコル層、無線リンク制御層、無線リソース制御層の処理を行う。
【００８２】
上位層処理部６０１が備える無線リソース制御部６０１１は、自装置の各種設定情報の管理を行なう。また、無線リソース制御部６０１１は、上りリンクの各チャネルに配置する情報を生成し、送信部６０７に出力する。無線リソース制御部６０１１は、基地局１０１からＰＤＣＣＨで通知された下りリンク制御情報、およびＰＤＳＣＨで通知された無線リソース制御情報で設定された無線リソース制御部６０１１が管理する自装置の各種設定情報に基づき、受信部６０５、および送信部６０７の制御を行うために制御情報を生成し、制御部６０３に出力する。
【００８３】
上位層処理部６０１が備えるＳＲＳ制御部６０１３は、基地局１０１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局１０１が自装置に通知したピリオディックＳＲＳを送信するサブフレームと、周波数帯域と、ピリオディックＳＲＳのＣＡＺＡＣ系列に用いるサイクリックシフトの量とを示す情報、および、基地局１０１が自装置に通知したアピリオディックＳＲＳを送信する周波数帯域と、アピリオディックＳＲＳのＣＡＺＡＣ系列に用いるサイクリックシフトの量とを示す情報を受信部６０５から取得する。
【００８４】
ＳＲＳ制御部６０１３は、前記情報に従ってＳＲＳ送信の制御を行なう。具体的には、ＳＲＳ制御部６０１３は、前記ピリオディックＳＲＳに関する情報に従ってピリオディックＳＲＳを１回または周期的に送信するよう送信部６０７を制御する。また、ＳＲＳ制御部６０１３は、受信部６０５から入力されたＳＲＳインディケータ（ＳＲＳリクエスト）においてアピリオディックＳＲＳの送信を要求された場合、前記アピリオディックＳＲＳに関する情報に従ってアピリオディックＳＲＳを予め定められた回数（例えば、１回）だけ送信する。
【００８５】
上位層処理部６０１が備える送信電力制御部６０１５は、ＰＵＣＣＨ、ＰＵＳＣＨ、ピリオディックＳＲＳ、およびアピリオディックＳＲＳの送信電力の設定を示す情報を基に、送信電力の制御を行うよう、制御部６０３に制御情報を出力する。具体的には、送信電力制御部６０１５は、受信部６０５から取得したＰ０＿ＰＵＳＣＨ、α、ピリオディックＳＲＳ用のＰＳＲＳ＿ＯＦＦＳＥＴ（０）（第１パラメータ（pSRS-Offset））、アピリオディックＳＲＳ用のＰＳＲＳ＿ＯＦＦＳＥＴ（１）（第２パラメータ（pSRS-OffsetAp-r10））、およびＴＰＣコマンドを基に、数式（４）からピリオディックＳＲＳの送信電力とアピリオディックＳＲＳの送信電力各々を制御する。尚、送信電力制御部６０１５は、ＰＳＲＳ＿ＯＦＦＳＥＴに対してピリオディックＳＲＳかアピリオディックＳＲＳかに応じてパラメータを切り替える。
【００８６】
制御部６０３は、上位層処理部６０１からの制御情報に基づいて、受信部６０５、および送信部６０７の制御を行う制御信号を生成する。制御部６０３は、生成した制御信号を受信部６０５、および送信部６０７に出力して受信部６０５、および送信部６０７の制御を行う。
【００８７】
受信部６０５は、制御部６０３から入力された制御信号に従って、送受信アンテナ６１１を介して基地局１０１から受信した受信信号を、分離、復調、復号し、復号した情報を上位層処理部６０１に出力する。
【００８８】
無線受信部６０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部６０５７は、変換したディジタル信号からガードインターバルに相当する部分を除去し、ガードインターバルを除去した信号に対して高速フーリエ変換を行い、周波数領域の信号を抽出する。
【００８９】
多重分離部６０５５は、抽出した信号を物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＤＳＣＨ、および下りリンク参照信号ＤＲＳ（Ｄｏｗｎｌｉｎｋ  Ｒｅｆｅｒｅｎｃｅ  Ｓｉｇｎａｌ）に、それぞれ分離する。尚、この分離は、下りリンク制御情報で通知された無線リソースの割り当て情報などに基づいて行われる。また、多重分離部６０５５は、チャネル測定部６０９から入力された伝搬路の推定値から、ＰＤＣＣＨとＰＤＳＣＨの伝搬路の補償を行なう。また、多重分離部６０５５は、分離した下りリンク参照信号をチャネル測定部６０９に出力する。
【００９０】
復調部６０５３は、ＰＤＣＣＨに対して、ＱＰＳＫ変調方式の復調を行ない、復号化部６０５１へ出力する。復号化部６０５１は、ＰＤＣＣＨの復号を試み、復号に成功した場合、復号した下りリンク制御情報を上位層処理部６０１に出力する。復調部６０５３は、ＰＤＳＣＨに対して、ＱＰＳＫ、１６ＱＡＭ、６４ＱＡＭ等の下りリンク制御情報で通知された変調方式の復調を行ない、復号化部６０５１へ出力する。復号化部６０５１は、下りリンク制御情報で通知された符号化率に対する復号を行い、復号したデータ情報を上位層処理部６０１へ出力する。
【００９１】
チャネル測定部６０９は、多重分離部６０５５から入力された下りリンク参照信号から下りリンクのパスロスを測定し、測定したパスロスを上位層処理部６０１へ出力する。また、チャネル測定部６０９は、下りリンク参照信号から下りリンクの伝搬路の推定値を算出し、多重分離部６０５５へ出力する。
【００９２】
送信部６０７は、制御部６０３から入力された制御信号に従って、ＵＬ  ＤＭＲＳおよび／またはＳＲＳを生成し、上位層処理部６０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ６１１を介して基地局１０１に送信する。
【００９３】
符号化部６０７１は、上位層処理部６０１から入力された上りリンク制御情報、およびデータ情報を、ターボ符号化、畳込み符号化、ブロック符号化等の符号化を行う。変調部６０７３は、符号化部６０７１から入力された符号化ビットをＢＰＳＫ、ＱＰＳＫ、１６ＱＡＭ、６４ＱＡＭ等の変調方式で変調する。
【００９４】
上りリンク参照信号生成部６０７９は、基地局１０１を識別するためのセル識別子、ＵＬ  ＤＭＲＳおよびＳＲＳを配置する帯域幅などを基に予め定められた規則で求まる、基地局１０１が既知のＣＡＺＡＣ系列を生成する。また、上りリンク参照信号生成部６０７９は、制御部６０３から入力された制御信号に従って、生成したＵＬ  ＤＭＲＳおよびＳＲＳのＣＡＺＡＣ系列にサイクリックシフトを与える。
【００９５】
多重部６０７５は、制御部６０３から入力された制御信号に従って、ＰＵＳＣＨの変調シンボルを並列に並び替えてから離散フーリエ変換（Ｄｉｓｃｒｅｔｅ  Ｆｏｕｒｉｅｒ  Ｔｒａｎｓｆｏｒｍ；  ＤＦＴ）し、ＰＵＣＣＨとＰＵＳＣＨの信号と生成したＵＬ  ＤＭＲＳおよびＳＲＳを多重する。
【００９６】
無線送信部６０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ６１１に出力して送信する。
【００９７】
図７は、基地局１０１がマッピングするチャネルの一例を示す図である。図７は、１２のリソースブロックペアで構成される周波数帯域をシステム帯域幅とする場合を示す。第１の制御チャネルであるＰＤＣＣＨは、サブフレームにおける先頭の１〜３のＯＦＤＭシンボルに配置される。第１の制御チャネルの周波数方向は、システム帯域幅に渡って配置される。また、共用チャネルは、サブフレームにおいて、第１の制御チャネル以外のＯＦＤＭシンボルに配置される。
【００９８】
ここで、ＰＤＣＣＨの構成の詳細について説明する。ＰＤＣＣＨは、複数の制御チャネルエレメント（ＣＣＥ：Ｃｏｎｔｒｏｌ  Ｃｈａｎｎｅｌ  Ｅｌｅｍｅｎｔ）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１０１の送信アンテナの数に応じた下りリンク参照信号の送信ポート数に依存する。ＣＣＥは、複数の下りリンクリソースエレメント（１つのＯＦＤＭシンボルおよび１本のサブキャリアで規定されるリソース）により構成される。
【００９９】
基地局１０１と端末１０２との間で用いられるＣＣＥには、ＣＣＥを識別するための番号が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（CCE Aggregation）により構成される。この集合を構成するＣＣＥの数を、「ＣＣＥ集合レベル」（CCE aggregation level）と称す。ＰＤＣＣＨを構成するＣＣＥ集合レベルは、ＰＤＣＣＨに設定される符号化率、ＰＤＣＣＨに含められるＤＣＩのビット数に応じて基地局１０１において設定される。なお、端末１０２に対して用いられる可能性のあるＣＣＥ集合レベルの組み合わせは予め決められている。また、ｎ個のＣＣＥからなる集合を、「ＣＣＥ集合レベルｎ」という。
【０１００】
１個のリソースエレメントグループ（ＲＥＧ；Ｒｅｓｏｕｒｃｅ  Ｅｌｅｍｅｎｔ  Ｇｒｏｕｐ）は周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【０１０１】
各端末１０２には、ＰＤＣＣＨを検索する領域ＳＳ（Search space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Ｃｅｌｌ−ｓｐｅｃｉｆｉｃ  ＳＳ）と、最も小さいＣＣＥから番号が端末固有であるＵＳＳ（ＵＥ−ｓｐｅｃｉｆｉｃ  ＳＳ）とに分類される。ＣＳＳには、システム情報あるいはページングに関する情報など、複数の端末１０２が読む制御情報が割り当てられたＰＤＣＣＨ、あるいは下位の送信方式へのフォールバックやランダムアクセスの指示を示す下りリンク／上りリンクグラントが割り当てられたＰＤＣＣＨが配置されることができる。
【０１０２】
基地局１０１は、端末１０２において設定されるＳＳ内の１個以上のＣＣＥを用いてＰＤＣＣＨを送信する。端末１０２は、ＳＳ内の１個以上のＣＣＥを用いて受信信号の復号を行ない、自身宛てのＰＤＣＣＨを検出するための処理を行なう（ブラインドデコーディングと呼称する）。端末１０２は、ＣＣＥ集合レベル毎に異なるＳＳを設定する。その後、端末１０２は、ＣＣＥ集合レベル毎に異なるＳＳ内の予め決められた組み合わせのＣＣＥを用いてブラインドデコーディングを行なう。言い換えると、端末１０２は、ＣＣＥ集合レベル毎に異なるＳＳ内の各ＰＤＣＣＨの候補に対してブラインドデコーディングを行なう。端末１０２におけるこの一連の処理をＰＤＣＣＨのモニタリングという。
【０１０３】
第２の制御チャネル（Ｘ−ＰＤＣＣＨ、ＰＤＣＣＨ  ｏｎ  ＰＤＳＣＨ、Ｅｘｔｅｎｄｅｄ  ＰＤＣＣＨ、Ｅｎｈａｎｃｅｄ  ＰＤＣＣＨ、Ｅ−ＰＤＣＣＨ）は、第１の制御チャネル以外のOFDMシンボルに配置される。第２の制御チャネルと共用チャネルは、異なるリソースブロックに配置される。また、第２の制御チャネルと共用チャネルが配置されうるリソースブロックは、端末１０２毎に設定される。また、第２の制御チャネル領域が配置され得るリソースブロックには、自装置宛または他端末宛の共用チャネル（データチャネル）が設定され得る。また、第２の制御チャネルが配置されるＯＦＤＭシンボルのスタート位置は、共用チャネルと同様の方法を用いることができる。すなわち、基地局１０１は、第１の制御チャネルの一部のリソースをＰＣＦＩＣＨ（Ｐｈｙｓｉｃａｌ  ｃｏｎｔｒｏｌ  ｆｏｒｍａｔ  ｉｎｄｉｃａｔｏｒ  ｃｈａｎｎｅｌ）として設定し、第１の制御チャネルのＯＦＤＭシンボル数を示す情報をマッピングすることで実現できる。
【０１０４】
また、第２の制御チャネルが配置されるＯＦＤＭシンボルのスタート位置は、予め規定しておき、例えば、サブフレームにおける先頭の４番目のＯＦＤＭシンボルとすることができる。そのとき、第１の制御チャネルのＯＦＤＭシンボルの数が２以下である場合、第２の制御チャネルが配置されるリソースブロックペアにおける２〜３番目のＯＦＤＭシンボルは、信号をマッピングせずにヌルとする。なお、ヌルとして設定されたリソースは、他の制御信号やデータ信号をさらにマッピングされることができる。また、第２の制御チャネルを構成するＯＦＤＭシンボルのスタート位置は、上位層の制御情報を通じて設定されることができる。また、図７に示すサブフレームは時間多重され、第２の制御チャネルはサブフレーム毎に設定できる。
【０１０５】
Ｘ−ＰＤＣＣＨを検索するためのＳＳとして、ＰＤＣＣＨと同様に複数のＣＣＥからＳＳを構成することができる。すなわち、図７に示した第２の制御チャネルの領域として設定された領域内の複数リソースエレメントからリソースエレメントグループを構成し、さらに複数のリソースエレメントからＣＣＥを構成する。これにより、上記のＰＤＣＣＨの場合と同様にＸ−ＰＤＣＣＨを検索（モニタリング）するためのＳＳを構成することができる。
【０１０６】
あるいは、Ｘ−ＰＤＣＣＨを検索するためのＳＳとして、ＰＤＣＣＨとは異なり、１つ以上のリソースブロックからＳＳを構成することができる。すなわち、図７に示した第２の制御チャネルの領域として設定された領域内のリソースブロックを単位とし、１つ以上のリソースブロックからなる集合（ＲＢ Aggregation）によりＸ−ＰＤＣＣＨを検索するためのＳＳが構成される。この集合を構成するＲＢの数を、「ＲＢ集合レベル」（ＲＢ aggregation level）と称す。最も小さいＲＢから番号の連続する複数のＲＢからＳＳは構成され、番号の連続する１つ以上のＲＢの数は予め決められている。各ＲＢ集合レベルのＳＳは、複数のＸ−ＰＤＣＣＨの候補の集合体により構成される。
【０１０７】
基地局１０１は、端末１０２において設定されるＳＳ内の１個以上のＲＢを用いてＸ−ＰＤＣＣＨを送信する。端末１０２は、ＳＳ内の１個以上のＲＢを用いて受信信号の復号を行ない、自身宛てのＸ−ＰＤＣＣＨを検出するための処理を行なう（ブラインドデコーディングする）。端末１０２は、ＲＢ集合レベル毎に異なるＳＳを設定する。その後、端末１０２は、ＲＢ集合レベル毎に異なるＳＳ内の予め決められた組み合わせのＲＢを用いてブラインドデコーディングを行なう。言い換えると、端末１０２は、ＲＢ集合レベル毎に異なるＳＳ内の各Ｘ−ＰＤＣＣＨの候補に対してブラインドデコーディングを行なう（Ｘ−ＰＤＣＣＨをモニタリングする）。
【０１０８】
基地局１０１が端末１０２に対して第２の制御チャネルを通じて制御信号を通知する場合、基地局１０１は端末１０２に対して第２の制御チャネルのモニタリングを設定し、第２の制御チャネルに端末１０２に対する制御信号をマッピングする。また、基地局１０１が端末１０２に対して第１の制御チャネルを通じて制御信号を通知する場合、基地局１０１は端末１０２に対して第２の制御チャネルのモニタリングを設定せずに、第１の制御チャネルに端末１０２に対する制御信号をマッピングする。
【０１０９】
一方、端末１０２は、基地局１０１によって第２の制御チャネルのモニタリングが設定された場合、第２の制御チャネルに対して、端末１０２宛の制御信号をブラインドデコーディングする。また、端末１０２は、基地局１０１によって第２の制御チャネルのモニタリングが設定されない場合、第２の制御チャネルに対して、端末１０２宛の制御信号をブラインドデコーディングしない。
【０１１０】
以下では、第２の制御チャネルにマッピングされる制御信号について説明する。第２の制御チャネルにマッピングされる制御信号は、１つの端末１０２に対する制御情報毎に処理され、データ信号と同様に、スクランブル処理、変調処理、レイヤーマッピング処理、プレコーディング処理等が行われる。また、第２の制御チャネルにマッピングされる制御信号は、端末固有参照信号と共に、端末１０２に固有のプレコーディング処理が行われる。そのとき、プレコーディング処理は、端末１０２に好適なプレコーディング重みにより行われることが好ましい。例えば、同一のリソースブロック内の第２の制御チャネルの信号と端末固有参照信号とに共通のプレコーディング処理が行われる。
【０１１１】
また、第２の制御チャネルにマッピングされる制御信号は、サブフレームにおける前方のスロット（第１のスロット）と後方のスロット（第２のスロット）でそれぞれ異なる制御情報を含めてマッピングされることができる。例えば、サブフレームにおける前方のスロットには、基地局１０１が端末１０２に対して送信するデータ信号の下りリンク共用チャネルにおける割り当て情報（下りリンク割り当て情報）を含む制御信号がマッピングされる。また、サブフレームにおける後方のスロットには、端末１０２が基地局１０１に対して送信するデータ信号の上りリンク共用チャネルにおける割り当て情報（上りリンク割り当て情報）を含む制御信号がマッピングされる。なお、サブフレームにおける前方のスロットには、基地局１０１が端末１０２に対する上りリンク割り当て情報を含む制御信号がマッピングされ、サブフレームにおける後方のスロットには、端末１０２が基地局１０１に対する下りリンク割り当て情報を含む制御信号がマッピングされてもよい。
【０１１２】
また、第２の制御チャネルにおける前方および／または後方のスロットには、端末１０２または他の端末１０２に対するデータ信号がマッピングされてもよい。また、第２の制御チャネルにおける前方および／または後方のスロットには、端末１０２または第２の制御チャネルが設定された端末（端末１０２を含む）に対する制御信号がマッピングされてもよい。
【０１１３】
また、第２の制御チャネルにマッピングされる制御信号には、基地局１０１によって、端末固有参照信号が多重される。端末１０２は、第２の制御チャネルにマッピングされる制御信号を、多重される端末固有参照信号によって復調処理を行う。また、アンテナポート７〜１４の一部または全部の端末固有参照信号が用いられる。そのとき、第２の制御チャネルにマッピングされる制御信号は、複数のアンテナポートを用いてＭＩＭＯ送信されることができる。
【０１１４】
例えば、第２の制御チャネルにおける端末固有参照信号は、予め規定されたアンテナポートおよびスクランブル符号を用いて送信される。具体的には、第２の制御チャネルにおける端末固有参照信号は、予め規定されたアンテナポート７およびスクランブルＩＤを用いて生成される。
【０１１５】
また、例えば、第２の制御チャネルにおける端末固有参照信号は、ＲＲＣシグナリングまたはＰＤＣＣＨシグナリングを通じて通知されるアンテナポートおよびスクランブルＩＤを用いて生成される。具体的には、第２の制御チャネルにおける端末固有参照信号に用いられるアンテナポートとして、ＲＲＣシグナリングまたはＰＤＣＣＨシグナリングを通じて、アンテナポート７またはアンテナポート８のいずれかが通知される。第２の制御チャネルにおける端末固有参照信号に用いられるスクランブルＩＤとして、ＲＲＣシグナリングまたはＰＤＣＣＨシグナリングを通じて、０〜３のいずれかの値が通知される。
【０１１６】
第１の実施形態では、基地局１０１は、端末１０２毎に第２の測定対象設定を設定する。また、端末１０２は、第１の測定対象設定を保持し、第１の測定対象設定により指定された測定対象となるセル固有参照信号の受信電力と、第２の測定対象設定により指定された測定対象となる伝送路状況測定用参照信号の受信電力と、を基地局１０１に報告する。
【０１１７】
以上本願の実施形態を用いることにより以下の効果を得ることができる。図２に示したセル固有参照信号が下りリンク１０５を用いて基地局１０１からのみ送信され、また図４  ステップ４０３において設定された第２の測定対象設定および第２の報告設定において設定された測定対象が図３に示した伝送路状況測定用参照信号であり、この測定対象では下りリンク１０７を用いてＲＲＨ１０３からのみ参照信号が送信されたと仮定する。この場合には図４  ステップ４０５におけるあらかじめ定められた第１の測定対象設定により指定された測定対象であるセル固有参照信号および基地局１０１により設定可能な第２の測定対象設定により指定された測定対象であるＲＲＨ１０３からのみ送信された伝送路状況測定用参照信号の受信信号電力を測定することにより、基地局１０１と端末１０２間の下りリンクパスロスであるパスロス１およびＲＲＨ１０３と端末１０２間の下りリンクパスロスであるパスロス２を計算することができる。つまり、２種類の上りリンク送信電力が設定できる一方で、上りリンク協調通信時には基地局１０１またはＲＲＨ１０３の一方（例えばパスロスの小さな、つまり基地局１０１およびＲＲＨ１０３の近い方）に向けて上りリンク送信電力を設定することも可能である。本願の実施形態では、基地局１０１において、前述する第１の測定対象であるセル固有参照信号および第２の測定対象であるＲＲＨ１０３からのみ送信された伝送路状況測定用参照信号の受信信号電力が報告されているため、上りリンク協調通信時において、基地局１０１は端末１０２からの上りリンク信号が上りリンク１０６を用いて基地局１０１で受信されるべきか、端末１０２からの上りリンク信号が上りリンク１０８を用いてＲＲＨ１０３で受信されるべきかが判断（判定）可能となる。これに基づいて基地局１０１は図３における上りリンク電力制御に関するパラメータの設定を行い、前述するパスロス１とパスロス２のいずれを用いるかを設定できる。
【０１１８】
また別の例では、図２に示したセル固有参照信号が下りリンク１０５および下りリンク１０６を用いて基地局１０１およびＲＲＨ１０３から送信され、また図４ステップ４０３において設定された第２の測定対象設定および第２の報告設定において測定対象が２つ設定され、設定された測定対象の双方が図３に示した伝送路状況測定用参照信号であり、この測定対象の一方では下りリンク１０５を用いて基地局１０１からのみ参照信号が送信され、他方では下りリンク１０７を用いてＲＲＨ１０３からのみ参照信号が送信されたと仮定する。この場合には図４  ステップ４０５におけるあらかじめ定められた第１の測定対象設定により指定された第１の測定対象であるセル固有参照信号および基地局１０１により設定可能な第２の測定対象設定により指定された測定対象である第２の測定対象の１つである基地局１０１からのみ送信された伝送路状況測定用参照信号の受信信号電力および第２の測定対象の１つであるＲＲＨ１０３からのみ送信された伝送路状況測定用参照信号の受信信号電力を測定することにより、基地局１０１と端末１０２間およびＲＲＨ１０３と端末１０２間の下りリンクパスロスの合成値であるパスロス１および、基地局１０１と端末１０２間およびＲＲＨ１０３と端末１０２間の下りリンクパスロス値を含むパスロス２を計算することができる。つまり、端末１０２において、２種類の上りリンク送信電力が設定できる一方で、上りリンク協調通信時には基地局１０１またはＲＲＨ１０３の一方（例えば、パスロスの小さな、つまり基地局１０１およびＲＲＨ１０３の近い方）に向けて上りリンク送信電力を設定することも可能である。本願の実施形態では、基地局１０１において、前述する第１の測定対象であるセル固有参照信号および第２の測定対象である基地局１０１からのみ送信された伝送路状況測定用参照信号の受信信号電力およびもう１つの第２の測定対象であるＲＲＨ１０３からのみ送信された伝送路状況測定用参照信号の受信信号電力が報告されているため、上りリンク協調通信時において、基地局１０１は端末１０２からの上りリンク信号が上りリンク１０６を用いて基地局１０１で受信されるべきか、端末１０２からの上りリンク信号が上りリンク１０８を用いてＲＲＨ１０３で受信されるべきかが判断可能となる。これに基づいて基地局１０１は図３における上りリンク電力制御に関するパラメータの設定を行い、前述するパスロス１と２つのパスロス２の３つのうちいずれを用いるかを設定できる。また、本願の実施形態では、端末１０２は、基地局１０１と端末１０２間およびＲＲＨ１０３と端末１０２間の下りリンクパスロスの合成値であるパスロス１を用いて上りリンク送信電力を計算することによって上りリンク協調通信に適した送信電力制御を行うことができる。また、端末１０２は、基地局１０１と端末１０２間の第２の測定対象に基づくパスロス２を用いて上りリンク送信電力を計算することによって基地局１０１と端末１０２間の通信に適した送信電力制御を行うことができる。また、端末１０２は、ＲＲＨ１０３と端末１０２間の第２の測定対象に基づくパスロス２を用いて上りリンク送信電力を計算することによってＲＲＨ１０３と端末１０２間に適した送信���力制御を行うことができる。このようにあらかじめ定められた第１の測定設定および基地局１０１により設定可能な第２の測定対象設定の双方を用いることにより、基地局１０１およびＲＲＨ１０３からの参照信号の設定（例えば基地局１０１のみからセル固有参照信号される場合や、基地局１０１およびＲＲＨ１０３の双方からセル固有参照信号される場合）に関わらず適切な上りリンク電力制御が可能となる。また本実施形態では第１の測定対象設定で指定されたセル固有参照信号の受信信号電力や第２の測定対象設定で指定された伝送路状況測定用参照信号の受信信号電力を報告することにより、基地局１０１が基地局１０１、ＲＲＨ１０３および端末１０２の位置関係（つまり期待される受信電力やパスロス）を把握する助けとなり、下りリンク協調通信時においても利点が見いだせる。例えば下りリンク１０５および１０６を用いた場合、端末１０２が受信する信号が、基地局１０１、ＲＲＨ１０３、もしくは基地局１０１とＲＲＨ１０３双方のいずれかから適切に選択され送信されれば、不要な信号送信を抑えることによりシステム全体のスループットの向上が見込める。
【０１１９】
（第２の実施形態）
以下、本発明の第２の実施形態について説明する。本実施形態では伝送路状況測定用参照信号のパラメータ設定および図４  ステップ４０３における第２の測定対象設定、第２の報告設定および第３の測定対象設定、第３の報告設定，図４  ステップ４０７における第１の測定レポートおよび第２の測定レポートに関するパラメータの詳細について説明する。また、ここでは、ＣＳＩフィードバックを算出するための第１の参照信号設定と、データ復調時にデータの復調から除外するリソースエレメントを指定する第２の参照信号設定と、受信信号電力を算出するための測定対象を設定する第３の参照信号設定との詳細についても説明する。
【０１２０】
図８では伝送路状況測定用参照信号の詳細として、第１の参照信号設定および第２の参照信号設定に関するパラメータの詳細について示している。ＣＳＩ−ＲＳ設定−ｒ１０（ＣＳＩ−ＲＳ−Ｃｏｎｆｉｇ−ｒ１０）にはＣＳＩ−ＲＳ設定、すなわち第１の参照信号設定（ｃｓｉ−ＲＳ−ｒ１０）およびゼロ送信電力ＣＳＩ-ＲＳ設定、すなわち第２の参照信号設定（ｚｅｒｏＴｘＰｏｗｅｒＣＳＩ−ＲＳ−ｒ１０）が含まれ得る。ＣＳＩ−ＲＳ設定にはアンテナポート（ａｎｔｅｎｎａＰｏｒｔｓＣｏｕｎｔ−ｒ１０）、リソース設定（ｒｅｓｏｕｒｃｅＣｏｎｆｉｇ−ｒ１０）、サブフレーム設定（ｓｕｂｆｒａｍｅＣｏｎｆｉｇ−ｒ１０）、ＰＤＳＣＨ／ＣＳＩ-ＲＳ電力設定（ｐ−Ｃ−ｒ１０）が含まれ得る。
【０１２１】
アンテナポート（ａｎｔｅｎｎａＰｏｒｔｓＣｏｕｎｔ−ｒ１０）はＣＳＩ−ＲＳ設定により確保されるアンテナポート数が設定される。一例では、アンテナポート（ａｎｔｅｎｎａＰｏｒｔｓＣｏｕｎｔ−ｒ１０）に１，２，４，８の値のいずれかが選択されることとなる。続いてリソース設定（ｒｅｓｏｕｒｃｅＣｏｎｆｉｇ−ｒ１０）では、アンテナポート１５（ＣＳＩポート１）の先頭のリソースエレメント（図２および図３で示した周波数（サブキャリア）および時間（ＯＦＤＭシンボル）で区切られる最小ブロック）の位置がインデックスにより示されている。これにより、各アンテナポートに割り当てられた伝送路状況測定用参照信号のリソースエレメントが一意に決まる。詳細は後述する。
【０１２２】
サブフレーム設定（ｓｕｂｆｒａｍｅＣｏｎｆｉｇ−ｒ１０）は、伝送路状況測定用参照信号が含まれるサブフレームの位置と周期がインデックスにより示される。例えば、サブフレーム設定（ｓｕｂｆｒａｍｅＣｏｎｆｉｇ−ｒ１０）のインデックスが５であれば、１０サブフレーム毎に伝送路状況測定用参照信号が含まれ、１０サブフレームを単位とする無線フレーム中ではサブフレーム０に伝送路状況測定用参照信号が含まれる。また、別の例では、例えばサブフレーム設定（ｓｕｂｆｒａｍｅＣｏｎｆｉｇ−ｒ１０）のインデックスが１であれば、５サブフレーム毎に伝送路状況測定用参照信号が含まれ、１０サブフレームを単位とする無線フレーム中ではサブフレーム１と６に伝送路状況測定用参照信号が含まれる。以上のように、サブフレーム設定により伝送路状況測定用参照信号が含まれるサブフレームの周期とサブフレームの位置が一意に指定されるものとする。
【０１２３】
ＰＤＳＣＨ／ＣＳＩ-ＲＳ電力設定（ｐ−Ｃ−ｒ１０）はＰＤＳＣＨと伝送路状況測定用参照信号（ＣＳＩ−ＲＳ）の電力比（ＥＰＲＥの比、Ｅｎｅｒｇｙ  Ｐｅｒ  Ｒｅｓｏｕｒｃｅ  Ｅｌｅｍｅｎｔ）であり、−８から１５ｄＢの範囲で設定されてもよい。また、ここでは図示していないが、基地局１０１は端末１０２に対して、セル固有参照信号送信電力（ｒｅｆｅｒｅｎｃｅＳｉｇｎａｌＰｏｗｅｒ）、ＰＡ，ＰＢを別途、ＲＲＣ信号を通じて通知する。ここで、ＰＡはセル固有参照信号が存在しないサブフレームにおけるＰＤＳＣＨとセル固有参照信号との送信電力の電力比を表わし、ＰＢはセル固有参照信号が存在するサブフレームにおけるＰＤＳＣＨとセル固有参照信号との送信電力の電力比を表わすインデックスである。従って、ＰＤＳＣＨ／ＣＳＩ-ＲＳ電力設定（ｐ−Ｃ−ｒ１０）、セル固有参照信号送信電力（ｒｅｆｅｒｅｎｃｅＳｉｇｎａｌＰｏｗｅｒ）、ＰＡを組み合わせることにより、端末１０２では伝送路状況測定用参照信号の送信電力を算出することができる。
【０１２４】
また、リソース設定（ｒｅｓｏｕｒｃｅＣｏｎｆｉｇ−ｒ１０）として一例を示す。リソース設定（ｒｅｓｏｕｒｃｅＣｏｎｆｉｇ−ｒ１０）は、各アンテナポートに対するＣＳＩ−ＲＳに割り当てられるリソースの位置がインデックスで示される。例えば、リソース設定（ｒｅｓｏｕｒｃｅＣｏｎｆｉｇ−ｒ１０）のインデックス０が指定された場合には、アンテナポート１５（ＣＳＩポート１）の先頭のリソースエレメントがサブキャリア番号９、サブフレーム番号５と指定される。図３に示す通りアンテナポート１５にはＣ１が割り当てられることになるので、サブキャリア番号９、サブフレーム番号６のリソースエレメントもアンテナポート１５（ＣＳＩポート１）の伝送路状況測定用参照信号として設定される。これを元に各アンテナポートのリソースエレメントも確保されることとなり、例えば１６（ＣＳＩポート２）には同じくサブキャリア番号９、サブフレーム番号５のリソースエレメントとサブキャリア番号９、サブフレーム番号６のリソースエレメントが割り当てられる。同様にアンテナポート１７、１８（ＣＳＩポート３，４）にはサブキャリア番号３、サブフレーム番号５のリソースエレメントとサブキャリア番号３、サブフレーム番号６のリソースエレメントが割り当てられる。同様にアンテナポート１９、２０（ＣＳＩポート５，６）にはサブキャリア番号８、サブフレーム番号５のリソースエレメントとサブキャリア番号８、サブフレーム番号６のリソースエレメントが割り当てられる。同様にアンテナポート２１、２２（ＣＳＩポート７，８）にはサブキャリア番号２、サブフレーム番号５のリソースエレメントとサブキャリア番号２、サブフレーム番号６のリソースエレメントが割り当てられる。リソース設定（ｒｅｓｏｕｒｃｅＣｏｎｆｉｇ−ｒ１０）に他のインデックスが指定された場合には、アンテナポート１５（ＣＳＩポート１）の先頭のリソースエレメントが異なり、これに応じて各アンテナポートに割り当てられるリソースエレメントも異なってくる。
【０１２５】
また、ゼロ送信電力ＣＳＩ-ＲＳ設定（第２の参照信号設定）にはゼロ送信電力リソース設定リスト（ｚｅｒｏＴｘＰｏｗｅｒＲｅｓｏｕｒｃｅＣｏｎｆｉｇＬｉｓｔ−ｒ１０）、ゼロ送信電力サブフレーム（ｚｅｒｏＴｘＰｏｗｅｒＳｕｂｆｒａｍｅＣｏｎｆｉｇ−ｒ１０）設定が含まれ得る。ゼロ送信電力リソース設定リストは、前述するリソース設定（ｒｅｓｏｕｒｃｅＣｏｎｆｉｇ−ｒ１０）に含まれるインデックスが、ビットマップによりひとつまたは複数指定されている。ゼロ送信電力サブフレーム設定は、前述した通り、伝送路状況測定用参照信号が含まれるサブフレームの位置と周期がインデックスにより示されている。従って、ゼロ送信電力リソース設定リストおよびゼロ送信電力サブフレーム設定を適切にすることにより、端末１０２では伝送路状況測定用参照信号のリソースとしてＰＤＳＣＨ（下りリンク共用チャネル、下りリンクデータチャネル、下りリンクデータ信号、Ｐｈｙｓｉｃａｌ  Ｄｏｗｎｌｉｎｋ  Ｓｈａｒｅｄ  Ｃｈａｎｎｅｌ）の復調時に復調処理から取り除くリソースエレメントが指定される。なお一例として、ゼロ送信電力リソース設定リストで指定されるインデックスは、アンテナポート（ａｎｔｅｎｎａＰｏｒｔｓＣｏｕｎｔ−ｒ１０）が４の場合のリソース設定（ｒｅｓｏｕｒｃｅＣｏｎｆｉｇ−ｒ１０）に対応している。言い換えると、アンテナポートが４の場合にはリソース設定（ｒｅｓｏｕｒｃｅＣｏｎｆｉｇ−ｒ１０）は１６種類のインデックスにより通知されるため、ゼロ送信電力リソース設定リストは１６ビットのビットマップにより、前述する１６種類のインデックスで示される伝送路状況測定用参照信号のリソースを通知する。例えば、ビットマップによりインデックス０と２が通知されると、インデックス０と２に相当するリソースエレメントが復調時に復調処理から取り除かれる。
【０１２６】
続いて図４  ステップ４０３における第２の測定対象設定に関するパラメータの詳細について図９で説明する。図９における参照信号測定設定、すなわち第３の参照信号設定もしくは第２の測定対象設定には参照信号測定設定―追加変更リストおよび参照信号測定設定―削除リストが含まれ得る。参照信号測定設定―追加変更リストにはＣＳＩ−ＲＳ測定インデックスおよびＣＳＩ−ＲＳ測定設定が含まれ得る。参照信号測定設定―削除リストにはＣＳＩ−ＲＳ測定インデックスが含まれ得る。ここでＣＳＩ−ＲＳ測定インデックスとＣＳＩ−ＲＳ測定設定は組合わせて設定され、１つもしくは複数の組が参照信号測定設定―追加変更リストに設定され、ここで設定されたＣＳＩ−ＲＳ測定設定が測定対象となる。ここでＣＳＩ−ＲＳ測定インデックスとは、ＣＳＩ−ＲＳ測定設定と関連付けられたインデックスであり、第３の参照信号設定により設定された複数の測定対象を区別するためのインデックスとなる。本インデックスに基づき参照信号測定設定―削除リストにより測定対象から削除されたり、後述する測定レポートにおいて測定レポートと本インデックスで指定される測定対象の関連付けが行われたりする。また、ＣＳＩ−ＲＳ測定設定に関しては図１１および図１２に後述する。
【０１２７】
別の例では図１０に示すように、参照信号測定設定―追加変更リストおよび参照信号測定設定―削除リストにおいてＣＳＩ−ＲＳアンテナポートインデックスのみを設定することも可能である。ここでＣＳＩ−ＲＳアンテナポートインデックスとは、図３で示した伝送路状況測定用参照信号のアンテナポート番号（アンテナポート１５から２２）に対応付けられたインデックスである。なお、図１０の第３の参照信号設定で設定されるＣＳＩ−ＲＳアンテナポートインデックスは図８で示した第１の参照信号設定で設定された伝送路状況測定用参照信号の一部であってもよいし、第１の参照信号設定で設定された伝送路状況測定用参照信号に含まれなくてもよい。第１の参照信号設定で設定された伝送路状況測定用参照信号に含まれない場合には、第１の参照信号設定で設定された伝送路状況測定用参照信号に仮に第３の参照信号設定で設定されるＣＳＩ−ＲＳアンテナポートインデックスが含まれていた場合の伝送路状況測定用参照信号が第３の参照信号設定の対象となる。
【０１２８】
続いて図９におけるＣＳＩ−ＲＳ測定設定の詳細について図１１および図１２で説明する。一例では、図１１に示すようにＣＳＩ-ＲＳ測定設定に測定リソース設定リスト、測定サブフレーム設定、ＰＤＳＣＨ／ＣＳＩ-ＲＳ電力設定が含まれ得る。測定リソース設定リスト、測定サブフレーム設定は図８記載のゼロ送信電力リソース設定リスト（ｚｅｒｏＴｘＰｏｗｅｒＲｅｓｏｕｒｃｅＣｏｎｆｉｇＬｉｓｔ−ｒ１０）、ゼロ送信電力サブフレーム（ｚｅｒｏＴｘＰｏｗｅｒＳｕｂｆｒａｍｅＣｏｎｆｉｇ−ｒ１０）設定と同様の設定が考えられる。また、ＰＤＳＣＨ／ＣＳＩ-ＲＳ電力設定は図８記載のＰＤＳＣＨ／ＣＳＩ-ＲＳ電力設定（ｐ−Ｃ−ｒ１０）と同様の設定が考えられる。別の例では、図１２に示すようにＣＳＩ-ＲＳ測定設定に測定リソース設定、測定サブフレーム設定、ＰＤＳＣＨ／ＣＳＩ-ＲＳ電力設定が含まれ得る。測定リソース設定、測定サブフレーム設定、ＰＤＳＣＨ／ＣＳＩ-ＲＳ電力設定は図８記載のリソース設定（ｒｅｓｏｕｒｃｅＣｏｎｆｉｇ−ｒ１０）、サブフレーム設定（ｓｕｂｆｒａｍｅＣｏｎｆｉｇ−ｒ１０）、ＰＤＳＣＨ／ＣＳＩ-ＲＳ電力設定（ｐ−Ｃ−ｒ１０）と同様の設定が考えられる。また、図１１および図１２ではＰＤＳＣＨ／ＣＳＩ-ＲＳ電力設定を想定しているが、代わりにＣＳＩ-ＲＳ送信電力（伝送路状況測定用参照信号送信電力）が通知されても構わない。
【０１２９】
続いて図４  ステップ４０３における第３の測定対象設定および第３の報告設定の詳細について図１３で説明する。一例では、ＲＲＣコネクションリコンフィグレーション（ＲＲＣＣｏｎｎｅｃｔｉｏｎＲｅｃｏｎｆｉｇｕｒａｔｉｏｎ）にＲＲＣコネクションリコンフィグレーション−ｒ８−ＩＥｓ（ＲＲＣＣｏｎｎｅｃｔｉｏｎＲｅｃｏｎｆｉｇｕｒａｔｉｏｎ−ｒ８−ＩＥｓ）が含まれ、ＲＲＣコネクションリコンフィグレーション−ｒ８−ＩＥｓには測定設定（ＭｅａｓＣｏｎｆｉｇ：  Ｍｅａｓｕｒｅｍｅｎｔ  Ｃｏｎｆｉｇ）が含まれ得る。測定設定には測定オブジェクト削除リスト（ＭｅａｓＯｂｊｅｃｔＴｏＲｅｍｏｖｅＬｉｓｔ）、測定オブジェクト追加変更リスト（ＭｅａｓＯｂｊｅｃｔＴｏＡｄｄＭｏｄＬｉｓｔ）、測定ＩＤ削除リスト、測定ＩＤ追加変更リスト、レポート設定削除リスト（ＲｅｐｏｒｔＣｏｎｆｉｇＴｏＲｅｍｏｖｅＬｉｓｔ）、レポート設定追加変更リスト（ＲｅｐｏｒｔＣｏｎｆｉｇＴｏＡｄｄＭｏｄＬｉｓｔ）が含まれ得る。図４  ステップ４０３で示した第３の測定対象設定は、測定オブジェクト削除リスト、測定オブジェクト追加変更リスト、測定ＩＤ削除リスト、測定ＩＤ追加変更リストを指し、第３の報告設定は、レポート設定削除リスト、レポート設定追加変更リストを指すものとする。また、測定ＩＤ追加変更リストには測定ＩＤ、測定オブジェクトＩＤ、レポート設定ＩＤが含まれることもあるし、測定ＩＤ削除リストには測定ＩＤが含まれることもある。なお、測定オブジェクトＩＤは後述する測定オブジェクトと関連付けられ、レポート設定ＩＤは後述するレポート設定ＩＤと関連付けられている。なお、測定オブジェクト追加変更リストには図１４に示すように、測定オブジェクトＩＤおよび測定オブジェクトが選択可能となっている。また測定オブジェクトとしては測定オブジェクトＥＵＴＲＡ、測定オブジェクトＵＴＲＡ、測定オブジェクトＧＥＲＡＮ、測定オブジェクトＣＤＭＡ２０００などから選択が可能となっている。また、例えば測定オブジェクトＥＵＴＲＡではキャリア周波数（中心周波数）などを基地局１０１が端末１０２に通知することで接続していないセル（ＲＲＣパラメータが設定されていないセル）から送信されるセル固有参照信号の受信信号電力を測定することが可能となる（図１５参照）。つまり、第３の測定対象設定および第３の報告設定により、接続していないセルのセル固有参照信号の受信信号電力が測定可能となる。また、測定オブジェクト削除リストには測定オブジェクトＩＤが含まれ、これを指定することにより測定オブジェクトからの削除が可能となる。前述する測定対象設定はＲＲＣコネクションリコンフィグレーションに含まれるため、ＲＲＣコネクションのリコンフィグレーション（ＲＲＣ  Ｃｏｎｎｅｃｔｉｏｎ  Ｒｅｃｏｎｆｉｇｕｒａｔｉｏｎ）時にＲＲＣ信号を通じて設定されることとなる。なお、前述するＲＲＣコネクションリコンフィグレーションおよびＲＲＣコネクションリコンフィグレーションに含まれる種々の情報要素・種々の設定は、ＲＲＣ信号（Dedicated signaling）を通じて端末１０２毎に設定されてもよい。なお、前述する物理設定はＲＲＣメッセージを通じて端末１０２毎に設定されて��よい。なお、前述するＲＲＣリコンフィグレーションおよびＲＲＣリエスタブリッシュメントはＲＲＣメッセージを通じて端末１０２毎に設定されてもよい。
【０１３０】
続いて図４  ステップ４０３における第２の測定対象設定および第２の報告設定の詳細について図１６で説明する。一例では、物理設定Ｄｅｄｉｃａｔｅｄ（ＰｈｙｓｉｃａｌＣｏｎｆｉｇＤｅｄｉｃａｔｅｄ）に測定設定が含まれ、測定設定には測定オブジェクト削除リスト、測定オブジェクト追加変更リスト、測定ＩＤ削除リスト、測定ＩＤ追加変更リスト、レポート設定削除リスト、レポート設定追加変更リストが含まれ得る。図４  ステップ４０３で示した第２の測定対象設定は、測定オブジェクト削除リスト、測定オブジェクト追加変更リストを指し、さらに測定ＩＤ削除リスト、測定ＩＤ追加変更リストを含んでもよい。第２の報告設定は、レポート設定削除リスト、レポート設定追加変更リストを指すものとする。また、ここで示した測定オブジェクト削除リスト、測定オブジェクト追加変更リストは、図９もしくは図１０で示した参照信号測定設定―追加変更リストおよび参照信号測定設定―削除リストと同様のものであると考える。また、図１６では端末固有の物理設定である物理設定Ｄｅｄｉｃａｔｅｄ（ＰｈｙｓｉｃａｌＣｏｎｆｉｇＤｅｄｉｃａｔｅｄ）と説明したが、セカンダリーセルに割り当てられた端末固有の物理設定であるＳＣｅｌｌ物理設定Ｄｅｄｉｃａｔｅｄ（ＰｈｙｓｉｃａｌＣｏｎｆｉｇＤｅｄｉｃａｔｅｄＳＣｅｌｌ−ｒ１１）でもよい。前述する物理設定ＤｅｄｉｃａｔｅｄはＲＲＣコネクションのリエスタブリッシュ（ＲＲＣ  Ｃｏｎｎｅｃｔｉｏｎ  Ｒｅｅｓｔａｂｌｉｓｈｍｅｎｔ）時やＲＲＣコネクションのリコンフィグレーション（ＲＲＣ  Ｃｏｎｎｅｃｔｉｏｎ  Ｒｅｃｏｎｆｉｇｒａｔｉｏｎ）時にＲＲＣ信号を通じて設定される。一方で、ＳＣｅｌｌ物理設定ＤｅｄｉｃａｔｅｄはＳＣｅｌｌ追加変更リストに含まれることがあり、ＳＣｅｌｌの追加時および設定の変更時にＲＲＣ信号を通じて設定される。この様に第２の測定対象設定および第２の報告設定により、接続したセルの設定された伝送路状況測定用参照信号の受信信号電力が測定可能となる。また、図１６で示される測定オブジェクト追加変更リストおよび測定オブジェクト削除リスト（第２の測定対象設定）は図９または図１０に示す参照信号測定設定―追加変更リストおよび参照信号測定設定―削除リスト（第３の参照信号設定）と同様の内容でもよい。つまり図１６で示される測定オブジェクト追加変更リストおよび測定オブジェクト削除リストは、図９で示したＣＳＩ−ＲＳ測定インデックスにより識別されるＣＳＩ−ＲＳ測定設定（図１１、１２参照）により第３の参照信号が設定されるか、もしくは図１０で示したＣＳＩ−ＲＳアンテナポートインデックスにより第３の参照信号が設定される。なお、図１６では物理設定Ｄｅｄｉｃａｔｅｄ（ＰｈｙｓｉｃａｌＣｏｎｆｉｇＤｅｄｉｃａｔｅｄ）やセカンダリーセルに割り当てられた端末固有の物理設定であるＳＣｅｌｌ物理設定Ｄｅｄｉｃａｔｅｄ（ＰｈｙｓｉｃａｌＣｏｎｆｉｇＤｅｄｉｃａｔｅｄＳＣｅｌｌ−ｒ１１）に第２の測定対象設定が含まれる場合を想定しているが前述する図８のＣＳＩ−ＲＳ設定−ｒ１０に含まれてもよい。また、別の例では第２の測定対象設定が含まれる場合を想定しているが前述する図１３の測定設定に含まれてもよい。なお、前述する物理設定はＲＲＣ信号（Dedicated signaling）を通じて端末毎に設定されてもよい。
【０１３１】
続いて図１６における第２の報告設定の詳細について図１７で説明する。一例では、レポート設定―追加変更リストにレポート設定ＩＤおよびレポート設定が組として含まれる。また、レポート設定―削除リストにレポート設定ＩＤが含まれる。また、これらレポート設定ＩＤおよびレポート設定の組はレポート設定―追加変更リストに複数含まれてもよいし、ひとつだけ含まれてもよい。また、レポート設定ＩＤはレポート設定―削除リストに複数含まれてもよいし、ひとつだけ含まれてもよい。なお、図１３におけるレポート設定追加変更リストも図１７同様、レポート設定ＩＤおよびレポート設定の組が１つもしくは複数含まれており、レポート設定の内容はレポート設定と同様である。なお、図１３におけるレポート設定削除リストも図１７同様、レポート設定ＩＤが１つもしくは複数含まれている。
【０１３２】
続いて図１７におけるレポート設定について図１８で説明する。一例では、レポート設定にはトリガータイプが含まれる。トリガータイプにはレポートを行うイベントのためのスレッショルドやレポート間隔などの情報が設定されている。
【０１３３】
続いて図４  ステップ４０７における第１の測定レポートおよび第２の測定レポートに関する設定として、第１の測定レポートおよび第２の測定レポートリストについて図１９で説明する。図１９で述べる専用制御チャネルメッセージタイプ（ＵＬ−ＤＣＣＨ−ＭｅｓｓａｇｅＴｙｐｅ）は端末から基地局１０１に送信するＲＲＣメッセージの一つである。前述した専用制御チャネルメッセージタイプには少なくとも測定レポート（ＭｅａｓｕｒｅｍｅｎｔＲｅｐｏｒｔ）が含まれている。測定レポートに含まれるレポートは選択が可能である。少なくとも第１の測定レポート（測定レポート−ｒ８，ＭｅａｓｕｒｅｍｅｎｔＲｅｐｏｒｔ−ｒ８−ＩＥｓ）と第２の測定レポートリストの選択が可能である。第１の測定レポートには測定結果（ＭｅａｓＲｅｓｕｌｔｓ）が含まれており、測定結果には測定ＩＤ（ＭｅａｓＩＤ）、ＰＣｅｌｌ測定結果（ｍｅａｓＲｅｓｕｌｔＰＣｅｌｌ）、隣接セル測定結果（ｍｅａｓＲｅｓｕｌｔＮｅｉｇｈＣｅｌｌｓ）、サービング周波数測定結果リストが含まれ得る。隣接セル測定結果としてはＥＵＴＲＡ測定結果リスト（ＭｅａｓＲｅｓｕｌｔＬｉｓｔＥＵＴＲＡ）、ＵＴＲＡ測定結果リスト（ＭｅａｓＲｅｓｕｌｔＬｉｓｔＵＴＲＡ）、ＧＥＲＡＮ測定結果リスト（ＭｅａｓＲｅｓｕｌｔＬｉｓｔＧＥＲＡＮ）、ＣＤＭＡ２０００測定結果（ＭｅａｓＲｅｓｕｌｔｓＣＤＭＡ２０００）を選択することができる。サービング周波数測定結果リストとしては、サービングセルインデックス、ＳＣｅｌｌ測定結果、隣接セルベスト測定結果が含まれていてもよい。なお、図１９では第１の測定レポートと第２の測定レポートリストが並列にならび、どちらかが選択されると想定しているが、第１の測定レポートの測定結果の中に第２の測定レポートが含まれてもよい。
【０１３４】
続いて図２０において、図１９記載のＥＵＴＲＡ測定結果リストの詳細を説明する。ＥＵＴＲＡ測定結果リストには物理セルＩＤ（ＰｈｙｓＣｅｌｌＩＤ）および測定結果（ｍｅａｓＲｅｓｕｌｔ）が含まれる。物理セルＩＤおよび測定結果を合わせることにより、端末１０２は基地局１０１に対してどの隣接セルの測定情報を通知しているのかを知らせることができる。また、ＥＵＴＲＡ測定結果リストには、前述する物理セルＩＤおよび測定結果は複数含まれていてもよいし、ひとつだけ含まれていてもよい。なお、図１９に含まれるＰＣｅｌｌ測定結果およびサービング周波数測定結果リストは前述の第１の測定対象設定で指定された測定対象を測定した結果となっている。また、図２０に含まれるＥＵＴＲＡ測定結果リストなどに含まれる測定結果は図１３の第３の測定対象設定で指定された測定対象を測定した結果となっている。また、図１９で示される測定ＩＤは図１３で示される測定ＩＤを示しており、これにより第３の測定対象設定に含まれる測定オブジェクトや第３の報告設定に含まれる測定レポート設定と関連付けられている。さらに、測定レポートと第１から第３の測定対象設定の関係を説明する。第１の測定レポートに含まれるＰＣｅｌｌ測定結果およびＳＣｅｌｌ測定結果を通じて端末１０２は基地局１０１にＰＣｅｌｌのセル固有参照信号のアンテナポート０の受信信号電力およびＳＣｅｌｌのセル固有参照信号のアンテナポート０の受信信号電力を報告することができる。また、これらは第１の測定対象設定により指定された測定対象である。他方でＥＵＴＲＡ測定結果リストに含まれる物理セルＩＤおよび測定結果を通じて端末１０２は基地局１０１に隣接セルのセル固有参照信号のアンテナポート０の受信信号電力を報告することができる。また、これらは第３の測定対象設定により指定された測定対象である。つまり、第１の測定レポートおよび第３の測定対象設定により、端末１０２は１０２基地局１０１に接続されていないセル（ＲＲＣパラメータの設定されていないセル、隣接セル）のセル固有参照信号のアンテナポート０の受信信号電力を報告することができる。端末１０２は基地局１０１に端末１０２は基地局１０１につまり、第１の測定レポートを通じて端末１０２は基地局１０１に各セル（プライマリーセル、セカンダリーセル、隣接セル）のセル固有参照信号のアンテナポート０の受信信号電力を報告することができる。
【０１３５】
続いて図２１において、図１９に記載の第２の測定レポートリストの詳細を説明する。第２の測定レポートリストに含まれる第２の測定レポートにはＣＳＩ−ＲＳ測定インデックスおよび測定結果が含まれる。なお、ＣＳＩ−ＲＳ測定インデックスの代わりにＣＳＩ−ＲＳアンテナポートインデックスが含まれてもよい。ここで述べたＣＳＩ−ＲＳ測定インデックスおよびＣＳＩ−ＲＳアンテナポートインデックスは、図９および図１０で説明したＣＳＩ−ＲＳ測定インデックスおよびＣＳＩ−ＲＳアンテナポートインデックスを指し示すものである。従って、第２の測定レポートの測定結果を通じて端末１０２は基地局１０１に第３の参照信号設定により設定された測定対象の受信信号電力を報告することができる。例えば、第３の参照信号設定により伝送路状況測定用参照信号のアンテナポート１５が指定された場合には、端末１０２は基地局１０１に伝送路状況測定用参照信号のアンテナポート１５の受信信号電力を報告することができる。つまり、第２の測定レポートを通じて端末１０２は基地局１０１に接続されたセル（プライマリーセル、セカンダリーセル）の設定された伝送路状況測定用参照信号（例えば伝送路状況測定用参照信号のアンテナポート１５など）の受信信号電力を報告することができる。また、図示していないがサービングセルインデックスのように特定のセル（キャリアコンポーネント）を指し示すインデックスが図２１に示した第２の測定レポートに含まれてもよい。この場合には、サービングセルインデックス、ＣＳＩ−ＲＳ測定インデックスおよび測定結果を合わせることにより、どのセルに含まれる、どの伝送路状況測定用参照信号を測定した結果なのかを端末１０２が基地局１０１に報告できる。
【０１３６】
また、第２の実施形態では、基地局１０１は、基地局１０１によって設定された伝送路情報測定用参照信号の測定のみを行うための第２の測定対象設定を端末１０２毎に設定し、端末１０２が接続しているセルの物理ＩＤとは別の物理ＩＤを用いて生成されたセル固有参照信号の測定を行う第３の測定対象設定を端末１０２毎に設定する。また、端末１０２は、第２の測定対象設定により指定された測定対象となる参照信号の受信信号と、第３の測定対象設定により指定された測定対象となる参照信号の受信信号とを基地局に報告する。
【０１３７】
また、第２の実施形態では、基地局１０１は、チャネル状況報告のための測定対象を設定する第１の参照信号設定を前記端末毎に設定し、端末１０２がデータ復調時にデータの復調から除外するリソースエレメントを指定する第２の参照信号設定を端末１０２毎に設定し、端末１０２が参照信号の受信電力を測定するための測定対象を設定する第３の参照信号設定を端末１０２毎に設定する。また、端末１０２は、基地局１０１によって設定された情報を受信し、第１の参照信号設定に基づいて、伝送路状況を基地局１０１に報告し、第２の参照信号設定に基づいて、データ復調時にデータの復調から除外するリソースエレメントを決定し、データの復調を行い、第３の参照信号設定に基づいて、参照信号の受信電力を測定する。
【０１３８】
以上本願の実施形態を用いることにより以下の効果を得ることができる。図２に示したセル固有参照信号および図３に示した伝送路状況測定用参照信号のアンテナポート１５，１６，１７，１８が下りリンク１０５を用いて基地局１０１からのみ送信され、また図４ステップ４０３において設定された第２の測定対象設定および第２の報告設定において設定された測定対象、つまり図９の第３の参照信号設定に設定された測定対象が図３に示した伝送路状況測定用参照信号のアンテナポート１９であり、この測定対象では下りリンク１０７を用いてＲＲＨ１０３からのみ伝送路状況測定用参照信号が送信されたと仮定する。この場合には図４  ステップ４０５における第１の測定対象であるセル固有参照信号および第２の測定対象であるＲＲＨ１０３からのみ送信された伝送路状況測定用参照信号の受信信号電力を測定することにより、基地局１０１と端末１０２間の下りリンクパスロスであるパスロス１およびＲＲＨ１０３と端末１０２間の下りリンクパスロスであるパスロス２を計算することができる。さらに、第１の参照信号設定はアンテナポート１５，１６，１７，１８に対してなされているのでこれに基づいたＲａｎｋ情報（Ｒａｎｋ）、プリコーディング情報（ＰＭＩ：Ｐｒｅｃｏｄｉｎｇ  Ｍａｔｒｉｘ  Ｉｎｄｉｃａｔｏｒ）、伝搬路品質情報（ＣＱＩ：Ｃｈａｎｎｅｌ  Ｑｕａｌｉｔｙ  Ｉｎｄｉｃａｔｏｒ）が通知され、端末固有参照信号およびデータ信号のプリコーディングおよびデータ信号の変調符号化方式（ＭＣＳ）に適用される。一方で、第３の参照信号設定に設定された測定対象である伝送路状況測定用参照信号のアンテナポート１９に対しては受信信号電力に関する測定及び報告のみを行うことになる。これにより通信システムとしては実際に下りリンクにおいて通信を行っているアンテナポートとは別に受信電力（およびパスロス）のみを測定するアンテナポート（もしくは測定対象）を別個に設定することが可能となる。例えば、基地局１０１は下りリンクにおいて通信を行っているアンテナポートに対応する参照信号と比較して、受信電力のみの測定に用いられるアンテナポートに対応する参照信号の送信頻度を少なくすることができ、システムの参照信号のオーバヘッドの増加を抑制することができる。また、伝送路状況測定用参照信号のアンテナポート１９の受信信号電力が大きくなってきた場合（つまりＲＲＨ１０３と端末間のパスロスが小さくなった場合）には、基地局１０１は第１の参照信号設定によって設定された伝送路状況測定用参照信号をＲＲＨ１０３に割り当てられたアンテナポートに設定しなおすことにより、常に適切な送信ポイント（つまり基地局１０１もしくはＲＲＨ１０３）から下りリンク信号の送信を行うことができる。また、別の視点では、第１の参照信号設定で設定された伝送路状況測定用参照信号のアンテナポート１５，１６，１７，１８は下りリンクの信号送信に用いることができる一方で、第３の参照信号設定で設定された伝送路状況測定用参照信号のアンテナポート１９から求められたパスロスを上りリンクの信号送信時に用いることも可能となる。これは端末１０２が基地局１０１から下りリンク１０５を通じて下りリンク信号を受信する一方で、��りリンク１０８を用いてＲＲＨ１０３に対して上りリンク信号を送信することを可能とする。このように少なくともＣＱＩ，ＰＭＩ，  ＲＩのいずれかを含むＣＳＩフィードバックを算出するための測定対象を設定する第１の参照信号設定と、受信信号電力を算出するための測定対象を設定する第３の参照信号設定を設定し、なおかつ第３の参照信号設定で設定されるリソースの少なくとも一部は第1の参照信号設定で設定されるリソースに含まれない状態にすることにより、下りリンク信号と上りリンク信号の接続先を変えるなど、柔軟な通信システムの設計が行える。
【０１３９】
また別の視点では、図２に示したセル固有参照信号が下りリンク１０５を用いて基地局１０１からのみ送信され、また図４ステップ４０３において設定された第２の測定対象設定および第２の報告設定において設定された測定対象が図３に示した伝送路状況測定用参照信号であり、この測定対象では下りリンク１０７を用いてＲＲＨ１０３からのみ伝送路状況測定用参照信号が送信されたと仮定する。さらに、基地局１０１とＲＲＨ１０３はキャリアアグリゲーションを行っており、上り、下りとも中心周波数の異なるキャリアコンポーネント（Ｃａｒｒｉｅｒ  Ｃｏｍｐｏｎｅｎｔ，ＣＣ，Ｃｅｌｌ、セル）を２つ有して通信を行っているとする。これらを第１のキャリアコンポーネント、第２のキャリアコンポーネントと呼び、基地局１０１およびＲＲＨ１０３はこれらのキャリアコンポーネントを使用し、個別の通信および協調通信が可能であるとする。この場合、端末１０２は基地局１０１に対して第１のキャリアコンポーネントを通じて接続を行う。それと同時に、あらかじめ定められた第１の測定に関するパラメータに従って測定対象の測定が行われる。ここで測定対象は接続されたセルのセル固有参照信号のアンテナポート０となる。それと同時に、第３の測定および第３の報告に関するパラメータが設定され、測定対象の測定が行われる。ここで測定対象は接続を行っていないセル固有参照信号のアンテナポート０となる。その後、図４  ステップ４０７において図１９に示した第１の測定レポートが端末１０２から基地局１０１に報告される。つまり前述した接続されたセルのセル固有参照信号のアンテナポート０の受信電力と、前述した接続を行っていないセル固有参照信号のアンテナポート０の受信電力とが第１の測定レポートを通じて基地局１０１に報告が行われることとなる。一方で、第１のキャリアコンポーネント（プライマリーセル）に接続後、個別に物理設定Ｄｅｄｉｃａｔｅｄにより第１のキャリアコンポーネントのための第２の測定設定がされたり、第２のキャリアコンポーネント（セカンダリーセル）を追加時（ＳＣｅｌｌ物理設定Ｄｅｄｉｃａｔｅｄ設定時）に、第２のキャリアコンポーネントのための第２の測定設定がされたりする。つまり、第３の測定対象設定を行うことにより端末１０２は接続されていないセルのセル固有参照信号のアンテナポート０の測定を行い基地局１０１に報告を行うことになるが、第２の測定設定および第２の測定レポートを行うことにより端末１０２は接続されたセルのみの伝送路状況測定用参照信号の設定されたアンテナポートの測定を行い、第２の測定レポートを通じて基地局１０１に報告を行うことになる。これにより端末１０２および基地局１０１は最適な基地局１０１およびセルの探索は第３の測定対象設定および第３の報告設定、第１の測定レポートのみにより行うことができ、最適な送信ポイント（例えば基地局１０１やＲＲＨ１０３）の探索や、パスロスの測定は第１および第２の測定対象設定に基づいて行うことができる。なお、ここで接続されたセルとはＲＲＣ信号によりパラメータの設定がなされたセル、つまりプライマリーセル（第１のキャリアコンポーネント）やセカンダリーセル（第２のキャリアコンポーネント）などのこ��を示し、接続されていないセルとはＲＲＣ信号によりパラメータの設定がなされていないセル、つまり隣接セルなどのことを示す。
【０１４０】
（第３の実施形態）
次に、第３の実施形態について説明する。第３の実施形態では、図４のステップ４０８からステップ４０９の処理について詳細に説明する。特に、複数の上りリンク電力制御に関するパラメータが設定された場合の通信システムの処理について詳細に説明する。ここでは特に第１の測定対象設定と上りリンク電力制御に関するパラメータの設定に基づいてパスロス（第１のパスロス）を計算し、第１のパスロスと上りリンク電力制御に関するパラメータの設定に基づいて第１の上りリンク送信電力を計算する。また、端末１０２は、第２の測定対象設定と上りリンク電力制御に関するパラメータの設定に基づいてパスロス（第２のパスロス）を計算し、第２のパスロスと上りリンク電力制御に関するパラメータの設定に基づいて第２の上りリンク送信電力を計算する例、つまり第１および第２の測定対象設定と第１および第２の上りリンク送信電力が暗黙的（ｉｍｐｌｉｃｉｔ、固定的）に設定される場合について詳細に述べる。
【０１４１】
上りリンク送信電力の計算方法について説明する。端末１０２は、数式（１）からサービングセルｃのサブフレームｉのＰＵＳＣＨの上りリンク送信電力を決定する。
【数１】
0005914918.tif 000002
ＰＣＭＡＸ，ｃは、サービングセルｃにおける最大送信電力を表している。ＭＰＵＳＣＨ，ｃは、サービングセルｃの送信帯域幅（周波数方向のリソースブロック数）を表している。また、ＰＯ＿ＰＵＳＣＨ，ｃは、サービングセルｃのＰＵＳＣＨの標準電力を表している。ＰＯ＿ＰＵＳＣＨ，ｃは、ＰＯ＿ＮＯＭＩＮＡＬ＿ＰＵＳＣＨ，ｃとＰＯ＿ＵＥ＿ＰＵＳＣＨ、ｃから決定される。ＰＯ＿ＮＯＭＩＮＡＬ＿ＰＵＳＣＨ，ｃは、セル固有の上りリンク電力制御に関するパラメータである。ＰＯ＿ＵＥ＿ＰＵＳＣＨ，ｃは、端末固有の上りリンク電力制御に関するパラメータである。αは、セル全体のフラクショナル送信電力制御に用いられる減衰係数（伝搬路損失補償係数）である。ＰＬｃは、パスロスであり、既知の電力で送信される参照信号とＲＳＲＰから求まる。また、本発明においては、ＰＬｃは、第１の実施形態または第２の実施形態から求まるパスロスの計算結果であってもよい。ΔＴＦ，ｃは、数式（２）から求まる。
【数２】
0005914918.tif 000003
ＢＰＲＥは、リソースエレメントに割り当て可能なビット数を示している。また、Ｋｓは、上位層からＲＲＣ信号を用いて通知される上りリンク電力制御に関するパラメータであり、上りリンク信号の変調符号化方式（MCS）に依存したパラメータである（deltaMCS-Enabled）。また、ｆｃは、上りリンク電力制御に関するパラメータであるａｃｃｕｍｕｌａｔｉｏｎ−ｅｎａｂｌｅｄと上りリンクグラントに含まれるＴＰＣコマンドから決定される。
【０１４２】
端末１０２は、数式（３）からサブフレームｉのＰＵＣＣＨの上りリンク送信電力を決定する。
【数３】
0005914918.tif 000004
ＰＯ＿ＰＵＣＣＨは、ＰＵＣＣＨの標準電力を表している。ＰＯ＿ＰＵＣＣＨは、ＰＯ＿ＮＯＭＩＮＡＬ＿ＰＵＣＣＨとＰＯ＿ＵＥ＿ＰＵＣＣＨから決定される。ＰＯ＿ＮＯＭＩＮＡＬ＿ＰＵＣＣＨは、セル固有の上りリンク電力制御に関するパラメータである。ＰＯ＿ＵＥ＿ＰＵＣＣＨは、端末固有の上りリンク電力制御に関するパラメータである。ｎＣＱＩは、ＣＱＩのビット数、ｎＨＡＲＱは、ＨＡＲＱのビット数、ｎＳＲは、ＳＲのビット数を表している。ｈ（ｎＣＱＩ，ｎＨＡＲＱ，ｎＳＲ）は、それぞれのビット数、すなわち、ＰＵＣＣＨフォーマットに依存して定義されたパラメータである。ΔＦ＿ＰＵＣＣＨは、上位層から通知されるパラメータである（deltaFList-PUCCH）。ΔＴｘＤは、送信ダイバーシチが設定された場合に上位層から通知されるパラメータである。ｇは、ＰＵＣＣＨの電力制御を調整するために使用されるパラメータである。
【０１４３】
端末１０２は、数式（４）からＳＲＳの上りリンク送信電力を決定する。
【数４】
0005914918.tif 000005
ＰＳＲＳ＿ＯＦＦＳＥＴは、ＳＲＳの送信電力を調整するためのオフセットであり、上りリンク電力制御パラメータ（端末固有の上りリンク電力制御に関するパラメータの設定）に含まれている。ＭＳＲＳ，ｃは、サービングセルｃに配置されるＳＲＳの帯域幅（周波数方向のリソースブロック数）を表している。
【０１４４】
図２２は、（第１の）上りリンク電力制御に関するパラメータの設定（UplinkPowerControl）に含まれる情報要素の一例を示す図である。上りリンク電力制御に関するパラメータの設定には、セル固有の設定（セル固有上りリンク電力制御に関するパラメータの設定（UplinkPowerControlCommon））と端末固有の設定（端末固有上りリンク電力制御に関するパラメータの設定（UplinkPowerControlDedicated））があり、それぞれの設定にセル固有または端末固有に設定される上りリンク電力制御に関するパラメータ（情報要素）が含まれる。セル固有の設定としては、セル固有に設定可能なＰＵＳＣＨ電力である標準ＰＵＳＣＨ電力（p0-NominalPUSCH）、フラクショナル送信電力制御の減衰係数（伝搬路損失補償係数）α（alpha）、セル固有に設定可能なＰＵＣＣＨ電力である標準ＰＵＣＣＨ電力（p0-NominalPUCCH）、数式（３）に含まれるΔＦ＿ＰＵＣＣＨは（deltaFList-PUCCH）、プリアンブルメッセージ３が送信される場合の電力調整値（deltaPreambleMsg3）がある。また、端末固有の設定としては、端末固有に設定可能なＰＵＳＣＨ電力である端末固有ＰＵＳＣＨ電力（p0-UE-PUSCH）、数式（２）に使用される変調符号化方式による電力調整値Ｋｓに関連したパラメータ（deltaMCS-Enabled）、ＴＰＣコマンドを設定するために必要なパラメータ（accumulationEnabled）、端末固有に設定可能なＰＵＣＣＨ電力である端末固有ＰＵＣＣＨ電力（p0-UE-PUCCH）、ピリオディックおよびアピリオディックＳＲＳの電力オフセットＰＳＲＳ＿ＯＦＦＳＥＴ（pSRS-Offset、pSRS-OffsetAp-r10）、参照信号の受信電力ＲＳＲＰのフィルタ係数（filterCoefficient）がある。これらの設定は、プライマリーセルに対して設定可能であるが、セカンダリーセルに対しても同様の設定を行なうことができる。さらに、セカンダリーセルの端末固有の設定では、プライマリーセルかセカンダリーセルのパスロス測定用参照信号（例えば、セル固有参照信号）を用いてパスロスの計算を行なうことを指示するパラメータ（pathlossReference-r10）がある。
【０１４５】
図２３は、上りリンク電力制御に関するパラメータの設定（第１の上りリンク電力制御に関するパラメータの設定）が含まれる情報の一例である。（第１の）セル固有上りリンク電力制御に関するパラメータ設定（ＵｐｌｉｎｋＰｏｗｅｒＣｏｎｔｒｏｌＣｏｍｍｏｎ１）は、セル固有無線リソース設定（ＲａｄｉｏＲｅｓｏｕｒｃｅＣｏｎｆｉｇＣｏｍｍｏｎ）に含まれる。（第１の）端末固有上りリンク電力制御に関するパラメータ設定（ＵｐｌｉｎｋＰｏｗｅｒＣｏｎｔｒｏｌＤｅｄｉｃａｔｅｄ１）は、端末固有物理設定（ＰｈｙｓｉｃａｌＣｏｆｉｇＤｅｄｉｃａｔｅｄ）に含まれる。（第１の）セル固有上りリンク電力制御に関するパラメータ設定（ＵｐｌｉｎｋＰｏｗｅｒＣｏｎｔｒｏｌＣｏｍｍｏｎＳＣｅｌｌ−ｒ１０−１）は、セカンダリーセル固有無線リソース設定（ＲａｄｉｏＲｅｓｏｕｒｃｅＣｏｎｆｉｇＣｏｍｍｏｎＳＣｅｌｌ−ｒ１０）に含まれる。（第１の）セカンダリーセル端末固有上りリンク電力制御に関するパラメータ設定（ＵｐｌｉｎｋＰｏｗｅｒＣｏｎｔｒｏｌＤｅｄｉｃａｔｅｄＳＣｅｌｌ−ｒ１０−１）は、セカンダリーセル端末固有物理設定（ＰｈｙｓｉｃａｌＣｏｎｆｉｇＤｅｄｉｃａｔｅｄＳＣｅｌｌ−ｒ１０）に含まれる。また、（プライマリーセル）端末固有物理設定は、（プライマリーセル）端末固有無線リソース設定（ＲａｄｉｏＲｅｓｏｕｒｃｅＣｏｆｉｇＤｅｄｉｃａｔｅｄ）に含まれる。また、セカンダリーセル端末固有物理設定は、セカンダリーセル端末固有無線リソース設定（ＲａｄｉｏＲｅｓｏｕｒｃｅＣｏｎｆｉｇＤｅｄｉｃａｔｅｄＳＣｅｌｌ−ｒ１０）に含まれる。なお前述するセル固有無線リソース設定および端末固有無線リソース設定は、第２の実施例で述べたＲＲＣコネクションリコンフィグレーション（ＲＲＣＣｏｎｎｅｃｔｉｏｎＲｅｃｏｎｆｉｇｕｒａｔｉｏｎ）やＲＲＣリエスタブリッシュメント（ＲＲＣＣｏｎｎｅｃｔｉｏｎＲｅｅｓｔａｂｌｉｓｈｍｅｎｔ）に含まれてもよい。なお、前述するセカンダリーセル固有無線リソース設定およびセカンダリーセル端末固有無線リソース設定は、第２の実施例で述べたＳＣｅｌｌ追加変更リストに含まれてもよい。なお、前述するセル固有無線リソース設定および端末固有無線リソース設定は、ＲＲＣ信号（Dedicated signaling）を通じて端末毎に設定されてもよい。なお、ＲＲＣコネクションリコンフィグレーションおよびＲＲＣリエスタブリッシュメントは、ＲＲＣメッセージを通じて端末毎に設定されてもよい。なお、前述するセル固有の上りリンク電力制御に関するパラメータの設定は、システム情報を通じて端末１０２に設定されてもよい。また、前述する端末固有の上りリンク電力制御に関するパラメータの設定は、ＲＲＣ信号（Dedicated signaling）を通じて端末１０２毎に設定されてもよい。
【０１４６】
第３の実施形態では、端末１０２は、第１及び第２の実施形態で示された第１の測定対象設定及び第２の測定対象設定に基づいて種々の上りリンク信号（ＰＵＳＣＨ、ＰＵＣＣＨ、ＳＲＳ）の上りリンク送信電力（PPUSCH1, PPUCCH1, PSRS1）を計算することができる。なお種々の上りリンク信号は、複数の種類の上りリンク物理チャネルのことでもある。また、種々の上りリンク物理チャネルは、ＰＵＳＣＨ、ＰＵＣＣＨ、ＵＬ  ＤＭＲＳ、ＳＲＳ、ＰＲＡＣＨ、およびＰＵＣＣＨに含まれる制御情報（ＣＱＩ、ＰＭＩ、ＲＩ、Ａｃｋ／Ｎａｃｋ）のうち少なくとも一つの上りリンク物理チャネルが含まれていることを表している。
【０１４７】
第３の実施形態では、基地局１０１は、第１の測定対象設定および第２の測定対象設定、上りリンク電力制御に関するパラメータの設定を端末１０２へ通知する。一例では端末１０２は、通知された情報に従って、第１の測定対象設定と上りリンク電力制御に関するパラメータの設定に基づいてパスロス（第１のパスロス）を計算し、第１のパスロスと上りリンク電力制御に関するパラメータの設定に基づいて第１の上りリンク送信電力を計算する。また、端末１０２は、第２の測定対象設定と上りリンク電力制御に関するパラメータの設定に基づいてパスロス（第２のパスロス）を計算し、第２のパスロスと上りリンク電力制御に関するパラメータの設定に基づいて第２の上りリンク送信電力を計算する。つまり第１の上りリンク送信電力は常に第１の測定対象設定で通知された測定対象を元に計算され、第２の上りリンク送信電力は常に第２の測定対象設定で通知された測定対象を元に計算されてもよい。さらに具体的に言うと第１の上りリンク送信電力は常に第１の測定対象設定で通知された測定対象であるセル固有参照信号のアンテナポート０を元に計算され、第２の上りリンク送信電力は常に第２の測定対象設定で通知された測定対象である伝送路状況測定用参照信号の指定されたリソース（もしくはアンテナポート）を元に計算されてもよい。さらに別の例では第２の測定対象設定として複数の測定対象（例えば伝送路状況測定用参照信号の指定された複数のリソースまたは複数アンテナポート）が指定された場合には、このうちのいずれかを使用し第２の上りリンク送信電力を計算するかを通知する場合がある。この場合には後述する図２４で説明するパスロス参照リソースが図２２に示す第１のセル固有上りリンク電力制御に関するパラメータの設定や第１のセカンダリーセル固有上りリンク電力制御に関するパラメータの設定や第１の端末固有上りリンク電力制御に関するパラメータの設定や第１のセカンダリーセル端末固有上りリンク電力制御に関するパラメータの設定中に設定されてもよい。さらに別の例では第１の上りリンク送信電力は第１の測定対象設定とは関係なく、常にセル固有参照信号のアンテナポート０（もしくはアンテナポート０と１）を元に計算されてもよい。また端末１０２は、上りリンクグラントを検出した周波数リソースやタイミングによって、前述した第１の上りリンク送信電力において上りリンク信号を送信するのか前述した第２の上りリンク送信電力において上りリンク信号を送信するのかを制御してもよい。
【０１４８】
この様に、第１および第２の上りリンク送信電力は、第１および第２の測定対象設定（および測定対象設定で指定されている測定対象）と固定的に関連付けられてもよい。
【０１４９】
さらに具体的な例をあげると、複数のキャリアコンポーネント（ここでは、２つのキャリアコンポーネント）を用いて通信を行なうキャリアアグリゲーションが可能な場合、第１もしくは第２の測定対象設定とキャリアコンポーネントを関連付けてもよい。つまり、第１の測定対象設定と第１のキャリアコンポーネントを関連付け、第２の測定対象設定と第２のキャリアコンポーネントを関連付けてもよい。また、第１のキャリアコンポーネントをプライマリーセル、第２のキャリアコンポーネントをセカンダリーセルに設定した場合、第１の測定対象設定はプライマリーセル、第２の測定対象設定はセカンダリーセルと関連付けられてもよい。つまり、基地局１０１は、セル毎に第１および第２の測定対象設定を設定してもよい。端末１０２は、プライマリーセルから上りリンクグラントを検出した場合には、第１の測定対象設定とプライマリーセル固有上りリンク電力制御に関するパラメータの設定とプライマリーセル端末固有上りリンク電力制御に関するパラメータの設定から第１のパスロス及び第１の上りリンク送信電力を計算し、セカンダリーセルから上りリンクグラントを検出した場合には、第２の測定対象設定とセカンダリーセル固有上りリンク電力制御に関するパラメータの設定とセカンダリーセル端末固有上りリンク電力制御に関するパラメータの設定から第２のパスロス及び第２の上りリンク送信電力を計算する。
【０１５０】
別の観点から考えると、例えば基地局１０１と通信を行う端末１０２を端末Ａ、ＲＲＨ１０３と通信を行う端末１０２を端末Ｂとした場合、端末Ａのダイナミックな上りリンク信号の送信制御をプライマリーセルでのみ行い、また端末Ｂのダイナミックな上りリンク信号の送信制御をセカンダリーセルでのみ行う。つまり、基地局１０１は、端末１０２に基地局１０１向けの上りリンク信号の送信を行わせたい場合には、上りリンクグラントをプライマリーセルに含めて端末１０２へ通知し、端末１０２にＲＲＨ１０３向けの上りリンク信号の送信を行わせたい場合には、セカンダリーセルに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するセル（キャリアコンポーネント、コンポーネントキャリア）によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、プライマリーセルのＴＰＣコマンドの電力補正値を高く設定し、ＲＲＨ１０３向けの上りリンク送信電力を低くしたい場合には、セカンダリーセルのＴＰＣコマンドの電力補正値を低くなるように設定する。基地局１０１は、端末Ａに対しては、プライマリーセルによって上りリンク信号の送信および上りリンク送信電力制御を行い、端末Ｂに対しては、セカンダリーセルによって上りリンク信号の送信および上りリンク送信電力制御を行う。
【０１５１】
一例として下りリンクサブフレームが第１のサブセットおよび第２のサブセットに分けられているものと考える。ところで上りリンクグラントがサブフレームn（nは自然数）で受信された場合、端末１０２はサブフレームn+4で上りリンク信号の送信を行うため、おのずと上りリンクサブフレームも第１のサブセットおよび第２のサブセットに分けられているものと考える。例えば、下りリンクサブフレームの０，５が第１のサブセットに、１，２，３，４，６，７，８，９が第２のサブセットに分類される場合、おのずと上りリンクサブフレームの４、９が第１のサブセットに、１，２，３，５，６，７，８，が第２のサブセットに分類されることとなる。この場合に上りリンクグラントを検出した下りリンクサブフレームインデックスが第１のサブセットに含まれる場合には、端末１０２は、第１の測定対象設定と上りリンク電力制御に関するパラメータ設定に基づいて第１のパスロス及び第１の上りリンク送信電力を計算し、上りリンクグラントを検出した下りリンクサブフレームインデックスが第２のサブセットに含まれる場合には、端末１０２は、第２の測定対象設定と上りリンク電力制御に関するパラメータ設定に基づいて第２のパスロス及び第２の上りリンク送信電力を計算する。すなわち、端末１０２は、上りリンクグラントを検出した下りリンクサブフレームが第１のサブセットに含まれるか第２のサブセットに含まれるかによって、第１の上りリンク送信電力で上りリンク信号を送信するか第２の上りリンク送信電力で上りリンク信号を送信するかを制御することができる。
【０１５２】
なお、第１のサブセットは、Ｐ−ＢＣＨ（Physical Broadcast Channel）とＰＳＳ（Primary Synchronization Signal）とＳＳＳ（Secondary Synchronization Signal）が含まれる下りリンクサブフレームで構成されてもよい。また、第２のサブセットは、Ｐ−ＢＣＨ、ＰＳＳ、ＳＳＳを含まないサブフレームで構成されてもよい。
【０１５３】
別の観点から考えると、例えば基地局１０１と通信を行う端末１０２を端末Ａ、ＲＲＨ１０３と通信を行う端末１０２を端末Ｂとした場合、端末Ａのダイナミックな上りリンク信号の送信制御を第１のサブフレームサブセットでのみ行い、また端末Ｂのダイナミックな上りリンク信号の送信制御を第２のサブフレームサブセットでのみ行う。つまり、基地局１０１は、端末１０２に基地局１０１向けの上りリンク信号の送信を行わせたい場合には、上りリンクグラントを第１のサブフレームサブセットに含めて端末１０２へ通知し、端末１０２にＲＲＨ１０３向けの上りリンク信号の送信を行わせたい場合には、第２のサブフレームサブセットに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するサブフレームサブセットによって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１のサブフレームサブセットのＴＰＣコマンドの電力補正値を高く設定し、ＲＲＨ１０３向けの上りリンク送信電力を低くしたい場合には、第２のサブフレームサブセットのＴＰＣコマンドの電力補正値を低くなるように設定する。基地局１０１は、端末Ａに対しては、第１のサブフレームサブセットによって上りリンク信号の送信および上りリンク送信電力制御を行い、端末Ｂに対しては、第２のサブフレームサブセットによって上りリンク信号の送信および上りリンク送信電力制御を行う。
【０１５４】
一例として、端末１０２が、第１の制御チャネル領域で上りリンクグラントを検出した場合には、第１の測定対象設定と上りリンク電力制御に関するパラメータ設定に基づいて第１のパスロス及び第１の上りリンク送信電力を計算し、上りリンクグラントを第２の制御チャネルで検出した場合には、第２の測定対象設定と上りリンク電力制御に関するパラメータ設定に基づいて第２のパスロス及び第２の上りリンク送信電力を計算する。つまり、端末１０２は、上りリンクグラントを検出した制御チャネル領域から第１の上りリンク送信電力で上りリンク信号を送信するか第２の上りリンク送信電力で上りリンク信号を送信するかを制御することができる。
【０１５５】
別の観点から考えると、例えば基地局１０１と通信を行う端末１０２を端末Ａ、ＲＲＨ１０３と通信を行う端末１０２を端末Ｂとした場合、端末Ａのダイナミックな上りリンク信号の送信制御を第１の制御チャネル（ＰＤＣＣＨ）領域でのみ行い、また端末Ｂのダイナミックな上りリンク信号の送信制御を第２の制御チャネル（Ｘ−ＰＤＣＣＨ）領域でのみ行う。つまり、基地局１０１は、端末１０２に基地局１０１向けの上りリンク信号の送信を行なわせたい場合には、上りリンクグラントを第１の制御チャネル領域に含めて端末１０２へ通知し、端末１０２にＲＲＨ１０３向けの上りリンク信号の送信を行なわせたい場合には、第２の制御チャネル領域に含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知する制御チャネル領域によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１の制御チャネル領域のＴＰＣコマンドの電力補正値を高く設定し、ＲＲＨ１０３向けの上りリンク送信電力を低くしたい場合には、第２の制御チャネル領域のＴＰＣコマンドの電力補正値を低くなるように設定する。基地局１０１は、端末Ａに対しては、第１の制御チャネル領域によって上りリンク信号の送信および上りリンク送信電力制御を行い、端末Ｂに対しては、第２の制御チャネルによって上りリンク信号の送信および上りリンク送信電力制御を行う。
【０１５６】
また、第３の実施形態では、基地局１０１は第１および第２の測定対象設定を含む無線リソース制御信号を端末１０２へ通知し、上りリンク電力制御に関するパラメータの設定を含む無線リソース制御信号を端末１０２へ通知する。また、端末１０２は、第１の測定対象設定に含まれる第１の測定対象と上りリンク電力制御に関するパラメータの設定に基づいて第１のパスロスおよび第１の上りリンク送信電力を計算し、第２の測定対象設定に含まれる第２の測定対象と上りリンク電力制御に関するパラメータの設定に基づいて第２のパスロスおよび第２の上りリンク送信電力を計算し、第１または第２の上りリンク送信電力において上りリンク信号を基地局１０１へ送信する。
【０１５７】
図１を用いて説明すると、基地局１０１とＲＲＨ１０３はキャリアアグリゲーションを行っており、上り、下りとも中心周波数の異なるキャリアコンポーネント（Ｃａｒｒｉｅｒ  Ｃｏｍｐｏｎｅｎｔ，ＣＣ，Ｃｅｌｌ、セル）を２つ有して通信を行っているとする。これらを第１のキャリアコンポーネント、第２のキャリアコンポーネントと呼び、基地局１０１およびＲＲＨ１０３はこれらキャリアコンポーネントを使用し、個別の通信および協調通信が可能であるとする。第１のキャリアコンポーネントが基地局１０１と端末１０２間の通信に使用され、第２のキャリアコンポーネントがＲＲＨ１０３と端末１０２間の通信に使用されるとする。つまり、下りリンク１０５または上りリンク１０６は、第１のキャリアコンポーネントで接続し、下りリンク１０７または上りリンク１０８は、第２のキャリアコンポーネントで接続される。この際、端末１０２は、第１のキャリアコンポーネントを通じて下りリンク１０５から上りリンクグラントを検出した場合、第１のキャリアコンポーネントを通じて第１の上りリンク送信電力で上りリンク１０６への送信を行い、第２のキャリアコンポーネントを通じて下りリンク１０７から上りリンクグラントを検出した場合、第２の上りリンク送信電力で第２のキャリアコンポーネントを通じて上りリンク１０８への送信を行なうことができる。また、端末１０２は検出した上りリンクグラントにキャリアインディケータが含まれている場合には、キャリアインディケータによって示されたキャリア（セル、プライマリーセル、セカンダリーセル、サービングセルインデックス）と関連付けられたパスロス参照リソースを用いてパスロスおよび上りリンク送信電力を算出してもよい。
【０１５８】
また、基地局１０１は、基地局１０１と通信を行なう端末１０２と、ＲＲＨ１０３と通信を行なう端末１０２を異なるキャリアコンポーネントでスケジューリングし、それぞれのキャリアコンポーネントに対して第１もしくは第２の測定対象設定を設定することで、端末１０２に対して適切な上りリンク送信電力制御を行なうように制御することができる。
【０１５９】
図１を用いて説明すると、端末１０２は、基地局１０１に対して上りリンク信号を送信する上りリンクサブフレームサブセットとＲＲＨ１０３に対して上りリンク信号を送信する上りリンクサブフレームサブセットが設定される。つまり、端末１０２は、基地局１０１への上りリンク信号の送信タイミングとＲＲＨ１０３への上りリンク信号の送信タイミングを異なるタイミングにすることによって、端末１０２から送信される上りリンク信号が他の端末１０２への干渉元にならないように制御される。ここで、基地局１０１へ上りリンク信号を送信するサブフレームサブセットを第１のサブセット、ＲＲＨ１０３へ上りリンク信号を送信するサブフレームサブセットを第２のサブセットとすると、端末１０２は、上りリンク１０６を第１のサブセットで送信し、上りリンク１０８を第２のサブセットで送信する。端末１０２は、第１のサブセットで上りリンク信号を送信する場合には、第１の測定対象設定と上りリンク電力制御に関するパラメータの設定を用いて、第１のパスロスおよび第１の上りリンク送信電力を計算し、第２のサブセットで上りリンク信号を送信する場合には、第２の測定対象設定と上りリンク電力制御に関するパラメータの設定を用いて、第２のパスロスを計算し、第２の上りリンク送信電力を計算することができる。
【０１６０】
また、基地局１０１は、基地局１０１と端末１０２が通信するタイミングとＲＲＨ１０３と端末１０２が通信するタイミング（サブフレームサブセット）を異なるタイミング（サブフレームサブセット）にし、それぞれのサブセットに対して適切な上りリンク送信電力制御を行なうことによって、上りリンク１０６または上りリンク１０８に対して適切な上りリンク送信電力を端末１０２に設定することができる。
【０１６１】
図１を用いて説明すると、端末１０２は、上りリンクグラントを検出した制御チャネル領域が第１の制御チャネル領域であるか第２の制御チャネル領域であるかによって、上りリンクグラントを検出したタイミングで上りリンク１０６または上りリンク１０８で送信するタイミングを判断することができる。つまり、端末１０２は、サブフレームｎの第１の制御チャネル領域で上りリンクグラントを検出した場合には、サブフレームｎ＋４で第１の上りリンク送信電力で上りリンク信号を基地局１０１へ送信することができる。また、端末１０２は、サブフレームｎ＋１の第２の制御チャネル領域で上りリンクグラントを検出した場合には、サブフレームｎ＋５で第２の上りリンク送信電力で上りリンク信号をＲＲＨ１０３へ送信することができる。
【０１６２】
端末１０２は、第１の制御チャネル領域で上りリンクグラントを検出した場合には、上りリンク１０６に対して第１の上りリンク送信電力で上りリンク信号を送信し、第２の制御チャネル領域で上りリンクグラントを検出した場合には、上りリンク１０８に対して第２の上りリンク送信電力で上りリンク信号を送信することができる。
【０１６３】
また、基地局１０１は、下りリンク１０５および１０７において第１の制御チャネル領域と第２の制御チャネル領域において適切に上りリンクグラントをスケジューリングすることによって、上りリンク１０６または上りリンク１０８に対して適切な上りリンク送信電力を端末１０２に設定することができる。
【０１６４】
このように、端末１０２は、上りリンクグラントを検出する周波数リソースやタイミングによって基地局１０１向けの上りリンク送信とＲＲＨ１０３向けの上りリンク送信を分離することができるため、上りリンク送信電力が大きく異なる端末同士が設定された場合でも互いの端末１０２が他の端末１０２への干渉元にならないように制御できる。
【０１６５】
（第３の実施形態の変形例１）
次に、第３の実施形態の変形例１について説明する。第３の実施形態の変形例１では、基地局１０１は、上りリンク電力制御に関するパラメータの設定に、パスロスの計算に使用する参照信号（例えばセル固有参照信号または伝送路状況測定用参照信号）および測定対象のリソース（もしくはアンテナポート）を指定することができる。また、パスロスの計算に使用する参照信号は、第１の実施形態または第２の実施形態で示された第１もしくは第２の測定対象設定で示されてもよい。以下にパスロスの計算に使用する参照信号および測定対象のリソースの設定方法の詳細を説明する。
【０１６６】
基地局１０１とＲＲＨ１０３はキャリアアグリゲーションを行っており、上り、下りとも中心周波数の異なるキャリアコンポーネント（Ｃａｒｒｉｅｒ  Ｃｏｍｐｏｎｅｎｔ，ＣＣ，Ｃｅｌｌ、セル）を２つ有して通信を行っているとする。これらを第１のキャリアコンポーネント、第２のキャリアコンポーネントと呼び、基地局１０１およびＲＲＨ１０３はこれらキャリアコンポーネントを使用し、個別の通信および協調通信が可能であるとする。また、基地局１０１は、第１のキャリアコンポーネントをプライマリーセル、第２のキャリアコンポーネントをセカンダリーセルとして設定してもよい。基地局１０１は、プライマリーセルとセカンダリーセルに対して、パスロス参照リソースとしてインデックスなどを用いてパスロスの計算に利用する参照信号のリソースを指定してもよい。ここで、パスロス参照リソースとは、パスロスを計算するために使用する（参照する）参照信号および測定対象のリソース（もしくはアンテナポート）を指し示す情報要素のことであり、第１の実施形態または第２の実施形態にて示された第１の測定対象設定または第２の測定対象設定に設定された測定対象のことである。そこで基地局１０１は、パスロス参照リソースにより上りリンク送信電力の算出に用いるパスロスとその計算に用いる測定対象（参照信号およびアンテナポートインデックスまたは測定インデックス）を関連付けてもよい。またパスロス参照リソースは、第１の実施形態または第２の実施形態で示されたセル固有参照信号のアンテナポートインデックス０または伝送路状況測定用参照信号のＣＳＩ−ＲＳアンテナポート（もしくはＣＳＩ−ＲＳ測定インデックス）であってもよい。さらに具体的に説明するとパスロス参照リソースにより指定されるインデックスが０のときは、セル固有参照信号のアンテナポートインデックス０を示し、その他の値の場合には伝送路状況測定用参照信号のＣＳＩ−ＲＳ測定インデックスやＣＳＩ−ＲＳアンテナポートインデックスに関連付けられてもよい。さらに前述するパスロス参照リソースは図２２で説明したpathlossReferenceと関連付けられてもよい。つまりpathlossReferenceで第２のキャリアコンポーネント（SCell、セカンダリーセル）が指定され、パスロス参照リソースで伝送路状況測定用参照信号のＣＳＩ−ＲＳ測定インデックス１が指定された場合には、第２のキャリアコンポーネントに含まれるＣＳＩ−ＲＳ測定インデックス１に相当するリソースを元にパスロスの計算を行い、上りリンク送信電力を算出してもよい。別の例ではpathlossReferenceで第１のキャリアコンポーネント（PCell、プライマリーセル）が指定され、パスロス参照リソースで伝送路状況測定用参照信号のＣＳＩ−ＲＳ測定インデックス１が指定された場合には、第１のキャリアコンポーネントに含まれるＣＳＩ−ＲＳ測定インデックス１に相当するリソースを元にパスロスを計算し、上りリンク送信電力を算出してもよい。また、端末１０２は検出した上りリンクグラントにキャリアインディケータが含まれている場合には、キャリアインディケータによって示されたキャリア（セル、プライマリーセル、セカンダリーセル、サービングセルインデックス）と関連付けられたパスロス参照リソースを用いてパスロスおよび上りリンク送信電力を算出してもよい。
【０１６７】
以上前述の手順に従うことによって端末１０２は、基地局１０１によって通知されるパスロス参照リソースの通知内容に基づいてパスロスを計算し、そのパスロスと上りリンク電力制御に関するパラメータの設定に基づいて上りリンク送信電力を計算することができる。
【０１６８】
図２４は、パスロス参照リソースの詳細を示す図である。パスロス参照リソースは、（プライマリーセル）端末固有上りリンク電力制御に関するパラメータの設定およびセカンダリーセル端末固有上りリンク電力制御に関するパラメータの設定に追加される情報要素である。また、パスロス参照リソースでは、測定対象設定で設定されるパスロス測定に使用される下りリンク参照信号（測定対象）が指定される。基地局１０１は、端末１０２に対して第１の実施形態または第２の実施形態で示される測定対象設定によって指示される測定対象を、パスロス参照リソースを用いて指定することができる。つまり、基地局１０１は、プライマリーセル（第１のキャリアコンポーネント、ＰＣｅｌｌ）およびセカンダリーセル（第２のキャリアコンポーネント、ＳＣｅｌｌ）に対してパスロス測定に使用する測定リソースを測定対象設定で設定される測定対象から選択することができ、端末１０２はその指示に従って、プライマリーセルおよびセカンダリーセルにおける上りリンク送信電力を計算するためのパスロスの計算を行ない、そのパスロス及び上りリンク電力制御に関するパラメータの設定に基づいてプライマリーセルまたはセカンダリーセルへの上りリンク送信電力を計算することができる。
【０１６９】
別の観点から考えると、例えば基地局１０１と通信を行う端末１０２を端末Ａ、ＲＲＨ１０３と通信を行う端末１０２を端末Ｂとした場合、端末Ａのダイナミックな上りリンク信号の送信制御をプライマリーセルでのみ行い、また端末Ｂのダイナミックな上りリンク信号の送信制御をセカンダリーセルでのみ行う。つまり、基地局１０１は、端末１０２に基地局１０１向けの上りリンク信号の送信を行わせたい場合には、上りリンクグラントをプライマリーセルに含めて端末１０２へ通知し、端末１０２にＲＲＨ１０３向けの上りリンク信号の送信を行わせたい場合には、セカンダリーセルに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するセル（キャリアコンポーネント、コンポーネントキャリア）によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、プライマリーセルのＴＰＣコマンドの電力補正値を高く設定し、ＲＲＨ１０３向けの上りリンク送信電力を低くしたい場合には、セカンダリーセルのＴＰＣコマンドの電力補正値を低くなるように設定する。基地局１０１は、端末Ａに対しては、プライマリーセルによって上りリンク信号の送信および上りリンク送信電力制御を行い、端末Ｂに対しては、セカンダリーセルによって上りリンク信号の送信および上りリンク送信電力制御を行う。
【０１７０】
図２５は、端末１０２が上りリンクグラントを検出したタイミングによるパスロス参照リソースの詳細を示す図である。基地局１０１は、端末１０２に対して２つ以上のパスロス参照リソース（第１のパスロス参照リソース、第２のパスロス参照リソース）を設定できる。ここで、第２のパスロス参照リソースは、追加変更リストによって随時追加可能なパラメータである。パスロス参照リソースは、測定対象設定で設定される測定対象と関連付けされている。例えば、測定対象には、上りリンクグラント検出サブフレームサブセット（上りリンクグラント検出パターン）が設定されており、上りリンクグラント検出パターンに含まれる下りリンクサブフレームで上りリンクグラントを検出した場合には、端末１０２は、上りリンクグラント検出サブフレームサブセットと関連付けられた測定対象を用いてパスロスを計算し、そのパスロスに基づいて上りリンク送信電力を計算する。つまり、端末１０２は、パスロス参照リソースが複数（第１のパスロス参照リソースおよび第２のパスロス参照リソース）設定された場合には、上りリンクグラント検出サブフレームサブセットをパスロス参照リソースと関連付ける。さらに具体的に述べると、第１のパスロス参照リソースと第１のサブフレームサブセットを関連付ける。また第２のパスロス参照リソースと第２のサブフレームサブセットを関連付ける。さらにパスロス参照リソースから、上りリンク送信電力の計算の基となる測定対象設定を選択し、この測定対象設定で指定された測定対象の受信信号電力に基づいて計算したパスロスを基に上りリンク送信電力を計算する。一例では第１のパスロス参照リソースは第１の測定対象設定、つまりセル固有参照信号のアンテナポート０を指定し、これは基地局１０１から送信されていてもよい、また第２のパスロス参照リソースは第２の測定対象設定、つまり伝送路状況測定用参照信号のアンテナポート１５を指定し、これはＲＲＨ１０３から送信されていてもよい。従って上りリンクグラントを検出するサブフレームに従って異なる測定対象が参照され、結果として上りリンク信号が第１のサブフレームサブセットで検出された場合は基地局１０１に適した送信電力が設定され、上りリンク信号が第２のサブフレームサブセットで検出された場合はＲＲＨ１０３に適した送信電力が設定されることとなる。すなわち、上りリンクグラントを検出するタイミングで、パスロス計算に使用する測定対象を切り替えて適切な上りリンク送信電力制御を行なうことができる。
【０１７１】
第２のパスロス参照リソースは、パスロス参照リソース追加変更リストから追加可能なパスロス参照リソースのことである。つまり、基地局１０１は、１つのセル（例えば、プライマリーセル）に対して複数のパスロス参照リソースを定義することができる。基地局１０１は、端末１０２に対して同時に複数のパスロス参照リソースに対するパスロスの計算を行なうように指示することができる。また、第２のパスロス参照リソースを追加する場合には、パスロス参照リソース追加変更リストによってパスロス参照リソースＩＤと測定対象を設定し、随時追加することができる。複数のパスロス参照リソースに対してパスロスを計算する必要がなくなった場合には、パスロス参照リソース削除リストによって、不要なパスロス参照リソースを削除することができる。この場合の第２のパスロスの計算方法について例をあげる。第２のパスロス参照リソースはパスロス参照リソース追加変更リストの中に複数の第１もしくは第２の測定対象設定、つまり例えば伝送路状況測定用参照信号のアンテナポート１５、１６など指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り第２のパスロスとしてもよい。また２つのパスロスを線形処理したのち第２のパスロスとしてもよい。また上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。
【０１７２】
また、第１および第２のパスロス参照リソースに含まれる、測定対象は、第１の実施形態または第２の実施形態で示されたセル固有参照信号のアンテナポート０またはＣＳＩ−ＲＳアンテナポートインデックス（ＣＳＩ−ＲＳ測定インデックス）であってもよい。
【０１７３】
また測定対象には、上りリンクグラント検出パターンが含まれてもよい。また、上りリンクグラント検出パターンは、図１４の測定オブジェクト中の測定オブジェクトＥＵＴＲＡに含まれる測定サブフレームパターン(MeasSubframePattern-r10)が利用されてもよい。
【０１７４】
また、ここでは、測定対象と上りリンクグラント検出パターンを関連付けたが、別の例として測定対象には、上りリンクグラント検出パターンを含まず、測定対象と測定レポートの送信タイミングを関連付けてもよい。つまり、端末１０２は、測定対象の測定結果を基地局１０１へ通知するサブフレームパターンと関連付けても良く、そのサブフレームパターンと関連付けられた下りリンクサブフレームで上りリンクグラントを検出した場合に、その測定対象でパスロスを計算し、上りリンク送信電力を計算することができる。
【０１７５】
ここでは、プライマリーセル端末固有上りリンク電力制御に関するパラメータの設定に追加された場合に対して説明したが、セカンダリーセルでも同様の設定を追加することは可能である。ただし、セカンダリーセルの場合、パスロス参照（pathlossReference-r10）が設定されており、プライマリーセルかセカンダリーセルのいずれかに含まれた参照信号に基づいてパスロスの計算を行なう。つまり、プライマリーセルが選択された場合には、プライマリーセル端末固有上りリンク電力制御に関するパラメータの設定のパスロス参照リソースに基づいてパスロスの計算が行われる。また、セカンダリーセルが選択された場合には、セカンダリーセル端末固有上りリンク電力制御に関するパラメータの設定のパスロス参照リソースに基づいてパスロスの計算が行われる。さらに前述するパスロス参照リソースはパスロス参照（pathlossReference-r10）と関連付けられてもよい。つまりパスロス参照（pathlossReference-r10）で第２のキャリアコンポーネント（SCell、セカンダリーセル）が指定され、パスロス参照リソースで伝送路状況測定用参照信号のＣＳＩ−ＲＳ測定インデックス１が指定された場合には、第２のキャリアコンポーネントに含まれるＣＳＩ−ＲＳ測定インデックス１に相当するリソースを元にパスロスの計算を行い、上りリンク送信電力を算出してもよい。また、別の例ではパスロス参照（pathlossReference-r10）において第１のキャリアコンポーネント（PCell、プライマリーセル）が指定され、パスロス参照リソースにおいて伝送路状況測定用参照信号のＣＳＩ−ＲＳ測定インデックス１が指定された場合には、第１のキャリアコンポーネントに含まれるＣＳＩ−ＲＳ測定インデックス１に相当するリソースを元にパスロスの計算を行い、上りリンク送信電力を算出してもよい。
【０１７６】
別の観点から考えると、例えば基地局１０１と通信を行う端末１０２を端末Ａ、ＲＲＨ１０３と通信を行う端末１０２を端末Ｂとした場合、端末Ａのダイナミックな上りリンク信号の送信制御を第１のサブフレームサブセットでのみ行い、また端末Ｂのダイナミックな上りリンク信号の送信制御を第２のサブフレームサブセットでのみ行う。つまり、基地局１０１は、端末１０２に基地局１０１向けの上りリンク信号の送信を行わせたい場合には、上りリンクグラントを第１のサブフレームサブセットに含めて端末１０２へ通知し、端末１０２にＲＲＨ１０３向けの上りリンク信号の送信を行わせたい場合には、第２のサブフレームサブセットに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するサブフレームサブセットによって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１のサブフレームサブセットのＴＰＣコマンドの電力補正値を高く設定し、ＲＲＨ１０３向けの上りリンク送信電力を低くしたい場合には、第２のサブフレームサブセットのＴＰＣコマンドの電力補正値を低くなるように設定する。基地局１０１は、端末Ａに対しては、第１のサブフレームサブセットによって上りリンク信号の送信および上りリンク送信電力制御を行い、端末Ｂに対しては、第２のサブフレームサブセットによって上りリンク信号の送信および上りリンク送信電力制御を行う。
【０１７７】
図２６は、端末１０２が上りリンクグラントを検出する制御チャネル領域によるパスロス参照リソースの詳細を示す図である。図２５同様、基地局１０１は、端末１０２に対して２つ以上のパスロス参照リソース（第１のパスロス参照リソース、第２のパスロス参照リソース）を設定できる。ここで、第２のパスロス参照リソースは、追加変更リストによって随時追加可能なパラメータである。パスロス参照リソースは、測定対象設定で設定される測定対象と関連付けされている。例えば、測定対象には、上りリンクグラント検出領域（第１の制御チャネル領域、第２の制御チャネル領域）が設定されており、上りリンクグラント検出領域に含まれる下りリンク制御チャネル領域で上りリンクグラントを検出した場合には、端末１０２は、上りリンクグラント検出領域と関連付けられた測定対象を用いてパスロスを計算し、そのパスロスに基づいて上りリンク送信電力を計算する。つまり、端末１０２は、パスロス参照リソースが複数（第１のパスロス参照リソースおよび第２のパスロス参照リソース）設定された場合には、上りリンクグラント検出領域をパスロス参照リソースと関連付ける。さらに具体的に述べると、第１のパスロス参照リソースと第１の制御チャネル領域を関連付ける。また第２のパスロス参照リソースと第２の制御チャネル領域を関連付ける。さらにパスロス参照リソースから、上りリンク送信電力の計算の基となる測定対象設定を選択し、この測定対象設定で指定された測定対象の受信信号電力に基づいて計算したパスロスを基に上りリンク送信電力を計算する。これにより、端末１０２は、上りリンクグラントを検出した領域によって、測定対象に応じて計算された上りリンク送信電力で上りリンク信号を送信することができる。さらに複数の第２の測定対象設定が第２のパスロス参照リソースと関連付けられた場合の第２のパスロスの計算方法について例をあげる。第２のパスロス参照リソースはパスロス参照リソース追加変更リストの中に複数の第１もしくは第２の測定対象設定、つまり例えば伝送路状況測定用参照信号のアンテナポート１５、１６など指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り第２のパスロスとしてもよい。また２つのパスロスを線形処理したのち第２のパスロスとしてもよい。また上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。
【０１７８】
また、パスロス測定リソースは、第１の実施形態または第２の実施形態で示されたセル固有参照信号アンテナポート０またはＣＳＩ−ＲＳアンテナポートインデックス（ＣＳＩ−ＲＳ測定インデックス）であってもよい。
【０１７９】
別の観点から考えると、例えば基地局と通信を行う端末を端末Ａ、ＲＲＨと通信を行う端末を端末Ｂとした場合、端末Ａのダイナミックな上りリンク信号の送信制御を第１の制御チャネル（ＰＤＣＣＨ）領域でのみ行い、また端末Ｂのダイナミックな上りリンク信号の送信制御を第２の制御チャネル（Ｘ−ＰＤＣＣＨ）領域でのみ行う。つまり、基地局１０１は、端末１０２に基地局１０１向けの上りリンク信号の送信を行わせたい場合には、上りリンクグラントを第１の制御チャネル領域に含めて端末１０２へ通知し、端末１０２にＲＲＨ１０３向けの上りリンク信号の送信を行わせたい場合には、第２の制御チャネル領域に含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知する制御チャネル領域によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１の制御チャネル領域のＴＰＣコマンドの電力補正値を高く設定し、ＲＲＨ１０３向けの上りリンク送信電力を低くしたい場合には、第２の制御チャネル領域のＴＰＣコマンドの電力補正値を低くなるように設定する。基地局１０１は、端末Ａに対しては、第１の制御チャネル領域によって上りリンク信号の送信および上りリンク送信電力制御を行い、端末Ｂに対しては、第２の制御チャネルによって上りリンク信号の送信および上りリンク送信電力制御を行う。
【０１８０】
また、第３の実施形態の変形例１では、基地局１０１は、パスロス参照リソースを設定した上りリンク電力制御に関するパラメータの設定を含む無線リソース制御信号を端末１０２へ通知し、上りリンクグラントを端末１０２へ通知する。また、端末１０２は、無線リソース制御信号に含まれる情報に従って、パスロス参照リソースおよび上りリンク電力制御に関するパラメータの設定に基づいてパスロスおよび上りリンク送信電力を計算し、上りリンク送信電力において上りリンク信号を基地局１０１へ送信する。
【０１８１】
また、第３の実施形態の変形例１では、基地局１０１は、第１および第２のパスロス参照リソースを設定した上りリンク電力制御に関するパラメータの設定を含む無線リソース制御信号を端末１０２へ通知する。また、端末１０２は、第１のパスロス参照リソースに基づいて第１のパスロスを計算し、第２のパスロス参照リソースに基づいて第２のパスロスを計算し、第１または第２のパスロスと上りリンク電力制御に関するパラメータの設定に基づいて上りリンク送信電力を計算する。
【０１８２】
また、第３の実施形態の変形例１では、基地局１０１は、プライマリーセルおよびセカンダリーセル固有のパスロス参照リソースを設定した上りリンク電力制御に関するパラメータの設定を含む無線リソース制御信号を端末１０２へ通知し、上りリンクグラントを端末１０２へ通知する。また、端末１０２は、プライマリーセルおよびセカンダリーセル固有のパスロス参照リソースが設定された上りリンク電力制御に関するパラメータの設定を含む無線リソース制御信号を受信し、プライマリーセルにおいて上りリンクグラントを検出した場合には、プライマリーセル端末固有上りリンク電力制御に関するパラメータの設定に含まれたパスロス参照リソースと前記上りリンク電力制御に関するパラメータの設定に基づいてパスロスおよび上りリンク送信電力を計算し、セカンダリーセルにおいて上りリンクグラントを検出した場合には、セカンダリ−セル端末固有上りリンク電力制御に関するパラメータの設定に含まれたパスロス参照リソースと上りリンク電力制御に関するパラメータの設定に基づいてパスロスおよび上りリンク送信電力を計算し、上りリンクグラントを検出したセルに対して計算して得られた上りリンク送信電力において上りリンク信号を基地局１０１へ送信する。
【０１８３】
また、第３の実施形態の変形例１では、基地局１０１は、第１および第２のパスロス参照リソースを設定した上りリンク電力制御に関するパラメータの設定を含む無線リソース制御信号を端末１０２へ通知し、上りリンクグラントを端末１０２へ通知する。また、端末１０２は、無線リソース制御信号に含まれる情報に従って、第１のサブフレームサブセットに含まれる下りリンクサブフレームにおいて上りリンクグラントを検出した場合には、第１のパスロス参照リソースと上りリンク電力制御に関するパラメータの設定に基づいてパスロスおよび上りリンク送信電力を計算し、第２のサブフレームサブセットに含まれる下りリンクサブフレームにおいて前記上りリンクグラントを検出した場合には、第２のパスロス参照リソースと前記上りリンク電力制御に関するパラメータの設定に基づいてパスロスおよび上りリンク送信電力を計算し、サブフレームサブセットに含まれる上りリンクサブフレームおよび上りリンク送信電力において上りリンク信号を基地局１０１へ送信する。
【０１８４】
また、第３の実施形態の変形例１では、端末１０２は、第１の制御チャネル領域において上りリンクグラントを検出した場合には、第１のパスロス参照リソースと上りリンク電力制御に関するパラメータの設定に基づいて第１のパスロスおよび第１の上りリンク送信電力を計算し、第２の制御チャネル領域において上りリンクグラントを検出した場合には、第２のパスロス参照リソースと上りリンク電力制御に関するパラメータの設定に基づいて第２のパスロスおよび第２の上りリンク送信電力を計算し、上りリンクグラントを検出したタイミングに応じて第１または第２の上りリンク送信電力において上りリンク信号を基地局１０１へ送信する。
【０１８５】
図１を用いてさらに具体的に説明すると、端末１０２は、パスロス参照リソースが複数（第１のパスロス参照リソースおよび第２のパスロス参照リソース）設定された場合には、上りリンクグラントが検出される制御チャネル領域をパスロス参照リソースと関連付ける。さらに具体的に述べると、第１のパスロス参照リソースと第１の制御チャネル領域を関連付ける。また第２のパスロス参照リソースと第２の制御チャネル領域を関連付ける。さらにパスロス参照リソースから、上りリンク送信電力の計算の基となる測定対象設定を選択し、この測定対象設定で指定された測定対象の受信信号電力に基づいて計算したパスロスを基に上りリンク送信電力を計算する。一例では第１のパスロス参照リソースは第１の測定対象設定、つまりセル固有参照信号のアンテナポート０を指定し、これは基地局１０１から送信されていてもよい、また第２のパスロス参照リソースは第２の測定対象設定、つまり伝送路状況測定用参照信号のアンテナポート１５を指定し、これはＲＲＨ１０３から送信されていてもよい。従って上りリンクグラントを検出する制御チャネル領域に従って異なる測定対象が参照され、結果として上りリンク信号が第１の制御チャネル領域で検出された場合は基地局１０１に適した送信電力が設定され、上りリンク信号が第２の制御チャネル領域で検出された場合はＲＲＨ１０３に適した送信電力が設定されることとなる。すなわち、上りリンクグラントを検出する制御チャネル領域に応じて、パスロス計算に使用する測定対象を切り替えて適切な上りリンク送信電力制御を行なうことができる。また制御チャネル領域に応じて異なる測定対象を参照することで、前述したサブフレームパターンを基地局から端末１０２に通知する必要もなくなる。
【０１８６】
また別の例では、基地局またはＲＲＨ１０３に対して適切な上りリンク送信電力制御を行なうために、基地局１０１は、端末１０２に対して種々の上りリンク電力制御に関するパラメータ設定の再設定を行なうことができる。前述した通り基地局１０１は、基地局もしくはＲＲＨへの送信に適切な上りリンク送信電力制御を行なうためには、第１の測定対象設定によるパスロス測定か第２の測定対象設定によるパスロス測定かを切り替える必要がある。しかしながら端末１０２が数十から数百サブフレームのオーダーで基地局またはＲＲＨのいずれか一方にのみ通信を行い、その切り替えは準静的に行われる場合、上記測定対象設定（第１の測定対象設定、第２の測定対象設定）と上記パスロス参照リソースに関するパラメータの設定を更新することで、適切な上りリンク送信電力制御を行なうことができる。つまり図２５や図２６記載の第１のパスロス参照リソースのみを設定し、適切な設定を行えば、基地局１０１もしくはＲＲＨ１０３へ適切な送信電力を設定することが可能となる。
【０１８７】
（第３の実施形態の変形例２）
また、第３の実施形態の変形例２では、端末１０２は、複数の上りリンク電力制御に関するパラメータの設定が設定され、各々の上りリンク電力制御に関するパラメータの設定を用いて種々の上りリンク信号（ＰＵＳＣＨ、ＰＵＣＣＨ、ＳＲＳ）の上りリンク送信電力（PPUSCH, PPUCCH, PSRS）を計算することができる。
【０１８８】
第３の実施形態の変形例２では、基地局１０１は、複数の上りリンク電力制御に関するパラメータの設定（例えば、第１の上りリンク電力制御に関するパラメータの設定および第２の上りリンク電力制御に関するパラメータの設定）を設定し、端末１０２へ通知する。端末１０２は、通知された情報に従って、第１の上りリンク電力制御に関するパラメータの設定に基づいてパスロスを計算し、そのパスロスと第１の上りリンク電力制御に関するパラメータの設定に基づいて上りリンク送信電力を計算する。また、端末１０２は、第２の上りリンク電力制御に関するパラメータの設定に基づいてパスロスを計算し、そのパスロスと第２の上りリンク電力制御に関するパラメータの設定に基づいて上りリンク送信電力を計算する。ここで、第１の上りリンク電力制御に関するパラメータの設定に基づいて計算される上りリンク送信電力を第１の上りリンク送信電力、第２の上りリンク電力制御に関するパラメータの設定に基づいて計算される上りリンク送信電力を第２の上りリンク送信電力とする。
【０１８９】
端末１０２は、上りリンクグラントを検出した周波数リソースやタイミングによって、第１の上りリンク送信電力において上りリンク信号を送信するのか第２の上りリンク送信電力において上りリンク信号を送信するのかを制御する。
【０１９０】
基地局１０１は、第１の上りリンク電力制御に関するパラメータの設定と第２の上りリンク電力制御に関するパラメータの設定それぞれに含まれる情報要素を個別に設定してもよい。例えば、図２７から図３０を用いて具体的に説明すると、図２７は、本願の本実施形態における第２の上りリンク電力制御に関するパラメータの設定の一例を示す図である。第２の上リンク電力制御に関するパラメータの設定は、第２の（プライマリー）セル固有上りリンク電力制御に関するパラメータの設定−ｒ１１と第２のセカンダリーセル固有上りリンク電力制御に関するパラメータの設定−ｒ１１と第２の（プライマリーセル）端末固有上りリンク電力制御に関するパラメータの設定−ｒ１１と第２のセカンダリーセル端末固有上りリンク電力制御に関するパラメータの設定−ｒ１１から構成される。なお、第１の上りリンク電力制御に関するパラメータの設定は、図２２および図２４に示されたものと同様である。また、本願の本実施形態においては、第１の（プライマリー）セル固有上りリンク電力制御に関するパラメータの設定−ｒ１１と第１のセカンダリーセル固有上りリンク電力制御に関するパラメータの設定−ｒ１１と第１の（プライマリーセル）端末固有上りリンク電力制御に関するパラメータの設定−ｒ１１と第１のセカンダリーセル端末固有上りリンク電力制御に関するパラメータの設定−ｒ１１が含まれ得る。
【０１９１】
図２８は、各無線リソース設定に含まれる第１の上りリンク電力制御に関するパラメータの設定と第２の上りリンク電力制御に関するパラメータの設定の一例を示す図である。（プライマリー）セル固有無線リソース設定には、第１の（プライマリー）セル固有上りリンク電力制御に関するパラメータの設定と第２の（プライマリー）セル固有上りリンク電力制御に関するパラメータの設定−ｒ１１が含まれている。さらには、（プライマリー）セル固有上りリンク電力制御に関するパラメータの設定−ｒ１１が含まれ得る。また、セカンダリーセル固有無線リソース設定には、第１のセカンダリーセル固有上りリンク電力制御に関するパラメータの設定と第２のセカンダリーセル固有上りリンク電力制御に関するパラメータの設定−ｒ１１が含まれている。さらには、セカンダリ−セル固有上りリンク電力制御に関するパラメータの設定−ｒ１１が含まれ得る。また、（プライマリーセル）端末固有物理設定には、第１の（プライマリーセル）端末固有上りリンク電力制御に関するパラメータの設定と第２の（プライマリーセル）端末固有上りリンク電力制御に関するパラメータの設定−ｒ１１が含まれている。また、セカンダリーセル端末固有物理設定には、第１のセカンダリーセル端末固有上りリンク電力制御に関するパラメータの設定と第２のセカンダリーセル端末固有上りリンク電力制御に関するパラメータの設定−ｒ１１が含まれている。また、（プライマリーセル）端末固有物理設定は、（プライマリーセル）端末固有無線リソース設定（ＲａｄｉｏＲｅｓｏｕｒｃｅＣｏｆｉｇＤｅｄｉｃａｔｅｄ）に含まれる。また、セカンダリーセル端末固有物理設定は、セカンダリーセル端末固有無線リソース設定（ＲａｄｉｏＲｅｓｏｕｒｃｅＣｏｎｆｉｇＤｅｄｉｃａｔｅｄＳＣｅｌｌ−ｒ１０）に含まれる。なお前述するセル固有無線リソース設定および端末固有無線リソース設定は、第２の実施例で述べたＲＲＣコネクションリコンフィグレーション（ＲＲＣＣｏｎｎｅｃｔｉｏｎＲｅｃｏｎｆｉｇｕｒａｔｉｏｎ）やＲＲＣリエスタブリッシュメント（ＲＲＣＣｏｎｎｅｃｔｉｏｎＲｅｅｓｔａｂｌｉｓｈｍｅｎｔ）に含まれてもよい。なお前述するセカンダリーセル固有無線リソース設定およびセカンダリーセル端末固有無線リソース設定は、第２の実施例で述べたＳＣｅｌｌ追加変更リストに含まれてもよい。なお前述するセル固有無線リソース設定および端末固有無線リソース設定は、ＲＲＣ信号（Dedicated signaling）を通じて端末１０２毎に設定されてもよい。なおＲＲＣコネクションリコンフィグレーションおよびＲＲＣリエスタブリッシュメントは、ＲＲＣメッセージを通じて端末毎に設定されてもよい。
【０１９２】
図２９は、第２のセル固有上りリンク電力制御に関するパラメータの設定の一例を示す図である。第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、図２９に示した情報要素がすべて含まれて設定されてもよい。また、第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、図２９に示した情報要素のうち少なくとも一つの情報要素のみが含まれて設定されてもよい。また、第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、一つも含まれてなくてもよい。この場合には、基地局１０１は、解放を選択し、その情報を端末１０２へ通知する。また、第２のセル固有上りリンク電力制御に関するパラメータの設定で設定されなかった情報要素は、第１のセル固有上りリンク電力制御に関するパラメータの設定と共通であってもよい。
【０１９３】
図３０は、第１の端末固有上りリンク電力制御に関するパラメータの設定と第２の端末固有上りリンク電力制御に関するパラメータの設定の一例を示す図である。第１のプライマリーセル／セカンダリーセル端末固有上りリンク電力制御に関するパラメータの設定には、パスロス参照リソースが設定される。また、第２のプライマリーセル／セカンダリーセル端末固有上りリンク電力制御に関するパラメータの設定には、図２２で示した情報要素に加え、パスロス参照リソースが設定される。第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、図３０に示した情報要素がすべて含まれて設定されてもよい。また、第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、図３０に示した情報要素のうち少なくとも一つの情報要素のみが含まれて設定されてもよい。また、第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、一つも含まれてなくてもよい。この場合には、基地局１０１は、解放を選択し、その情報を端末１０２へ通知する。また、第２の端末固有上りリンク電力制御に関するパラメータの設定で設定されなかった情報要素は、第１の端末固有上りリンク電力制御に関するパラメータの設定と共通であってもよい。つまり、第２の端末固有上りリンク電力制御に関するパラメータの設定においてパスロス参照リソースが設定されなかった場合には、第１の端末固有上りリンク電力制御に関するパラメータの設定にて設定されているパスロス参照リソースに基づいてパスロスの計算を行う。
【０１９４】
パスロス参照リソースは、第３の実施形態（図２４）で示したものと同じであってもよい。つまり、パスロス参照リソースを指示する測定対象は、セル固有参照信号アンテナポート０または、ＣＳＩ−ＲＳアンテナポートインデックス（ＣＳＩ−ＲＳ測定インデックス）と関連付けられたインデックスと関連付けられてもよい（図３１）。また、パスロス参照リソースは、図３２または図３３のように示されてもよい。図３２は、パスロス参照リソースの一例（例１）を示す図である。パスロス参照リソースとして複数の測定対象が設定される。端末１０２は、これらの測定症のうち少なくとも一つを用いてパスロスの計算を行うことができる。図３３は、パスロス参照リソースの別の一例（例２）を示す図である。パスロス参照リソースに追加される測定対象は、追加変更リストによって追加されてもよい。また、測定対象の追加数は、最大測定対象ＩＤによって決定されてもよい。測定対象ＩＤは、測定オブジェクトＩＤによって決定されてもよい。つまり、追加する測定対象数は、測定対象設定数と同じであってもよい。また、削除リストによって、不要になった測定対象を削除することができる。なお上記は第３の実施例および第３の実施例の変形例１にも当てはまる。さらに複数の第１および第２の測定対象設定がパスロス参照リソースと関連付けられた場合のパスロスの計算方法について例をあげる。パスロス参照リソースはパスロス参照リソース追加変更リストの中に複数の第１および第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り第２のパスロスとしてもよい。また２つのパスロスを線形処理したのち第２のパスロスとしてもよい。また上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。
【０１９５】
一例として下りリンクサブフレームが第１のサブセットおよび第２のサブセットに分けられているものと考える。ところで上りリンクグラントがサブフレームn（nは自然数）で受信された場合、端末１０２はサブフレームn+4で上りリンク信号の送信を行うため、おのずと上りリンクサブフレームも第１のサブセットおよび第２のサブセットに分けられているものと考える。第１のサブセットと第１の上りリンク電力制御に関するパラメータの設定を関連付け、第２のサブセットと第２の上りリンク電力制御に関するパラメータの設定を関連付けてもよい。つまり、端末１０２は、第１のサブセットに含まれる下りリンクサブフレームにおいて上りリンクグラントを検出した場合には、第１の上りリンク電力制御に関するパラメータの設定に含まれる種々の情報要素と、第１の上りリンク電力制御に関するパラメータの設定に含まれるパスロス参照リソース（測定対象）に基づいてパスロスを計算し、第１の上りリンク送信電力を計算する。また、端末１０２は、第２のサブセットに含まれる下りリンクサブフレームにおいて上りリンクグラントを検出した場合には、第２の上りリンク電力制御に関するパラメータの設定に含まれる種々の情報要素と、第２の上りリンク電力制御に関するパラメータの設定に含まれるパスロス参照リソース（測定対象）に基づいてパスロスを計算し、第２の上りリンク送信電力を計算する。
【０１９６】
また、一例として上りリンクグラントが含まれる制御チャネル領域と上りリンク電力制御に関するパラメータの設定が関連付けられる。すなわち、基地局１０１は、端末１０２がどの制御チャネル領域（第１の制御チャネル領域、第２の制御チャネル領域）で上りリンクグラントを検出したかによって、上りリンク送信電力を計算するために用いる上りリンク電力制御に関するパラメータの設定を切り替えることができる。つまり、端末１０２は、第１の制御チャネル領域で上りリンクグラントを検出した場合には、第１の上りリンク電力制御に関するパラメータの設定を用いてパスロスを計算し、上りリンク送信電力を計算する。また、第２の制御チャネル領域で上りリンクグラントを検出した場合には、第２の上りリンク電力制御に関するパラメータの設定を用いてパスロスを計算し、上りリンク送信電力を計算する。
【０１９７】
第３の実施形態の変形例２では、基地局１０１は、第１および第２の上りリンク電力制御に関するパラメータの設定を端末１０２へ通知する。一例では端末１０２は、通知された情報に従って、第１の上りリンク電力制御に関するパラメータの設定に基づいてパスロス（第１のパスロス）を計算し、第１のパスロスと第１の上りリンク電力制御に関するパラメータの設定に基づいて第１の上りリンク送信電力を計算する。また、端末１０２は、第２の上りリンク電力制御に関するパラメータの設定に基づいてパスロス（第２のパスロス）を計算し、第２のパスロスと第２の上りリンク電力制御に関するパラメータの設定に基づいて第２の上りリンク送信電力を計算する。つまり第１の上りリンク送信電力は常に第１の上りリンク電力制御に関するパラメータの設定で通知された測定対象を元に計算され、第２の上りリンク送信電力は常に第２の上りリンク電力制御に関するパラメータの設定で通知された測定対象を元に計算されてもよい。また端末１０２は、上りリンクグラントを検出した周波数リソースやタイミングによって、前述した第１の上りリンク送信電力において上りリンク信号を送信するのか前述した第２の上りリンク送信電力において上りリンク信号を送信するのかを制御してもよい。
【０１９８】
この様に、第１および第２の上りリンク送信電力は、第１および第２の上りリンク電力制御に関するパラメータの設定と固定的に関連付けられてもよい。
【０１９９】
また、第３の実施形態の変形例２では、基地局１０１は、第１および第２の上りリンク電力制御に関するパラメータの設定を含む無線リソース制御信号を端末１０２へ通知し、上りリンクグラントを端末１０２へ通知する。また、端末１０２は、第１の上りリンク電力制御に関するパラメータの設定に基づいて第１のパスロスおよび第１の上りリンク送信電力を計算し、第２の上りリンク電力制御に関するパラメータの設定に基づいて第２のパスロスおよび第２の上りリンク送信電力を計算し、上りリンクグラントを検出した場合には、第１または第２の上りリンク送信電力において上りリンク信号を送信する。
【０２００】
複数の上りリンク電力制御に関するパラメータの設定を設定することで、端末１０２は、基地局１０１またはＲＲＨ１０３に対して適切な上りリンク電力制御に関するパラメータの設定を選択することができ、基地局１０１またはＲＲＨ１０３に対して適切な上りリンク送信電力の上りリンク信号を送信することができる。さらに具体的に説明すると、第１と第２の上りリンク電力制御に関するパラメータの設定に含まれる情報要素にうち少なくとも１種類の情報要素を異なる値として設定することができる。例えば、セル内のフラクショナル送信電力制御に用いられる減衰係数であるαを基地局１０１と端末１０２間とＲＲＨ１０３と端末１０２間で異なる制御を行いたい場合には、第１の上りリンク電力制御に関するパラメータの設定を基地局１０１向けの送信電力制御、第２の上りリンク電力制御に関するパラメータの設定をＲＲＨ１０３向けの送信電力制御として関連付けることでそれぞれの設定に含まれるαを適切なαとして設定することができる。つまり、基地局１０１と端末１０２間とＲＲＨ１０３と端末１０２間とで異なるフラクショナル送信電力制御を行うことができる。同様にＰＯ＿ＮＯＭＩＮＡＬ＿ＰＵＳＣＨ，ｃやＰＯ＿ＵＥ＿ＰＵＳＣＨ、ｃを第１と第２の上りリンク電力制御に関するパラメータの設定の中で異なる値に設定することにより、基地局１０１と端末１０２間とＲＲＨ１０３と端末１０２間とでＰＵＳＣＨの標準電力を異なる値とすることができる。その他のパラメータに関しても同様のことが行える。
【０２０１】
また、図１を用いて説明すると、端末１０２は、上りリンク１０６に対して、第１の上りリンク電力制御に関するパラメータの設定を用いてパスロスおよび上りリンク送信電力を計算し、その送信電力において上りリンク信号を送信するように制御されてもよい。上りリンク１０８に対して、第２の上りリンク電力制御に関するパラメータの設定を用いてパスロスおよび上りリンク送信電力を計算し、その送信電力において上りリンク信号を送信するように制御されてもよい。
【０２０２】
（第４の実施形態）
次に、第４の実施形態について説明する。第４の実施形態では、基地局１０１が、端末１０２に対して基地局１０１またはＲＲＨ１０３との接続処理に必要なパラメータの設定方法について説明する。
【０２０３】
同じキャリアコンポーネント、同じタイミング（上りリンクサブフレーム）で基地局（マクロ基地局）１０１向けの上りリンク送信電力の上りリンク信号の送信とＲＲＨ１０３向けの上りリンク送信電力の上りリンク信号の送信が行われると、符号間干渉、帯域外輻射による干渉、所望ダイナミックレンジの拡大などの問題が生じる。
【０２０４】
基地局１０１は、基地局１０１向けの上りリンク信号の送信とＲＲＨ１０３向けの上りリンク信号の送信を時間方向で分離するように端末１０２を制御する。つまり、基地局１０１は、端末１０２が基地局１０１へ上りリンク信号を送信するタイミングとＲＲＨ１０３へ上りリンク信号を送信するタイミングと、が異なるように各上りリンク信号（ＰＵＳＣＨ、ＰＵＣＣＨ（ＣＱＩ、ＰＭＩ、ＳＲ、ＲＩ、ＡＣＫ／ＮＡＣＫ）、ＵＬ  ＤＭＲＳ、ＳＲＳ、ＰＲＡＣＨ）の送信タイミングを設定する。すなわち、基地局１０１は、各上りリンク信号に対して基地局１０１向けとＲＲＨ１０３向けの送信が重複しないように設定する。なお種々の上りリンク物理チャネルは、前述する各上りリンク信号（ＰＵＳＣＨ、ＰＵＣＣＨ（ＣＱＩ、ＰＭＩ、ＳＲ、ＲＩ、ＡＣＫ／ＮＡＣＫ）、ＵＬ  ＤＭＲＳ、ＳＲＳ、ＰＲＡＣＨ）のうち少なくとも一つ（または１種類）の上りリンク物理チャネル（上りリンク信号）を含んでいる。
【０２０５】
基地局１０１は、基地局１０１向けの上りリンク信号の送信タイミング（上りリンクサブフレーム）のサブセットとＲＲＨ１０３向けの上りリンク信号の送信タイミング（上りリンクサブフレーム）のサブセットを設定し、そのサブセットに応じて各端末をスケジューリングしてもよい。
【０２０６】
また、基地局１０１は、基地局１０１向けに送信される上りリンク信号とＲＲＨ１０３向けに送信される上りリンク信号に設定される送信電力が適切に行われるように、上りリンク電力制御に関するパラメータの設定も基地局１０１向けとＲＲＨ１０３向けとで適切に設定する。つまり、基地局１０１は、端末１０２に対して適切な上りリンク送信電力制御を行うことができる。
【０２０７】
まず、基地局１０１の時間方向における制御について説明する。基地局１０１向けの上りリンクサブフレームサブセットを第１の上りリンクサブセット、ＲＲＨ１０３向けの上りリンクサブフレームサブセットを第２の上りリンクサブセットとすると、基地局１０１は、端末１０２が基地局１０１と接続するかＲＲＨ１０３と接続するかによって各上りリンク信号を第１のサブセットか第２のサブセットのいずれかに含まれるように種々のパラメータの値を設定する。
【０２０８】
各上りリンク信号の送信サブフレームと送信周期の設定について説明する。ＣＱＩ（Channel Quality Indicator）とＰＭＩ（Precoding Matrix Indicator）はＣＱＩ−ＰＭＩ設定インデックス（cqi-pmi-ConfigIndex）によって送信サブフレームと送信周期が設定される。また、ＲＩ（Rank Indicator）は、ＲＩ設定インデックスによって送信サブフレームと送信周期が設定される。また、ＳＲＳ（Sounding Reference Signal）は、セル固有ＳＲＳサブフレーム設定（srs-SubframeConfig）でセル固有のＳＲＳ送信サブフレーム（送信サブフレームと送信周期）が設定され、端末固有ＳＲＳ設定インデックス（srs-ConfigIndex）によって、セル固有のＳＲＳ送信サブフレームのサブセットである端末固有のＳＲＳ送信サブフレームが設定される。ＰＲＡＣＨは、ＰＲＡＣＨ設定インデックス（prach-ConfigIndex）によって送信サブフレームが設定される。また、ＳＲ（Scheduling Request）は、ＳＲ設定（sr-ConfigIndex）によって、送信タイミングが設定される。
【０２０９】
ＣＱＩ−ＰＭＩ設定インデックスとＲＩ設定インデックスは、ＣＱＩレポート設定（CQI-ReportConfig）に含まれているＣＱＩレポートピリオディック（CQI-ReportPeriodic）にて設定される。また、ＣＱＩレポート設定は、物理設定Ｄｅｄｉｃａｔｅｄに含まれている。
【０２１０】
セル固有ＳＲＳサブフレーム設定は、セル固有サウンディングＵＬ設定（SoundingRS-UL-ConfigCommon）で設定され、端末固有ＳＲＳ設定インデックスは、端末固有サウンディングＵＬ設定（SoundingRS-UL-ConfigDedicated）で設定される。セル固有サウンディングＵＬ設定は、セル固有無線リソース設定ＳＩＢおよびセル固有無線リソース設定に含まれる。端末固有サウンディングＵＬ設定は、端末固有無線リソース設定に含まれる。
【０２１１】
ＰＲＡＣＨ設定インデックスは、ＰＲＡＣＨ設定情報（PRACH-ConfigInfo）で設定される。ＰＲＡＣＨ設定情報は、ＰＲＡＣＨ設定ＳＩＢ（PRACH-ConfigSIB）およびＰＲＡＣＨ設定（PRACH-Config）に含まれる。ＰＲＡＣＨ設定ＳＩＢは、セル固有無線リソース設定ＳＩＢに含まれ、ＰＲＡＣＨ設定は、セル固有無線リソース設定に含まれる。
【０２１２】
ＳＲ設定インデックスは、スケジューリングリクエスト設定（SchedulingRequextConfig）に含まれている。スケジューリングリクエスト設定は、物理設定Ｄｅｄｉｃａｔｅｄに含まれている。
【０２１３】
また、ＰＵＳＣＨやアピリオディックＣＳＩ、アピリオディックＳＲＳは、上りリンクグラントを検出した下りリンクサブフレームと関連付けられた上りリンクサブフレームで送信されるため、上りリンクグラントを通知するタイミングを制御することによって、基地局１０１は端末１０２に対して第１の上りリンクサブセットで送信するか第２の上りリンクサブセットで送信するかを制御することができる。
【０２１４】
基地局１０１は、各上りリンク信号の送信タイミングに関するインデックスを第１の上りリンクサブセットまたは、第２の上りリンクサブセットに含まれるように設定することで、基地局１０１向けの上りリンク信号とＲＲＨ１０３向けの上りリンク信号が互いに干渉元にならないように端末の上りリンク送信制御を行うことができる。
【０２１５】
また、各上りリンク信号のリソース割り当て、送信タイミング、送信電力制御は、セカンダリーセルに対しても設定可能である。具体的に述べると、セル／端末固有ＳＲＳ設定がセカンダリーセル固有に設定される。また、ＰＵＳＣＨの送信タイミングや送信リソースは、上りリンクグラントによって指示される。
【０２１６】
第３の実施形態でも示したように、上りリンク送信電力制御に関するパラメータの設定については、セカンダリーセル固有に設定可能である。
【０２１７】
ＰＲＡＣＨの送信電力の制御について説明する。ＰＲＡＣＨは、プリアンブル初期受信目標電力（preambleInitialReceivedTargetPower）によって、ＰＲＡＣＨの初期送信電力が計算される。基地局−端末間でランダムアクセスが失敗した場合には、送信電力を一定量増加して送信する電力ランピングステップ（powerRampingStep）が設定される。また、電力を増加して送信した物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）によるランダムアクセスが失敗し続け、端末１０２の最大送信電力またはＰＲＡＣＨの最大送信回数を超えた場合には、端末１０２はランダムアクセスが失敗したと判断し、ランダムアクセス問題（RAP: Random Access Problem）が生じたことを上位層へ通知する。上位層にランダムアクセス問題が通知された場合には、無線リソース障害（RLF: Radio Link Failure）が生じたと判断する。
【０２１８】
セル固有無線リソース設定には、端末１０２の最大送信電力を表すＰ＿ＭＡＸが含まれる。また、セカンダリーセル固有無線リソース設定にもＰ＿ＭＡＸが含まれる。基地局１０１は、プライマリーセルまたはセカンダリーセル固有に端末１０２の最大送信電力を設定することができる。
【０２１９】
また、ＰＵＳＣＨ、ＰＵＣＣＨ、ＳＲＳの上りリンク送信電力については、第３の実施形態で示した通りである。
【０２２０】
一例として、基地局１０１は、システム情報で通知されるセル固有／端末固有無線リソース設定および物理設定Ｄｅｄｉｃａｔｅｄに含まれるＰＵＳＣＨ／ＰＵＣＣＨ／ＳＲＳ／ＰＲＡＣＨの時間軸上の設定（インデックス）は、まず、第１の上りリンクサブフレームサブセットに含まれるように設定する。ＲＲＣ接続確立後、基地局１０１とＲＲＨ１０３とで端末１０２毎にチャネル測定等を行うことによって端末１０２がどちら（基地局１０１、ＲＲＨ１０３）に近いのかを把握する。基地局１０１は、測定した端末１０２がＲＲＨ１０３よりも基地局１０１の方に近い、と判断した場合には、特に設定を変えず、測定した端末１０２が基地局１０１よりもＲＲＨ１０３の方に近い、と判断した場合には、ＲＲＨ１０３との接続に適した再設定情報（例えば、送信電力制御情報、送信タイミング情報）をその端末１０２へ通知する。ここで、送信電力制御情報は、各上りリンク信号に対する送信電力制御の総称である。例えば、上りリンク電力制御に関するパラメータの設定に含まれる種々の情報要素やＴＰＣコマンドが送信電力制御情報に含まれる。また、送信タイミング情報は、各上りリンク信号に対する送信タイミングを設定するための情報の総称である。例えば、送信タイミング情報は、送信タイミングに関する制御情報（ＳＲＳサブフレーム設定やＣＱＩ−ＰＭＩ設定インデックスなど）が含まれている。
【０２２１】
基地局１０１向けまたはＲＲＨ１０３向けの上りリンク信号の送信制御（上りリンク送信タイミング制御）について説明する。基地局１０１は、各端末の測定結果によって端末１０２が基地局１０１に近いのかＲＲＨ１０３に近いのか判断する。測定結果（測定レポート）によって、基地局１０１は、端末１０２がＲＲＨ１０３よりも基地局１０１の方に近い、と判断した場合には、第１の上りリンクサブセットに含まれるように各上りリンク信号の送信タイミング情報を設定し、送信電力情報を基地局１０１向けに適した値に設定する。この際、基地局１０１は、端末１０２に対して特に再設定のための情報を通知しない場合もある。つまり、初期設定のまま、特に更新しない場合もある。また、基地局１０１は、端末１０２が基地局１０１よりもＲＲＨ１０３の方に近い、と判断した場合には、第２の上りリンクサブセットに含まれるように各上りリンク信号の送信タイミング情報を設定し、送信電力情報をＲＲＨ１０３向けに適した値に設定する。すなわち、基地局１０１は、送信タイミングを変えることで、基地局１０１向けの上りリンク信号とＲＲＨ１０３向けの上りリンク信号を制御し、互いの信号が干渉しないように端末を制御することができる。ここで、基地局１０１と通信を行う端末１０２を端末Ａ、ＲＲＨ１０３と通信を行う端末１０２を端末Ｂとする。基地局１０１は、端末Ｂに対しては、端末Ａと送信タイミングが同じにならないように送信タイミングが含まれる種々の設定インデックスを設定することができる。例えば、端末固有のＳＲＳサブフレーム設定を端末Ａと端末Ｂで異なる値に設定してもよい。
【０２２２】
また、第３の実施形態で示したように、基地局１０１は、第１の上りリンクサブセットと第２の上りリンクサブセットに対してそれぞれ測定対象を関連付けることができる。
【０２２３】
上記の手順を、より具体的に説明する。基地局１０１および／またはＲＲＨ１０３は、ＰＲＡＣＨの時間軸上の設定として第１の上りリンクサブセット内のサブフレームを指定する報知情報を報知する。初期アクセス前の端末１０２あるいはＲＲＣアイドル状態の端末１０２は、取得された報知情報に基づいて、第１の上りリンクサブセット内のいずれかのサブフレームにおけるＰＲＡＣＨリソースを用いて初期アクセスを試る。このとき、ＰＲＡＣＨの送信電力は、基地局あるいは基地局とＲＲＨとが送信するＣＲＳを参照して設定される。そのため、比較的高い送信電力となり、ＰＲＡＣＨは基地局１０１に到達する。
【０２２４】
ランダムアクセス手続きによるＲＲＣ接続確立後あるいはＲＲＣ接続確立手順中に、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが設定される。ここで、これらのリソースは、すべて第１の上りリンクサブセット内のサブフレームにおけるリソースが設定される。また、基地局１０１は、第１の上りリンクサブセット内のサブフレームにおけるＰＵＳＣＨや、第１の上りリンクサブセット内のサブフレームにおけるＰＵＣＣＨでＡｃｋ／Ｎａｃｋを送信するようなＰＤＳＣＨを端末１０２にスケジューリングする（割り当てる）。このとき、ＰＵＳＣＨやＰＵＣＣＨやＳＲＳの送信電力は、基地局１０１あるいは基地局１０１とＲＲＨ１０３とが送信するＣＲＳを参照して設定される。そのため、比較的高い送信電力となり、ＰＵＳＣＨやＰＵＣＣＨやＳＲＳは基地局１０１に到達する。このように、比較的高い送信電力（基地局１０１と端末１０２との間の損失を補償するような送信電力）で上りリンク送信を行う端末１０２は、第１の上りリンクサブセット内のサブフレームのみを用いる。
【０２２５】
次に基地局１０１は、端末１０２が基地局１０１に向けて上りリンク信号を送信すべきであるか、あるいはＲＲＨ１０３に向けて上りリンク信号を送信すべきであるかを判定（判断）する。言い換えると、端末１０２が基地局１０１と端末１０２との間の損失を補償するような送信電力で送信すべきであるか、ＲＲＨ１０３と端末１０２との間の損失を補償するような送信電力で送信すべきであるかを判定する。この判定基準としては、上記で説明したように、端末１０２の位置が基地局１０１とＲＲＨ１０３のいずれに近いかを、測定結果から算出してもよいし、他の判定基準を用いることもできる。例えば、端末１０２が第１の上りリンクサブセット内のサブフレームで送信したＳＲＳなどの信号をＲＲＨ１０３が受信し、受信信号の電力に基づいて判定することもできる。基地局１０１が、端末１０２が基地局１０１に向けて上りリンク信号を送信すべきと判定した場合、第１の上りリンクサブセット内のサブフレームのみを用いた上りリンク通信を継続する。
【０２２６】
基地局１０１が、端末１０２がＲＲＨ１０３に向けて上りリンク信号を送信すべきと判定した場合、これらのリソースにおいて、比較的低い送信電力（ＲＲＨ１０３と端末１０２との間の損失を補償するような送信電力）で上りリンク送信を行うように、上りリンク電力制御に関するパラメータが設定される。ここで、送信電力を低くする設定としては、上記各実施形態で説明した方法を用いることができる。あるいは、閉ループ送信電力制御を繰り返して徐々に電力を低くする方法や、ハンドオーバ手続きによってシステム情報内のＣＲＳ電力値や伝搬路損失補償係数αの設定を更新する方法など、他の方法を用いることもできる。
【０２２７】
また、基地局１０１が、端末１０２がＲＲＨ１０３に向けて上りリンク信号を送信すべきと判定した場合、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが再設定される。ここで、これらのリソースは、すべて第２の上りリンクサブセット内のサブフレームにおけるリソースが設定される。また、ハンドオーバ手続き（モビリティ制御手続き）によって、システム情報内のＰＲＡＣＨリソースの設定を更新する。ここで、ＰＲＡＣＨリソースは、すべて第２の上りリンクサブセット内のサブフレームにおけるリソースが設定される。また、基地局１０１は、第２の上りリンクサブセット内のサブフレームにおけるＰＵＳＣＨや、第２の上りリンクサブセット内のサブフレームにおけるＰＵＣＣＨでＡｃｋ／Ｎａｃｋを送信するようなＰＤＳＣＨを端末１０２にスケジューリングする（割り当てる）。このように、比較的低い送信電力（ＲＲＨ１０３と端末１０２との間の損失を補償するような送信電力）で上りリンク送信を行う端末１０２は、第２の上りリンクサブセット内のサブフレームのみを用いる。
【０２２８】
以上のように、比較的高い送信電力（基地局１０１と端末１０２との間の損失を補償するような送信電力）で上りリンク送信を行う端末１０２は、第１の上りリンクサブセット内のサブフレームを用い、比較的低い送信電力（ＲＲＨ１０３と端末１０２との間の損失を補償するような送信電力）で上りリンク送信を行う端末１０２は、第２の上りリンクサブセット内のサブフレームのみを用いる。これにより、基地局１０１が受信するサブフレームとＲＲＨ１０３が受信するサブフレームとを時間軸上で分離することができる。そのため、受信電力が大きい信号と小さい信号とを同時に受信処理する必要が無くなるため、干渉を抑制することができる。また、基地局１０１あるいはＲＲＨ１０３における所要ダイナミックレンジを狭くすることができる。
【０２２９】
ここで、キャリアアグリゲーション時の基地局１０１向けまたはＲＲＨ１０３向けの上りリンク信号の送信制御（上りリンク送信リソース制御）について説明する。基地局１０１は、端末１０２に対して２つのキャリアコンポーネント（第１のキャリアコンポーネント、第２のキャリアコンポーネント）を設定し、第１のキャリアコンポーネントをプライマリーセル、第２のキャリアコンポーネントをセカンダリーセルとして設定した場合を想定する。測定結果によって、基地局１０１は、端末１０２がＲＲＨよりも基地局の方に近い（端末Ａ）、と判断した場合、セカンダリーセルをデアクティベーションに設定する。つまり、端末Ａは、セカンダリーセルを使用せず、プライマリーセルでのみ使用して通信を行う。また、基地局１０１は、端末１０２が基地局１０１よりもＲＲＨ１０３の方に近い（端末Ｂ）、と判断した場合には、セカンダリーセルをアクティベーションにする。つまり、端末Ｂは、プライマリーセルだけでなく、セカンダリーセルも使用して基地局１０１およびＲＲＨ１０３と通信を行う。基地局１０１は、端末Ｂのセカンダリーセルの設定に対してＲＲＨ１０３向けの送信に適したリソース割り当て、送信電力制御を設定する。つまり、基地局１０１は、端末Ｂに対してセカンダリーセルのパスロス測定はＲＲＨから送信されることを想定してパスロス計算および上りリンク送信電力を計算するように制御する。ただし、端末Ｂがセカンダリーセルを介して送信する上りリンク信号は、ＰＵＳＣＨ、ＰＵＳＣＨ復調用ＵＬ  ＤＭＲＳ、ＳＲＳである。ＰＵＣＣＨ（ＣＱＩ、ＰＭＩ、ＲＩ）、ＰＵＣＣＨ復調用ＵＬ  ＤＭＲＳ、ＰＲＡＣＨは、プライマリーセルを介して送信される。例えば、端末Ｂが上位層によってＰＵＳＣＨとＰＵＣＣＨの同時送信が許可された場合、プライマリーセルでＰＵＣＣＨを送信し、セカンダリーセルでＰＵＳＣＨを送信するように制御される。この際、端末Ｂは、基地局１０１によってプライマリーセルへの送信電力を基地局１０１向けに制御され、セカンダリーセルへの送信電力をＲＲＨ１０３向けに制御される。また、端末Ａが上位層によってＰＵＳＣＨとＰＵＣＣＨの同時送信が許可された場合、ＰＵＳＣＨとＰＵＣＣＨともにプライマリーセルを介して送信するように基地局１０１によって制御される。すなわち、基地局１０１は、送信リソースを変えることで、基地局１０１向けの上りリンク信号とＲＲＨ１０３向けの上りリンク信号を制御し、互いの信号が干渉しないように端末１０２を制御することができる。
【０２３０】
また、基地局１０１は、端末Ｂに対しては、ハンドオーバを利用することで、第１のキャリアコンポーネントをセカンダリーセル、第２のキャリアコンポーネントをプライマリーセルとして再設定することができる。この際、端末Ｂは、上述の端末Ａと同様の処理を行う。つまり、端末Ｂは、セカンダリーセルをデアクティベーションする。つまり、端末Ｂは、セカンダリーセルを使用せず、プライマリーセルを介してのみＲＲＨと通信を行う。この際、端末Ｂは、プライマリーセルを介して、すべての上りリンク信号を送信するように制御される。また、この際の上りリンク送信電力は、すべてＲＲＨ１０３向けの上りリンク送信電力制御が行われる。すなわち、ＰＵＳＣＨ、ＰＵＣＣＨ、ＰＲＡＣＨ、ＳＲＳがＲＲＨ１０３向けの送信電力に再設定される。この際の再設定情報は、ＲＲＣコネクションリコンフィグレーションに含まれる。
【０２３１】
また、基地局１０１は、キャリアコンポーネントまたはセルに対して上りリンク送信電力によるアクセス（送信）制限（ac-BarringFactor）を設けることで、第２のキャリアコンポーネントを介して高い送信電力で通信が行われないように端末を制御することができる。
【０２３２】
また、第３の実施形態で示したように、基地局１０１は、第１のキャリアコンポーネントと第２のキャリアコンポーネントまたは、プライマリーセルとセカンダリーセルに対してそれぞれ測定対象を関連付けることができる。
【０２３３】
上記の手順を、異なる観点から説明する。基地局１０１とＲＲＨ１０３は、２つの下りリンクキャリアコンポーネント（コンポーネントキャリア）および２つの上りリンクキャリアコンポーネント（コンポーネントキャリア）の部分集合となるキャリアコンポーネントの組み合わせを用いて通信を行う。基地局１０１および／またはＲＲＨ１０３は、第２の下りリンクキャリアコンポーネントにおいて、初期アクセスを制限する（初期アクセスさせないような）報知情報を報知する。一方、第１の下りリンクキャリアコンポーネントにおいては、初期アクセスを可能とするような報知情報を報知する（初期アクセスを制限するような報知情報を報知しない）。初期アクセス前の端末あるいはＲＲＣアイドル状態の端末１０２は、取得された報知情報に基づいて、第２の上りリンクキャリアコンポーネントではなく、第１の上りリンクキャリアコンポーネントにおけるＰＲＡＣＨリソースを用いて初期アクセスを試る。このとき、ＰＲＡＣＨの送信電力は、第１の下りリンクキャリアコンポーネントにおいて基地局１０１あるいは基地局１０１とＲＲＨ１０３とが送信するＣＲＳを参照して設定される。そのため、比較的高い送信電力となり、ＰＲＡＣＨは基地局１０１に到達する。
【０２３４】
ランダムアクセス手続きによるＲＲＣ接続確立後あるいはＲＲＣ接続確立手順中に、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが設定される。ここで、これらのリソースは、第１の上りリンクキャリアコンポーネントにおけるリソース、すなわちプライマリーセル（ＰＣｅｌｌ：第１の下りリンクキャリアコンポーネントと第１の上りリンクキャリアコンポーネントとを有するセル）におけるリソースが設定される。また、基地局１０１は、第１の上りリンクキャリアコンポーネントにおけるＰＵＳＣＨ端末１０２にスケジューリングする（割り当てる）。さらに、端末１０２は、第１の下りリンクキャリアコンポーネントにおけるＰＤＳＣＨに対するＡｃｋ／Ｎａｃｋを、第１の上りリンクキャリアコンポーネントにおけるＰＵＣＣＨを用いて送信する。このとき、ＰＵＳＣＨやＰＵＣＣＨやＳＲＳの送信電力は、ＰＣｅｌｌにおいて基地局１０１あるいは基地局１０１とＲＲＨ１０３とが送信するＣＲＳを参照して設定される。そのため、比較的高い送信電力となり、ＰＵＳＣＨやＰＵＣＣＨやＳＲＳは基地局１０１に到達する。
【０２３５】
キャリアアグリゲーションを行う場合は、第２の下りリンクキャリアコンポーネントを有する（上りリンクキャリアコンポーネントを有しない）セルとしてセカンダリセル（ＳＣｅｌｌ）を設定する。ＳＣｅｌｌにおける周期的ＣＳＩやＡｃｋ／Ｎａｃｋ用の準静的に割り当てられるＰＵＣＣＨリソースは、第１の上りリンクキャリアコンポーネントにおけるリソース、すなわちＰＣｅｌｌにおけるリソースが設定される。また、端末１０２は、第２の下りリンクキャリアコンポーネント（ＳＣｅｌｌ）におけるＰＤＳＣＨに対するＡｃｋ／Ｎａｃｋを、第１の上りリンクキャリアコンポーネント（ＰＣｅｌｌ）におけるＰＵＣＣＨを用いて送信する。このとき、ＰＵＳＣＨやＰＵＣＣＨやＳＲＳの送信電力は、ＰＣｅｌｌにおいて基地局１０１あるいは基地局１０１とＲＲＨ１０３とが送信するＣＲＳを参照して設定される。そのため、比較的高い送信電力となり、ＰＵＳＣＨやＰＵＣＣＨやＳＲＳは基地局１０１に到達する。このように、キャリアアグリゲーションを行うか否かによらず、比較的高い送信電力（基地局１０１と端末１０２との間の損失を補償するような送信電力）で上りリンク送信を行う端末１０２は、第１の上りリンクキャリアコンポーネントのみを用いる。
【０２３６】
次に、基地局１０１は、端末１０２が基地局１０１に向けて上りリンク信号を送信すべきであるか、あるいはＲＲＨ１０３に向けて上りリンク信号を送信すべきであるかを判定する。言い換えると、端末１０２が基地局１０１と端末１０２との間の損失を補償するような送信電力で送信すべきであるか、ＲＲＨ１０３と端末１０２との間の損失を補償するような送信電力で送信すべきであるかを判定する。この判定基準としては、上記で説明した方法を用いることができる。基地局１０１が、端末１０２が基地局１０１に向けて上りリンク信号を送信すべきと判定した場合、第１の上りリンクキャリアコンポーネントのみを用いた上りリンク通信、すなわち第１の下りリンクキャリアコンポーネントと第１の上りリンクキャリアコンポーネントとを有するセルをＰＣｅｌｌとした通信を継続する。
【０２３７】
基地局１０１が、端末１０２がＲＲＨ１０３に向けて上りリンク信号を送信すべきと判定した場合、ハンドオーバ手続きによってＰＣｅｌｌを変更する。すなわち、第１の下りリンクキャリアコンポーネントと第１の上りリンクキャリアコンポーネントとを有するＰＣｅｌｌから、第２の下りリンクキャリアコンポーネントと第２の上りリンクキャリアコンポーネントとを有するＰＣｅｌｌに変更する。このハンドオーバ手続の中で、ハンドオーバ後に比較的低い送信電力（ＲＲＨ１０３と端末１０２との間の損失を補償するような送信電力）で上りリンク送信を行うように、上りリンク電力制御に関するパラメータが設定される。例えば、システム情報内のＣＲＳ電力値や伝搬路損失補償係数αや上りリンク送信電力の初期値の設定を更新する方法など、他の方法を用いることもできる。また、初期アクセスを制限しないようなシステム情報を設定する。
【０２３８】
また、ＰＣｅｌｌが変更された場合、第２の上りリンクキャリアコンポーネントにおけるランダムアクセス手続きが行われ、ＲＲＣ接続が確立される。このランダムアクセス手続きによるＲＲＣ接続確立後あるいはＲＲＣ接続確立手順中に、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが再設定される。ここで、これらのリソースは、すべて第２の上りリンクキャリアコンポーネントにおけるリソースが設定される。基地局１０１は、第２の上りリンクキャリアコンポーネントにおけるＰＵＳＣＨや、第２の上りリンクキャリアコンポーネントにおけるＰＵＣＣＨでＡｃｋ／Ｎａｃｋを送信するようなＰＤＳＣＨを端末１０２にスケジューリングする（割り当てる）。このとき、ＰＵＳＣＨやＰＵＣＣＨやＳＲＳの送信電力は、比較的低い送信電力（ＲＲＨ１０３と端末１０２との間の損失を補償するような送信電力）となるように、上りリンク電力制御に関するパラメータが設定される。
【０２３９】
キャリアアグリゲーションを行う場合は、第１の下りリンクキャリアコンポーネントを有する（上りリンクキャリアコンポーネントを有しない）セルとしてＳＣｅｌｌを設定する。ＳＣｅｌｌにおける周期的ＣＳＩやＡｃｋ／Ｎａｃｋ用の準静的に割り当てられるＰＵＣＣＨリソースは、第２の上りリンクキャリアコンポーネントにおけるリソース、すなわちＰＣｅｌｌにおけるリソースが設定される。また、端末１０２は、ＳＣｅｌｌにおけるＰＤＳＣＨに対するＡｃｋ／Ｎａｃｋを、第２の上りリンクキャリアコンポーネントにおけるＰＵＣＣＨを用いて送信する。このとき、ＰＵＣＣＨの送信電力は、比較的低い送信電力（ＲＲＨ１０３と端末１０２との間の損失を補償するような送信電力）となるように、上りリンク電力制御に関するパラメータが設定される。このように、キャリアアグリゲーションを行うか否かによらず、比較的低い送信電力（ＲＲＨ１０３と端末１０２との間の損失を補償するような送信電力）で上りリンク送信を行う端末１０２は、第２の上りリンクキャリアコンポーネントのみを用いる。
【０２４０】
以上のように、比較的高い送信電力（基地局１０１と端末１０２との間の損失を補償するような送信電力）で上りリンク送信を行う端末１０２は、第１の上りリンクキャリアコンポーネントを用い、比較的低い送信電力（ＲＲＨ１０３と端末１０２との間の損失を補償するような送信電力）で上りリンク送信を行う端末１０２は、第２の上りリンクキャリアコンポーネントのみを用いる。これにより、基地局１０１が受信するサブフレームとＲＲＨ１０３が受信するサブフレームとを周波数軸上で分離することができる。そのため、受信電力が大きい信号と小さい信号とを同時に受信処理する必要が無くなるため、干渉を抑制することができる。また、基地局１０１あるいはＲＲＨ１０３における所要ダイナミックレンジを狭くすることができる。
【０２４１】
ここで、上りリンクグラントが含まれる制御チャネル（ＰＤＣＣＨ）領域による基地局１０１向けまたはＲＲＨ１０３向けの上りリンク信号の送信制御（上りリンク信号送信電力制御）について説明する。基地局１０１は、測定結果からある端末（端末Ａ）が基地局１０１に近いと判断した場合、端末Ａのダイナミックな上りリンク信号の送信制御を第１の制御チャネル（ＰＤＣＣＨ）領域でのみ行う。また、基地局１０１は、測定結果からある端末（端末Ｂ）がＲＲＨ１０３に近いと判断した場合、端末Ｂのダイナミックな上りリンク信号の送信制御を第２の制御チャネル（Ｘ−ＰＤＣＣＨ）領域でのみ行う。つまり、基地局１０１は、端末１０２に基地局１０１向けの上りリンク信号の送信を行わせたい場合には、上りリンクグラントを第１の制御チャネル領域に含めて端末１０２へ通知し、端末１０２にＲＲＨ１０３向けの上りリンク信号の送信を行わせたい場合には、第２の制御チャネル領域に含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知する制御チャネル領域によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１の制御チャネル領域のＴＰＣコマンドの電力補正値を高く設定し、ＲＲＨ１０３向けの上りリンク送信電力を低くしたい場合には、第２の制御チャネル領域のＴＰＣコマンドの電力補正値を低くなるように設定する。基地局１０１は、端末Ａに対しては、第１の制御チャネル領域によって上りリンク信号の送信および上りリンク送信電力制御を行い、端末Ｂに対しては、第２の制御チャネルによって上りリンク信号の送信および上りリンク送信電力制御を行う。
【０２４２】
また、第３の実施形態で示したように、基地局１０１は、第１の制御チャネル領域と第２の制御チャネル領域に対してそれぞれ測定対象を関連付けることができる。
【０２４３】
また、第４の実施形態では、基地局１０１は、システム情報に含まれる物理ランダムアクセスチャネルの送信タイミング情報を第１のサブフレームサブセット内のサブフレームに設定し、種々の上りリンク物理チャネルの送信タイミング情報を第１のサブフレームサブセット内のサブフレームに設定し、一部の端末１０２に対して無線リソース制御情報の再設定を行う場合に、無線リソース制御信号に含まれる物理ランダムアクセスチャネルの送信タイミング情報を、第１のサブフレームサブセットとは異なる第２のサブフレームサブセット内のサブフレームに設定するとともに、種々の上りリンク物理チャネルの送信タイミング情報を第２のサブフレームサブセット内のサブフレームに設定する。
【０２４４】
さらに、基地局１０１は、第１のサブフレームサブセットに関連付けて、種々の上りリンク信号の送信電力制御情報を第１の送信電力制御情報として設定し、一部の端末１０２に対して無線リソース制御情報の再設定を行う場合に、第２のサブフレームサブセットに関連付けて、種々の上りリンク信号の送信電力制御情報を第２の送信電力制御情報として設定する。
【０２４５】
さらに、基地局１０１は、第１のサブフレームサブセットにおいて上りリンク信号を送信させる端末１０２に対しては、第１の送信電力制御情報を設定し、第２のサブフレームサブセットにおいて上りリンク信号を送信させる端末１０２に対しては、第２の送信電力制御情報を設定する。
【０２４６】
また、第４の実施形態では、基地局１０１は、第１の下りリンクキャリアコンポーネントおよび第２の下りリンクキャリアコンポーネントを介して信号を送信し、プライマリーセルとして第１の下りリンクキャリアコンポーネントが設定された端末１０２に対しては、第１の送信電力制御情報をプライマリーセル固有の送信電力制御情報として設定し、プライマリーセルとして第２の下りリンクキャリアコンポーネントが設定された端末１０２に対しては、第２の送信電力制御情報をプライマリーセル固有の送信電力制御情報として設定する。
【０２４７】
さらに、基地局１０１は、第１の上りリンクキャリアコンポーネントおよび第２の上りリンクキャリアコンポーネントを介して信号を受信し、第１の上りリンクキャリアコンポーネントを介して通信を行う端末１０２に対しては、第１の送信電力制御情報を設定し、第２の上りリンクキャリアコンポーネントを介して通信を行う端末１０２に対しては、第２の送信電力制御情報を設定する。
【０２４８】
基地局１０１は、基地局１０１とアクセスする端末１０２と、ＲＲＨ１０３とアクセスする端末１０２を時間、周波数、上りリンクグラントを含む制御チャネル領域によって各端末１０２に対して上りリンク信号の送信を制御することで適切な送信タイミング制御、適切な無線リソース制御、適切な上りリンク送信電力制御を行うことができる。
【０２４９】
基地局１０１は、システム情報に含まれる上りリンク信号に関する送信電力制御情報および送信タイミング情報はすべて、基地局１０１に対して適切な設定になるように種々のパラメータを設定する。初期接続確立（ＲＲＣコネクションエスタブリッシュメント）後、基地局１０１と端末１０２が通信を行っていく中で、チャネル測定などの結果によって、基地局１０１は、端末１０２が基地局１０１に近いかＲＲＨ１０３に近いかを判断する。基地局１０１は、端末１０２が基地局の方に近い、と判断した場合には、特に設定情報を通知しない、もしくは、より基地局１０１との通信に適した送信電力制御情報、送信タイミング制御情報、送信リソース制御情報を設定し、ＲＲＣコネクションリコンフィグレーションを通じて端末１０２へ通知する。また、基地局１０１は、端末１０２がＲＲＨ１０３に近いと判断した場合には、ＲＲＨ１０３との通信に適した送信電力制御情報、送信タイミング制御情報、送信リソース制御情報を設定し、ＲＲＣコネクションリコンフィグレーションを通じて端末１０２へ通知する。
【０２５０】
なお、上記各実施形態では、情報データ信号、制御情報信号、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０２５１】
なお、上記各実施形態では、基地局１０１と端末１０２とＲＲＨ１０３からなる下りリンク／上りリンク協調通信について説明したが、２つ以上の基地局１０１と端末１０２からなる協調通信、２つ以上の基地局１０１とＲＲＨ１０３と端末１０２からなる協調通信、２つ以上の基地局１０１またはＲＲＨ１０３と端末１０２からなる協調通信、２つ以上の基地局１０１と２つ以上のＲＲＨ１０３と端末１０２からなる協調通信、２つ以上の送信ポイント／受信ポイントからなる協調通信においても適用可能である。また、上記各実施形態では、パスロスの計算結果から端末１０２が基地局１０１またはＲＲＨ１０３に近い方に適した上りリンク送信電力制御を行われることについて説明したが、パスロスの計算結果から端末１０２が基地局１０１またはＲＲＨ１０３に遠い方に適した上りリンク送信電力制御を行われることについても同様の処理を行うことができる。
【０２５２】
本発明に関わる基地局１０１および端末１０２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２５３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１０１および端末１０２の一部、または全部を典型的には集積回路であるＬＳＩとして実現してもよい。基地局１０１および端末１０２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０２５４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２５５】
本発明は、無線基地局装置や無線端末装置や無線通信システムや無線通信方法に用いて好適である。
【符号の説明】
【０２５６】
１０１、３４０１  基地局
１０２、３４０２、３４０３、３５０４、３６０４  端末
１０３、３５０２、３６０２  ＲＲＨ
１０４、３５０３、３６０３  回線
１０５、１０７、３４０４、３４０５、３５０５、３５０６  下りリンク
１０６、１０８、３６０５、３６０６  上りリンク
５０１  上位層処理部
５０３  制御部
５０５  受信部
５０７  送信部
５０９  チャネル測定部
５１１  送受信アンテナ
５０１１  無線リソース制御部
５０１３  ＳＲＳ設定部
５０１５  送信電力設定部
５０５１  復号化部
５０５３  復調部
５０５５  多重分離部
５０５７  無線受信部
５０７１  符号化部
５０７３  変調部
５０７５  多重部
５０７７  無線送信部
５０７９  下りリンク参照信号生成部
６０１  上位層処理部
６０３  制御部
６０５  受信部
６０７  送信部
６０９  チャネル測定部
６１１  送受信アンテナ
６０１１  無線リソース制御部
６０１３  ＳＲＳ制御部
６０１５  送信電力制御部
６０５１  復号化部
６０５３  復調部
６０５５  多重分離部
６０５７  無線受信部
６０７１  符号化部
６０７３  変調部
６０７５  多重部
６０７７  無線送信部
６０７９  上りリンク参照信号生成部
３５０１、３６０１  マクロ基地局
【図１】
0005914918.tif 000006
【図２】
0005914918.tif 000007
【図３】
0005914918.tif 000008
【図４】
0005914918.tif 000009
【図５】
0005914918.tif 000010
【図６】
0005914918.tif 000011
【図７】
0005914918.tif 000012
【図８】
0005914918.tif 000013
【図９】
0005914918.tif 000014
【図１０】
0005914918.tif 000015
【図１１】
0005914918.tif 000016
【図１２】
0005914918.tif 000017
【図１３】
0005914918.tif 000018
【図１４】
0005914918.tif 000019
【図１５】
0005914918.tif 000020
【図１６】
0005914918.tif 000021
【図１７】
0005914918.tif 000022
【図１８】
0005914918.tif 000023
【図１９】
0005914918.tif 000024
【図２０】
0005914918.tif 000025
【図２１】
0005914918.tif 000026
【図２２】
0005914918.tif 000027
【図２３】
0005914918.tif 000028
【図２４】
0005914918.tif 000029
【図２５】
0005914918.tif 000030
【図２６】
0005914918.tif 000031
【図２７】
0005914918.tif 000032
【図２８】
0005914918.tif 000033
【図２９】
0005914918.tif 000034
【図３０】
0005914918.tif 000035
【図３１】
0005914918.tif 000036
【図３２】
0005914918.tif 000037
【図３３】
0005914918.tif 000038
【図３４】
0005914918.tif 000039
【図３５】
0005914918.tif 000040
【図３６】
0005914918.tif 000041